(57)【要約】  高効率ワイヤレスローカルエリアネットワーク（ＷＬＡＮ）におけるリソース割振りシグナリングのための方法、装置、およびコンピュータ可読媒体が開示される。送信機は、送信フレームの第１のコンテンツチャネル中の第１のリソースユニット（ＲＵ）に関連付けられたマルチユーザ多入力多出力（ＭＵ−ＭＩＭＯ）局の数を識別する第１のインジケータを識別し得る。送信機は、第１のコンテンツチャネル中でＷＬＡＮシグナリングフィールドの第１の共通部分を生成し得る。第１の共通部分は第１のインジケータを含み得る。送信機は、送信フレームの第２のコンテンツチャネル中の第２のＲＵに関連付けられたＭＵ−ＭＩＭＯ局の不在を識別する第２のインジケータを識別し得る。送信機は、第２のコンテンツチャネル中にＷＬＡＮシグナリングフィールドの第２の共通部分を生成し得る。第２の共通部分は第２のインジケータを含み得る。送信機は、ＷＬＡＮシグナリングフィールドを含む送信フレームを送信し得る。【選択図】図１
2019506040.tif 000002
【特許請求の範囲】
【請求項１】
ワイヤレス通信のための方法であって、
送信フレームの第１のコンテンツチャネル中の第１のリソースユニット（ＲＵ）に関連付けられたマルチユーザ多入力多出力（ＭＵ−ＭＩＭＯ）局の数を識別する第１のインジケータを識別することと、
前記送信フレームの前記第１のコンテンツチャネル中に、ワイヤレスローカルエリアネットワーク（ＷＬＡＮ）シグナリングフィールドの第１の共通部分を生成することと、ここにおいて、前記第１の共通部分は前記第１のインジケータを含む、
前記送信フレームの第２のコンテンツチャネル中の第２のＲＵに関連付けられたＭＵ−ＭＩＭＯ局の不在を識別する第２のインジケータを識別することと、
前記送信フレームの前記第２のコンテンツチャネル中に、前記ＷＬＡＮシグナリングフィールドの第２の共通部分を生成することと、ここにおいて、前記第２の共通部分は前記第２のインジケータを含む、
前記ＷＬＡＮシグナリングフィールドを含む前記送信フレームを送信することと、
を備える、方法。
【請求項２】
前記第１の共通部分は第１の共通ブロックフィールドを備え、前記第２の共通部分は前記ＷＬＡＮシグナリングフィールドの第２の共通ブロックフィールドを備える、請求項１に記載の方法。
【請求項３】
前記ＷＬＡＮシグナリングフィールドは高効率（ＨＥ）シグナリングＢ（ＨＥ−ＳＩＧ−Ｂ）フィールドを備える、請求項１に記載の方法。
【請求項４】
前記送信フレームについてのトーンプランを識別することと、
前記送信フレームについて複数のユーザに対して複数のＲＵを割り振ることと、
前記トーンプランのＲＵが割り振られていないと決定することと、
前記送信フレームについて、前記ＲＵが割り振られていないことを示す局識別情報を前記ＷＬＡＮシグナリングフィールドのユーザ固有部分中に生成することと、
をさらに備える、請求項１に記載の方法。
【請求項５】
前記ＲＵが割り振られていないことを示す、前記局識別情報のための予め定められたビットシーケンスを生成すること、
をさらに備える、請求項４に記載の方法。
【請求項６】
前記第１のインジケータの前記指示を伝達するために、前記ＷＬＡＮシグナリングフィールドの前記第１の共通部分中に第１のＲＵ割振りフィールドを生成することと、
前記第２のインジケータの前記指示を伝達するために、前記ＷＬＡＮシグナリングフィールドの前記第１の共通部分中に第２のＲＵ割振りフィールドを生成することと、
をさらに備える、請求項１に記載の方法。
【請求項７】
ワイヤレス通信のための方法であって、
複数のチャネルに関連付けられた送信フレームを受信することと、前記送信フレームはワイヤレスローカルエリアネットワーク（ＷＬＡＮ）シグナリングフィールドを含み、
前記複数のチャネルのうちの第１のチャネルについて前記ＷＬＡＮシグナリングフィールドに関連付けられた局の第１の数を識別することと、
前記複数のチャネルのうちの第２のチャネルについて前記ＷＬＡＮシグナリングフィールドに関連付けられた局の第２の数を識別することと、
局の前記識別された第１の数と局の前記識別された第２の数とに少なくとも部分的に基づいて、前記送信フレームのデータ部分がマルチユーザ多入力多出力（ＭＵ−ＭＩＭＯ）コンテンツを含んでいるかどうかを決定することと、
を備える、方法。
【請求項８】
局の前記第１の数と局の前記第２の数との組合せが１よりも大きいと決定することと、
前記送信フレームの前記データ部分がＭＵ−ＭＩＭＯコンテンツを含んでいると決定することと、
をさらに備える、請求項７に記載の方法。
【請求項９】
局の前記第１の数と局の前記第２の数との組合せが１に等しいと決定することと、
前記送信フレームの前記データ部分がシングルユーザ（ＳＵ）コンテンツを含んでいると決定することと、
をさらに備える、請求項７に記載の方法。
【請求項１０】
前記ＷＬＡＮシグナリングフィールドは高効率（ＨＥ）シグナリングＢ（ＨＥ−ＳＩＧ−Ｂ）フィールドを備える、請求項７に記載の方法。
【請求項１１】
前記送信フレームに関連付けられた第１のコンテンツチャネルを受信することと、前記第１のコンテンツチャネルは前記ＷＬＡＮシグナリングフィールドを含み、
前記ＷＬＡＮシグナリングフィールド中の指示に少なくとも部分的に基づいて、前記第１のコンテンツチャネルに関連付けられたユーザの第１の数と、前記送信フレームの第２のコンテンツチャネルに関連付けられたユーザの第２の数とを識別することと、
をさらに備える、請求項７に記載の方法。
【請求項１２】
ユーザの前記第１の数を識別するために、前記第１のチャネルについて前記ＷＬＡＮシグナリングフィールドの共通ブロックフィールドを復号することと、
ユーザの前記第２の数を識別するために、前記第２のチャネルについて前記ＷＬＡＮシグナリングフィールドの前記共通ブロックフィールドを復号することと、
をさらに備える、請求項１１に記載の方法。
【請求項１３】
前記共通ブロックフィールドはリソースユニット（ＲＵ）割振りフィールドを備える、
請求項１１に記載の方法。
【請求項１４】
ワイヤレス通信のための装置であって、
送信フレームの第１のコンテンツチャネル中の第１のリソースユニット（ＲＵ）に関連付けられたマルチユーザ多入力多出力（ＭＵ−ＭＩＭＯ）局の数を識別する第１のインジケータを識別するための手段と、
前記送信フレームの前記第１のコンテンツチャネル中に、ワイヤレスローカルエリアネットワーク（ＷＬＡＮ）シグナリングフィールドの第１の共通部分を生成するための手段と、ここにおいて、前記第１の共通部分は前記第１のインジケータを含む、
前記送信フレームの第２のコンテンツチャネル中の第２のＲＵに関連付けられたＭＵ−ＭＩＭＯ局の不在を識別する第２のインジケータを識別するための手段と、
前記送信フレームの前記第２のコンテンツチャネル中に、前記ＷＬＡＮシグナリングフィールドの第２の共通部分を生成するための手段と、ここにおいて、前記第２の共通部分は前記第２のインジケータを含む、
前記ＷＬＡＮシグナリングフィールドを含む前記送信フレームを送信するための手段と、
を備える、装置。
【請求項１５】
前記第１の共通部分は第１の共通ブロックフィールドを備え、前記第２の共通部分は前記ＷＬＡＮシグナリングフィールドの第２の共通ブロックフィールドを備える、請求項１４に記載の装置。
【請求項１６】
前記ＷＬＡＮシグナリングフィールドは高効率（ＨＥ）シグナリングＢ（ＨＥ−ＳＩＧ−Ｂ）フィールドを備える、請求項１４に記載の装置。
【請求項１７】
前記送信フレームについてのトーンプランを識別するための手段と、
前記送信フレームについて複数のユーザに対して複数のＲＵを割り振るための手段と、
前記トーンプランのＲＵが割り振られていないと決定するための手段と、
前記送信フレームについて、前記ＲＵが割り振られていないことを示す局識別情報を前記ＷＬＡＮシグナリングフィールドのユーザ固有部分中に生成するための手段と、
をさらに備える、請求項１４に記載の装置。
【請求項１８】
前記ＲＵが割り振られていないことを示す、前記局識別情報のための予め定められたビットシーケンスを生成するための手段、
をさらに備える、請求項１７に記載の装置。
【請求項１９】
前記第１のインジケータの前記指示を伝達するために、前記ＷＬＡＮシグナリングフィールドの前記第１の共通部分中に第１のＲＵ割振りフィールドを生成するための手段と、
前記第２のインジケータの前記指示を伝達するために、前記ＷＬＡＮシグナリングフィールドの前記第１の共通部分中に第２のＲＵ割振りフィールドを生成するための手段と、
をさらに備える、請求項１４に記載の装置。
【請求項２０】
ワイヤレス通信のための装置であって、
複数のチャネルに関連付けられた送信フレームを受信するための手段と、前記送信フレームはワイヤレスローカルエリアネットワーク（ＷＬＡＮ）シグナリングフィールドを含み、
前記複数のチャネルのうちの第１のチャネルについて前記ＷＬＡＮシグナリングフィールドに関連付けられた局の第１の数を識別するための手段と、
前記複数のチャネルのうちの第２のチャネルについて前記ＷＬＡＮシグナリングフィールドに関連付けられた局の第２の数を識別するための手段と、
局の前記識別された第１の数と局の前記識別された第２の数とに少なくとも部分的に基づいて、前記送信フレームのデータ部分がマルチユーザ多入力多出力（ＭＵ−ＭＩＭＯ）コンテンツを含んでいるかどうかを決定するための手段と、
を備える、装置。
【請求項２１】
局の前記第１の数と局の前記第２の数との組合せが１よりも大きいと決定するための手段と、
前記送信フレームの前記データ部分がＭＵ−ＭＩＭＯコンテンツを含んでいると決定するための手段と、
をさらに備える、請求項２０に記載の装置。
【請求項２２】
局の前記第１の数と局の前記第２の数との組合せが１に等しいと決定するための手段と、
前記送信フレームの前記データ部分がシングルユーザ（ＳＵ）コンテンツを含んでいると決定するための手段と、
をさらに備える、請求項２０に記載の装置。
【請求項２３】
前記ＷＬＡＮシグナリングフィールドは高効率（ＨＥ）シグナリングＢ（ＨＥ−ＳＩＧ−Ｂ）フィールドを備える、請求項２０に記載の装置。
【請求項２４】
前記送信フレームに関連付けられた第１のコンテンツチャネルを受信するための手段と、前記第１のコンテンツチャネルは前記ＷＬＡＮシグナリングフィールドを含み、
前記ＷＬＡＮシグナリングフィールド中の指示に少なくとも部分的に基づいて、前記第１のコンテンツチャネルに関連付けられたユーザの第１の数と、前記送信フレームの第２のコンテンツチャネルに関連付けられたユーザの第２の数とを識別するための手段と、
をさらに備える、請求項２０に記載の装置。
【請求項２５】
ユーザの前記第１の数を識別するために、前記第１のチャネルについて前記ＷＬＡＮシグナリングフィールドの共通ブロックフィールドを復号するための手段と、
ユーザの前記第２の数を識別するために、前記第２のチャネルについて前記ＷＬＡＮシグナリングフィールドの前記共通ブロックフィールドを復号するための手段と、
をさらに備える、請求項２４に記載の装置。
【請求項２６】
前記共通ブロックフィールドはリソースユニット（ＲＵ）割振りフィールドを備える、
請求項２４に記載の装置。
【請求項２７】
ワイヤレス通信のための方法であって、
送信フレームに関連付けられた複数のチャネルのうちの第１のチャネルがパンクチャされたという指示を生成することと、前記送信フレームはワイヤレスローカルエリアネットワーク（ＷＬＡＮ）シグナリングフィールドを含み、
前記パンクチャされた第１のチャネルに対応する前記ＷＬＡＮシグナリングフィールドに関連付けられた情報を識別することと、
前記複数のチャネルのうちの第２のチャネル中で、前記ＷＬＡＮシグナリングフィールドに関連付けられた前記情報を送信することと、
前記第２のチャネル中でまたは前記送信フレームの第２のＷＬＡＮシグナリングフィールド中で、前記第１のチャネルがパンクチャされたという前記指示を送信することと、
を備える、方法。
【請求項２８】
前記送信フレームの前記第２のＷＬＡＮシグナリングフィールドは、前記送信フレームに関連付けられた帯域幅と前記複数のチャネル内の前記第２のチャネルのロケーションとの両方を示す帯域幅フィールドを備える、請求項２７に記載の方法。
【請求項２９】
前記ＷＬＡＮシグナリングフィールドは、前記第１のチャネルまたは前記第２のチャネルの高効率シグナリングＡ（ＨＥ−ＳＩＧ−Ａ）フィールドを備え、前記第２のＷＬＡＮシグナリングフィールドは、前記第２のチャネルの高効率シグナリングＢ（ＨＥ−ＳＩＧ−Ｂ）フィールドを備える、請求項２７に記載の方法。
【請求項３０】
前記パンクチャされた第１のチャネルに少なくとも部分的に基づいて、前記送信フレームについてのリソースユニット（ＲＵ）割振りビットシーケンスを選択することと、
前記パンクチャされた第１のチャネルに対応する前記ＷＬＡＮシグナリングフィールドに関連付けられた前記情報を伝達するために、前記ＲＵ割振りシーケンスを送信することと、
をさらに備える、請求項２７に記載の方法。
【請求項３１】
前記ＲＵ割振りシーケンスは、前記送信フレームの高効率（ＨＥ）シグナリングＢ（ＨＥ−ＳＩＧ−Ｂ）フィールド中で送信される、請求項３０に記載の方法。
【請求項３２】
前記第１のチャネルは前記送信フレームの２次２０ＭＨｚチャネルを備え、前記送信フレームは８０ＭＨｚ帯域幅を有する、請求項２７に記載の方法。
【請求項３３】
前記指示は、４に設定された帯域幅サブフィールドを備える、請求項３２に記載の方法。
【請求項３４】
前記第１のチャネルは、前記送信フレームの４０ＭＨｚ２次チャネルの２０ＭＨｚサブチャネルを備え、前記送信フレームは８０ＭＨｚ帯域幅を有する、請求項２７に記載の方法。
【請求項３５】
前記指示は、５に設定された帯域幅サブフィールドを備える、請求項３４に記載の方法。
【請求項３６】
前記第１のチャネルは前記送信フレームの８０ＭＨｚ１次チャネルの２０ＭＨｚサブチャネルを備え、前記送信フレームは１６０ＭＨｚの累積帯域幅を有する、請求項２７に記載の方法。
【請求項３７】
前記指示は、６に設定された帯域幅サブフィールドを備える、請求項３６に記載の方法。
【請求項３８】
前記ＷＬＡＮシグナリングフィールドは高効率（ＨＥ）シグナリングＡ（ＨＥ−ＳＩＧ−Ａ）フィールドを備え、前記指示は前記ＨＥ−ＳＩＧ−Ａフィールドの帯域幅サブフィールドに関連付けられる、請求項２７に記載の方法。
【請求項３９】
前記ＷＬＡＮシグナリングフィールドは高効率マルチユーザ（ＭＵ）物理レイヤコンバージェンスプロトコルデータユニット（ＰＰＤＵ）に関連付けられる、請求項２７に記載の方法。
【請求項４０】
前記送信フレームに関連付けられた帯域幅を識別することと、
前記帯域幅内の１つまたは複数のコンテンツチャネルについてのロケーションを識別することと、
前記帯域幅と、前記送信フレームの前記帯域幅内の前記１つまたは複数のコンテンツチャネルについての前記ロケーションとの両方を示す前記ＷＬＡＮシグナリングフィールドを含む前記送信フレームを送信することと、
をさらに備える、請求項２７に記載の方法。
【請求項４１】
ワイヤレス通信のための装置であって、
メモリと、
前記メモリと結合されたプロセッサと、
を備え、前記プロセッサは、
送信フレームに関連付けられた複数のチャネルのうちの第１のチャネルがパンクチャされたという指示を生成することと、前記送信フレームはワイヤレスローカルエリアネットワーク（ＷＬＡＮ）シグナリングフィールドを含み、
前記パンクチャされた第１のチャネルに対応する前記ＷＬＡＮシグナリングフィールドに関連付けられた情報を識別することと、
前記複数のチャネルのうちの第２のチャネル中で、前記ＷＬＡＮシグナリングフィールドに関連付けられた前記情報を送信することと、
前記第２のチャネル中でまたは前記送信フレームの第２のＷＬＡＮシグナリングフィールド中で、前記第１のチャネルがパンクチャされたという前記指示を送信することと、
を行うように構成された、装置。
【請求項４２】
ワイヤレス通信のための装置であって、
送信フレームに関連付けられた複数のチャネルのうちの第１のチャネルがパンクチャされたという指示を生成するための手段と、前記送信フレームはワイヤレスローカルエリアネットワーク（ＷＬＡＮ）シグナリングフィールドを含み、
前記パンクチャされた第１のチャネルに対応する前記ＷＬＡＮシグナリングフィールドに関連付けられた情報を識別するための手段と、
前記複数のチャネルのうちの第２のチャネル中で、前記ＷＬＡＮシグナリングフィールドに関連付けられた前記情報を送信するための手段と、
前記第２のチャネル中でまたは前記送信フレームの第２のＷＬＡＮシグナリングフィールド中で、前記第１のチャネルがパンクチャされたという前記指示を送信するための手段と、
を備える、装置。
【請求項４３】
前記送信フレームの前記第２のＷＬＡＮシグナリングフィールドは、前記送信フレームに関連付けられた帯域幅と前記複数のチャネル内の前記第２のチャネルのロケーションとの両方を示す帯域幅フィールドを備える、
請求項４２に記載の装置。
【請求項４４】
前記ＷＬＡＮシグナリングフィールドは、前記第１のチャネルまたは前記第２のチャネルの高効率シグナリングＡ（ＨＥ−ＳＩＧ−Ａ）フィールドを備え、前記第２のＷＬＡＮシグナリングフィールドは、前記第２のチャネルの高効率シグナリングＢ（ＨＥ−ＳＩＧ−Ｂ）フィールドを備える、
請求項４２に記載の装置。
【請求項４５】
前記パンクチャされた第１のチャネルに少なくとも部分的に基づいて、前記送信フレームについてのリソースユニット（ＲＵ）割振りビットシーケンスを選択するための手段と、
前記パンクチャされた第１のチャネルに対応する前記ＷＬＡＮシグナリングフィールドに関連付けられた前記情報を伝達するために、前記ＲＵ割振りシーケンスを送信するための手段と、
をさらに備える、請求項４２に記載の装置。
【請求項４６】
前記ＲＵ割振りシーケンスは、前記送信フレームの高効率（ＨＥ）シグナリングＢ（ＨＥ−ＳＩＧ−Ｂ）フィールド中で送信される、請求項４５に記載の装置。
【請求項４７】
前記第１のチャネルは前記送信フレームの２次２０ＭＨｚチャネルを備え、前記送信フレームは８０ＭＨｚ帯域幅を有する、請求項４２に記載の装置。
【請求項４８】
前記指示は、４に設定された帯域幅サブフィールドを備える、請求項４７に記載の装置。
【請求項４９】
前記第１のチャネルは、前記送信フレームの４０ＭＨｚ２次チャネルの２０ＭＨｚサブチャネルを備え、前記送信フレームは８０ＭＨｚ帯域幅を有する、請求項４２に記載の装置。
【請求項５０】
前記指示は、５に設定された帯域幅サブフィールドを備える、請求項４９に記載の装置。
【請求項５１】
前記第１のチャネルは前記送信フレームの８０ＭＨｚ１次チャネルの２０ＭＨｚサブチャネルを備え、前記送信フレームは１６０ＭＨｚの累積帯域幅を有する、請求項４２に記載の装置。
【請求項５２】
前記指示は、６に設定された帯域幅サブフィールドを備える、請求項５１に記載の装置。
【請求項５３】
前記ＷＬＡＮシグナリングフィールドは高効率シグナリングＡ（ＨＥ−ＳＩＧ−Ａ）フィールドを備え、前記指示は前記ＨＥ−ＳＩＧ−Ａフィールドの帯域幅サブフィールドに関連付けられる、請求項５１に記載の装置。
【請求項５４】
前記送信フレームに関連付けられた帯域幅を識別するための手段と、
前記帯域幅内の１つまたは複数のコンテンツチャネルについてのロケーションを識別するための手段と、
前記帯域幅と、前記送信フレームの前記帯域幅内の前記１つまたは複数のコンテンツチャネルについての前記ロケーションとの両方を示すＷＬＡＮシグナリングフィールドを含む前記送信フレームを送信するための手段と、
をさらに備える、請求項４２に記載の装置。
【請求項５５】
ワイヤレス通信のための方法であって、
第１の局において、複数の局によって復号可能なワイヤレスローカルエリアネットワーク（ＷＬＡＮ）シグナリングフィールドを含む送信フレームを受信することと、
前記ＷＬＡＮシグナリングフィールドの局固有部分中で、前記複数の局に関連付けられた複数の局固有情報ブロックのための順序を識別することと、
前記複数の局固有情報ブロックのための前記識別された順序に少なくとも部分的に基づいて、前記第１の局に割り振られた空間ストリームの数を決定することと、
を備える、方法。
【請求項５６】
前記局固有部分中で、前記第１の局に関連付けられた識別子を識別することをさらに備え、前記識別された順序は、前記第１の局に関連付けられた前記識別子に少なくとも部分的に基づく、
請求項５５に記載の方法。
【請求項５７】
前記ＷＬＡＮシグナリングフィールドの共通部分中で、前記複数の局に関連付けられた局の数を識別することと、
前記送信フレームの前記ＷＬＡＮシグナリングフィールドの前記局固有部分中で、前記複数の局に関連付けられた空間ストリームの総数値を識別することと、ここにおいて、前記第１の局に割り振られた空間ストリームの前記決定された数は、空間ストリームの前記総数値に少なくとも部分的に基づく、
をさらに備える、請求項５５に記載の方法。
【請求項５８】
前記共通部分は前記ＷＬＡＮシグナリングフィールドの共通ブロックフィールドを備える、請求項５７に記載の方法。
【請求項５９】
局固有部分中で、前記複数の局の少なくとも一部分の各局に割り振られた空間ストリームの前記数と、空間ストリームの総数とを示す空間構成フィールドを識別することをさらに備え、前記第１の局に割り振られた空間ストリームの前記決定された数は、前記空間構成フィールドに少なくとも部分的に基づく、
請求項５５に記載の方法。
【請求項６０】
空間ストリームの前記総数はマルチユーザ多入力多出力（ＭＵ−ＭＩＭＯ）割振りに関連付けられる、請求項５９に記載の方法。
【請求項６１】
前記ＷＬＡＮシグナリングフィールドは高効率（ＨＥ）シグナリングＢ（ＨＥ−ＳＩＧ−Ｂ）フィールドを備える、請求項５５に記載の方法。
【請求項６２】
前記複数の局固有情報ブロックのための前記順序は、前記局固有情報ブロックが前記ＷＬＡＮシグナリングフィールドにポピュレートされる連続順序を備える、請求項５５に記載の方法。
【請求項６３】
ワイヤレス通信のための方法であって、
送信フレームについての第１の局に割り振られた空間ストリームの数を選択することと、前記送信フレームは、複数の局によって復号可能であるワイヤレスローカルエリアネットワーク（ＷＬＡＮ）シグナリングフィールドを備え、
前記ＷＬＡＮシグナリングフィールドの局固有部分中で、複数の局に関連付けられた複数の局固有情報ブロックのための順序を構成することと、前記複数の局固有情報ブロックのための前記順序は、前記第１の局に割り振られた空間ストリームの前記数に少なくとも部分的に基づき、
前記ＷＬＡＮシグナリングフィールドを備える前記送信フレームを送信することと、
を備える、方法。
【請求項６４】
前記局固有部分中で、前記第１の局に関連付けられた識別子を構成することをさらに備え、前記順序は、前記第１の局に関連付けられた前記識別子に少なくとも部分的に基づく、
請求項６３に記載の方法。
【請求項６５】
前記ＷＬＡＮシグナリングフィールドの共通部分中に、前記複数の局に関連付けられた局の数を構成することと、
前記送信フレームの前記ＷＬＡＮシグナリングフィールドの前記局固有部分中に、前記複数の局に関連付けられた空間ストリームの総数値を構成することと、ここにおいて、前記第１の局に割り振られた空間ストリームの前記数は、空間ストリームの前記総数値に少なくとも部分的に基づく、
をさらに備える、請求項６３に記載の方法。
【請求項６６】
前記共通部分は前記ＷＬＡＮシグナリングフィールドの共通ブロックフィールドを備える、
請求項６５に記載の方法。
【請求項６７】
前記局固有部分中に、前記複数の局の少なくとも一部分の各局に割り振られた空間ストリームの前記数と、空間ストリームの総数とを示す空間構成フィールドを構成することをさらに備え、前記第１の局に割り振られた空間ストリームの前記数は、前記空間構成フィールドに少なくとも部分的に基づく、
請求項６３に記載の方法。
【請求項６８】
空間ストリームの前記総数はマルチユーザ多入力多出力（ＭＵ−ＭＩＭＯ）割振りに関連付けられる、請求項６７に記載の方法。
【請求項６９】
前記ＷＬＡＮシグナリングフィールドは高効率（ＨＥ）シグナリングＢ（ＨＥ−ＳＩＧ−Ｂ）フィールドを備える、請求項６３に記載の方法。
【請求項７０】
前記複数の局固有情報ブロックのための前記順序は、前記局固有情報ブロックが前記ＷＬＡＮシグナリングフィールドにポピュレートされる連続順序を備える、請求項６３に記載の方法。
【請求項７１】
ワイヤレス通信のための装置であって、
複数の局によって復号可能なワイヤレスローカルエリアネットワーク（ＷＬＡＮ）シグナリングフィールドを含む送信フレームを受信するための手段と、
前記ＷＬＡＮシグナリングフィールドの局固有部分中で、前記複数の局に関連付けられた複数の局固有情報ブロックのための順序を識別するための手段と、
前記複数の局固有情報ブロックのための前記識別された順序に少なくとも部分的に基づいて、前記装置に割り振られた空間ストリームの数を決定するための手段と、
を備える、装置。
【請求項７２】
前記局固有部分中で、前記装置に関連付けられた識別子を識別するための手段をさらに備え、前記識別された順序は、前記装置に関連付けられた前記識別子に少なくとも部分的に基づく、
請求項７１に記載の装置。
【請求項７３】
前記ＷＬＡＮシグナリングフィールドの共通部分中で、前記複数の局に関連付けられた局の数を識別するための手段と、
前記送信フレームの前記ＷＬＡＮシグナリングフィールドの前記局固有部分中で、前記複数の局に関連付けられた空間ストリームの総数値を識別するための手段と、ここにおいて、前記装置に割り振られた空間ストリームの前記決定された数は、空間ストリームの前記総数値に少なくとも部分的に基づく、
をさらに備える、請求項７１に記載の装置。
【請求項７４】
前記共通部分は前記ＷＬＡＮシグナリングフィールドの共通ブロックフィールドを備える、請求項７３に記載の装置。
【請求項７５】
局固有部分中で、前記複数の局の少なくとも一部分の各局に割り振られた空間ストリームの前記数と、空間ストリームの総数とを示す空間構成フィールドを識別することをさらに備え、前記装置に割り振られた空間ストリームの前記決定された数は、前記空間構成フィールドに少なくとも部分的に基づく、
請求項７１に記載の装置。
【請求項７６】
空間ストリームの前記総数はマルチユーザ多入力多出力（ＭＵ−ＭＩＭＯ）割振りに関連付けられる、請求項７５に記載の装置。
【請求項７７】
前記ＷＬＡＮシグナリングフィールドは高効率（ＨＥ）シグナリングＢ（ＨＥ−ＳＩＧ−Ｂ）フィールドを備える、請求項７１に記載の装置。
【請求項７８】
ワイヤレス通信のための装置であって、
送信フレームについての第１の局に割り振られた空間ストリームの数を選択するための手段と、前記送信フレームは、複数の局によって復号可能であるワイヤレスローカルエリアネットワーク（ＷＬＡＮ）シグナリングフィールドを備え、
前記ＷＬＡＮシグナリングフィールドの局固有部分中で、複数の局に関連付けられた複数の局固有情報ブロックのための順序を構成するための手段と、前記複数の局固有情報ブロックのための前記順序は、前記第１の局に割り振られた空間ストリームの前記数に少なくとも部分的に基づき、
前記ＷＬＡＮシグナリングフィールドを備える前記送信フレームを送信するための手段と、
を備える、装置。
【請求項７９】
前記局固有部分中で、前記第１の局に関連付けられた識別子を構成するための手段をさらに備え、前記順序は、前記第１の局に関連付けられた前記識別子に少なくとも部分的に基づく、
請求項７８に記載の装置。
【請求項８０】
前記ＷＬＡＮシグナリングフィールドの共通部分中に、前記複数の局に関連付けられた局の数を構成するための手段と、
前記送信フレームの前記ＷＬＡＮシグナリングフィールドの前記局固有部分中に、前記複数の局に関連付けられた空間ストリームの総数値を構成するための手段と、ここにおいて、前記第１の局に割り振られた空間ストリームの前記数は、空間ストリームの前記総数値に少なくとも部分的に基づく、
をさらに備える、請求項７８に記載の方法。
【請求項８１】
前記共通部分は前記ＷＬＡＮシグナリングフィールドの共通ブロックフィールドを備える、請求項８０に記載の装置。
【請求項８２】
前記局固有部分中に、前記複数の局の少なくとも一部分の各局に割り振られた空間ストリームの前記数と、空間ストリームの総数とを示す空間構成フィールドを構成するための手段をさらに備え、前記第１の局に割り振られた空間ストリームの前記数は、前記空間構成フィールドに少なくとも部分的に基づく、
請求項７８に記載の装置。
【請求項８３】
空間ストリームの前記総数はマルチユーザ多入力多出力（ＭＵ−ＭＩＭＯ）割振りに関連付けられる、請求項８２に記載の装置。
【請求項８４】
前記ＷＬＡＮシグナリングフィールドは高効率（ＨＥ）シグナリングＢ（ＨＥ−ＳＩＧ−Ｂ）フィールドを備える、請求項７８に記載の装置。
【請求項８５】
ワイヤレス通信のためのコードを記憶する非一時的コンピュータ可読媒体であって、前記コードは、
送信フレームに関連付けられた複数のチャネルのうちの第１のチャネルがパンクチャされたという指示を生成することと、前記送信フレームはワイヤレスローカルエリアネットワーク（ＷＬＡＮ）シグナリングフィールドを含み、
前記パンクチャされた第１のチャネルに対応する前記ＷＬＡＮシグナリングフィールドに関連付けられた情報を識別することと、
前記複数のチャネルのうちの第２のチャネル中で、前記ＷＬＡＮシグナリングフィールドに関連付けられた前記情報を送信することと、
前記第２のチャネル中でまたは前記送信フレームの第２のＷＬＡＮシグナリングフィールド中で、前記第１のチャネルがパンクチャされたという前記指示を送信することと、
を行うためにプロセッサによって実行可能な命令を備える、非一時的コンピュータ可読媒体。
【発明の詳細な説明】
【優先権の主張】
【０００１】
相互参照
[0001]本特許出願は、各々が本出願の譲受人に譲渡された、２０１６年１２月２１日に出願された、「Preamble Design Aspects for High Efficiency Wireless Local Area Networks」と題する、Ｂｈａｒａｄｗａｊらによる米国特許出願第１５／３８７，３６４号、２０１６年１２月２１日に出願された、「Preamble Design Aspects for High Efficiency Wireless Local Area Networks」と題する、Ｂｈａｒａｄｗａｊらによる米国特許出願第１５／３８７，３０９号、２０１６年１２月２１日に出願された、「Preamble Design Aspects for High Efficiency Wireless Local Area Networks」と題する、Ｂｈａｒａｄｗａｊらによる米国特許出願第１５／３８７，２７９号、２０１６年７月２１日に出願された、「Preamble Design Aspects for High Efficiency Wireless Local Area Networksと題する、Ｂｈａｒａｄｗａｊらによる米国仮特許出願第６２／３６５，３２９号、２０１６年６月１日に出願された、「Preamble Design Aspects for High Efficiency Wireless Local Area Networks」と題する、Ｂｈａｒａｄｗａｊらによる米国仮特許出願第６２／３４４，３７４号、２０１６年４月２７日に出願された、「Preamble Design Aspects for High Efficiency Wireless Local Area Networks」と題する、Ｂｈａｒａｄｗａｊらによる米国仮特許出願第６２／３２８，６０２号、２０１６年２月２４日に出願された、「Preamble Design Aspects for High Efficiency Wireless Local Area Networks」と題する、Ｂｈａｒａｄｗａｊらによる米国仮特許出願第６２／２９９，５５４号、および２０１５年１２月２１日に出願された、「Preamble Design Aspects for High Efficiency Wireless Local Area Networks」と題する、Ｂｈａｒａｄｗａｊらによる米国仮特許出願第６２／２７０，５６２号の優先権を主張する。
【技術分野】
【０００２】
[0002]本開示は、たとえば、ワイヤレス通信システムに関し、より詳細には、高効率ワイヤレスローカルエリアネットワーク（ＷＬＡＮ）の設計態様に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。ワイヤレスネットワーク、たとえば、Ｗｉ−Ｆｉ（登録商標）ネットワーク（ＩＥＥＥ８０２．１１）など、ワイヤレスローカルエリアネットワーク（ＷＬＡＮ）は、１つまたは複数の局（ＳＴＡ）またはモバイルデバイスと通信し得るアクセスポイント（ＡＰ）を含み得る。ＡＰは、インターネットなど、ネットワークに結合され、モバイルデバイスがネットワークを介して通信すること（および／またはアクセスポイントに結合された他のデバイスと通信すること）を可能にし得る。
【０００４】
[0004]高効率（ＨＥ：high efficiency）ワイヤレスローカルエリアネットワーク（ＷＬＡＮ）においてフレームを送信するために使用されるプリアンブルの第１のシグナリングフィールドおよび／または第２のシグナリングフィールドが、ＨＥ  ＷＬＡＮの性能および効率を改善するために修正され得る。
【発明の概要】
【０００５】
[0005]高効率ＷＬＡＮのプリアンブル設計態様をサポートするための方法、装置、およびコンピュータ可読媒体が開示される。
【０００６】
[0006]ワイヤレス通信の方法が説明される。本方法は、送信フレームの第１のコンテンツチャネル中の第１のリソースユニット（ＲＵ）に関連付けられたマルチユーザ多入力多出力（ＭＵ−ＭＩＭＯ）局の数を識別する第１のインジケータを識別することと、送信フレームの第１のコンテンツチャネル中で、ＷＬＡＮシグナリングフィールドの第１の共通部分を生成すること、ここにおいて、第１の共通部分は第１のインジケータを含む、と、送信フレームの第２のコンテンツチャネル中の第２のＲＵに関連付けられたＭＵ−ＭＩＭＯ局の不在を識別する第２のインジケータを識別することと、送信フレームの第２のコンテンツチャネル中で、ＷＬＡＮシグナリングフィールドの第２の共通部分を生成すること、ここにおいて、第２の共通部分は第２のインジケータを含む、と、ＷＬＡＮシグナリングフィールドを含む送信フレームを送信することと、を含み得る。
【０００７】
[0007]ワイヤレス通信のための装置が説明される。本装置は、送信フレームの第１のコンテンツチャネル中の第１のＲＵに関連付けられたＭＵ−ＭＩＭＯ局の数を識別する第１のインジケータを識別するための手段と、送信フレームの第１のコンテンツチャネル中で、ＷＬＡＮシグナリングフィールドの第１の共通部分を生成するための手段、ここにおいて、第１の共通部分は第１のインジケータを含む、と、送信フレームの第２のコンテンツチャネル中の第２のＲＵに関連付けられたＭＵ−ＭＩＭＯ局の不在を識別する第２のインジケータを識別するための手段と、送信フレームの第２のコンテンツチャネル中で、ＷＬＡＮシグナリングフィールドの第２の共通部分を生成するための手段、ここにおいて、第２の共通部分は第２のインジケータを含む、と、ＷＬＡＮシグナリングフィールドを含む送信フレームを送信するための手段と、を含み得る。
【０００８】
[0008]ワイヤレス通信のための別の装置が説明される。本装置は、プロセッサと、プロセッサと電子通信しているメモリと、メモリに記憶された命令とを含み得る。命令は、プロセッサに、送信フレームの第１のコンテンツチャネル中の第１のＲＵに関連付けられたＭＵ−ＭＩＭＯ局の数を識別する第１のインジケータを識別することと、送信フレームの第１のコンテンツチャネル中で、ＷＬＡＮシグナリングフィールドの第１の共通部分を生成すること、ここにおいて、第１の共通部分は第１のインジケータを含む、と、送信フレームの第２のコンテンツチャネル中の第２のＲＵに関連付けられたＭＵ−ＭＩＭＯ局の不在を識別する第２のインジケータを識別することと、送信フレームの第２のコンテンツチャネル中で、ＷＬＡＮシグナリングフィールドの第２の共通部分を生成すること、ここにおいて、第２の共通部分は第２のインジケータを含む、と、ＷＬＡＮシグナリングフィールドを含む送信フレームを送信することと、を行わせるように動作可能であり得る。
【０００９】
[0009]ワイヤレス通信のための非一時的コンピュータ可読媒体が説明される。本非一時的コンピュータ可読媒体は、プロセッサに、送信フレームの第１のコンテンツチャネル中の第１のＲＵに関連付けられたＭＵ−ＭＩＭＯ局の数を識別する第１のインジケータを識別することと、送信フレームの第１のコンテンツチャネル中で、ＷＬＡＮシグナリングフィールドの第１の共通部分を生成すること、ここにおいて、第１の共通部分は第１のインジケータを含む、と、送信フレームの第２のコンテンツチャネル中の第２のＲＵに関連付けられたＭＵ−ＭＩＭＯ局の不在を識別する第２のインジケータを識別することと、送信フレームの第２のコンテンツチャネル中で、ＷＬＡＮシグナリングフィールドの第２の共通部分を生成すること、ここにおいて、第２の共通部分は第２のインジケータを含む、と、ＷＬＡＮシグナリングフィールドを含む送信フレームを送信することとを行わせるように動作可能な命令を含み得る。
【００１０】
[0010]上記で説明された方法、装置、および非一時的コンピュータ可読媒体のいくつかの例では、第１の共通部分は第１の共通ブロックフィールドを備え、第２の共通部分はＷＬＡＮシグナリングフィールドの第２の共通ブロックフィールドを備える。
【００１１】
[0011]上記で説明された方法、装置、および非一時的コンピュータ可読媒体のいくつかの例では、ＷＬＡＮシグナリングフィールドはＨＥシグナリングＢ（ＨＥ−ＳＩＧ−Ｂ）フィールドを備える。
【００１２】
[0012]ワイヤレス通信の方法が説明される。本方法は、第１の局において、複数の局によって復号可能なＷＬＡＮシグナリングフィールドを含む送信フレームを受信することと、ＷＬＡＮシグナリングフィールドの局固有部分中で、複数の局に関連付けられた複数の局固有情報ブロックのための順序を識別することと、複数の局固有情報ブロックのための識別された順序に少なくとも部分的に基づいて、第１の局に割り振られた空間ストリームの数を決定することとを含み得る。
【００１３】
[0013]ワイヤレス通信のための装置が説明される。本装置は、第１の局において、複数の局によって復号可能なＷＬＡＮシグナリングフィールドを含む送信フレームを受信するための手段と、ＷＬＡＮシグナリングフィールドの局固有部分中で、複数の局に関連付けられた複数の局固有情報ブロックのための順序を識別するための手段と、複数の局固有情報ブロックのための識別された順序に少なくとも部分的に基づいて、第１の局に割り振られた空間ストリームの数を決定するための手段とを含み得る。
【００１４】
[0014]ワイヤレス通信のための別の装置が説明される。本装置は、プロセッサと、プロセッサと電子通信しているメモリと、メモリに記憶された命令とを含み得る。命令は、プロセッサに、第１の局において、複数の局によって復号可能なＷＬＡＮシグナリングフィールドを含む送信フレームを受信することと、ＷＬＡＮシグナリングフィールドの局固有部分中で、複数の局に関連付けられた複数の局固有情報ブロックのための順序を識別することと、複数の局固有情報ブロックのための識別された順序に少なくとも部分的に基づいて、第１の局に割り振られた空間ストリームの数を決定することとを行わせるように動作可能であり得る。
【００１５】
[0015]ワイヤレス通信のための非一時的コンピュータ可読媒体が説明される。本非一時的コンピュータ可読媒体は、プロセッサに、第１の局において、複数の局によって復号可能なＷＬＡＮシグナリングフィールドを含む送信フレームを受信することと、ＷＬＡＮシグナリングフィールドの局固有部分中で、複数の局に関連付けられた複数の局固有情報ブロックのための順序を識別することと、複数の局固有情報ブロックのための識別された順序に少なくとも部分的に基づいて、第１の局に割り振られた空間ストリームの数を決定することとを行わせるように動作可能な命令を含み得る。
【００１６】
[0016]上記で説明された方法、装置、および非一時的コンピュータ可読媒体のいくつかの例は、局固有部分中で、第１の局に関連付けられた識別子を識別するためのプロセス、特徴、手段、または命令をさらに含み得、ここにおいて、識別された順序は、第１の局に関連付けられた識別子に少なくとも部分的に基づき得る。
【００１７】
[0017]上記で説明された方法、装置、および非一時的コンピュータ可読媒体のいくつかの例は、ＷＬＡＮシグナリングフィールドの共通部分中で、複数の局に関連付けられた局の数を識別するためのプロセス、特徴、手段、または命令をさらに含み得る。上記で説明された方法、装置、および非一時的コンピュータ可読媒体のいくつかの例は、送信フレームのＷＬＡＮシグナリングフィールドの局固有部分中で、複数の局に関連付けられた空間ストリームの総数値（a total number of spatial streams value）を識別するためのプロセス、特徴、手段、または命令をさらに含み得、ここにおいて、第１の局に割り振られた空間ストリームの決定された数は、空間ストリームの総数値に少なくとも部分的に基づき得る。
【００１８】
[0018]上記で説明された方法、装置、および非一時的コンピュータ可読媒体のいくつかの例では、共通部分はＷＬＡＮシグナリングフィールドの共通ブロックフィールドを備える。
【００１９】
[0019]上記で説明された方法、装置、および非一時的コンピュータ可読媒体のいくつかの例は、局固有部分中で、複数の局の少なくとも一部分の各局に割り振られた空間ストリームの数と、空間ストリームの総数とを示す空間構成フィールドを識別するためのプロセス、特徴、手段、または命令をさらに含み得、ここにおいて、第１の局に割り振られた空間ストリームの決定された数は、空間構成フィールドに少なくとも部分的に基づき得る。
【００２０】
[0020]上記で説明された方法、装置、および非一時的コンピュータ可読媒体のいくつかの例では、空間ストリームの総数はＭＵ−ＭＩＭＯ割振りに関連付けられ得る。
【００２１】
[0021]上記で説明された方法、装置、および非一時的コンピュータ可読媒体のいくつかの例では、ＷＬＡＮシグナリングフィールドはＨＥ−ＳＩＧ−Ｂフィールドを備える。
【００２２】
[0022]ワイヤレス通信の方法が説明される。本方法は、複数のチャネルに関連付けられた送信フレームを受信すること、送信フレームはＷＬＡＮシグナリングフィールドを含む、と、複数のチャネルのうちの第１のチャネルについてＷＬＡＮシグナリングフィールドに関連付けられた局の第１の数を識別することと、複数のチャネルのうちの第２のチャネルについてＷＬＡＮシグナリングフィールドに関連付けられた局の第２の数を識別することと、局の識別された第１の数と局の識別された第２の数とに少なくとも部分的に基づいて、送信フレームのデータ部分がＭＵ−ＭＩＭＯコンテンツを含んでいるかどうかを決定することとを含み得る。
【００２３】
[0023]ワイヤレス通信のための装置が説明される。本装置は、複数のチャネルに関連付けられた送信フレームを受信するための手段、送信フレームはＷＬＡＮシグナリングフィールドを含む、と、複数のチャネルのうちの第１のチャネルについてＷＬＡＮシグナリングフィールドに関連付けられた局の第１の数を識別するための手段と、複数のチャネルのうちの第２のチャネルについてＷＬＡＮシグナリングフィールドに関連付けられた局の第２の数を識別するための手段と、局の識別された第１の数と局の識別された第２の数とに少なくとも部分的に基づいて、送信フレームのデータ部分がＭＵ−ＭＩＭＯコンテンツを含んでいるかどうかを決定するための手段とを含み得る。
【００２４】
[0024]ワイヤレス通信のための別の装置が説明される。本装置は、プロセッサと、プロセッサと電子通信しているメモリと、メモリに記憶された命令とを含み得る。命令は、プロセッサに、複数のチャネルに関連付けられた送信フレームを受信すること、送信フレームはＷＬＡＮシグナリングフィールドを含む、と、複数のチャネルのうちの第１のチャネルについてＷＬＡＮシグナリングフィールドに関連付けられた局の第１の数を識別することと、複数のチャネルのうちの第２のチャネルについてＷＬＡＮシグナリングフィールドに関連付けられた局の第２の数を識別することと、局の識別された第１の数と局の識別された第２の数とに少なくとも部分的に基づいて、送信フレームのデータ部分がＭＵ−ＭＩＭＯコンテンツを含んでいるかどうかを決定することとを行わせるように動作可能であり得る。
【００２５】
[0025]ワイヤレス通信のための非一時的コンピュータ可読媒体が説明される。本非一時的コンピュータ可読媒体は、プロセッサに、複数のチャネルに関連付けられた送信フレームを受信すること、送信フレームはＷＬＡＮシグナリングフィールドを含む、と、複数のチャネルのうちの第１のチャネルについてＷＬＡＮシグナリングフィールドに関連付けられた局の第１の数を識別することと、複数のチャネルのうちの第２のチャネルについてＷＬＡＮシグナリングフィールドに関連付けられた局の第２の数を識別することと、局の識別された第１の数と局の識別された第２の数とに少なくとも部分的に基づいて、送信フレームのデータ部分がＭＵ−ＭＩＭＯコンテンツを含んでいるかどうかを決定することとを行わせるように動作可能な命令を含み得る。
【００２６】
[0026]上記で説明された方法、装置、および非一時的コンピュータ可読媒体のいくつかの例は、局の第１の数と局の第２の数との組合せが１よりも大きくなり得ると決定するためのプロセス、特徴、手段、または命令をさらに含み得る。上記で説明された方法、装置、および非一時的コンピュータ可読媒体のいくつかの例は、送信フレームのデータ部分がＭＵ−ＭＩＭＯコンテンツを含んでいると決定するためのプロセス、特徴、手段、または命令をさらに含み得る。
【００２７】
[0027]上記で説明された方法、装置、および非一時的コンピュータ可読媒体のいくつかの例は、局の第１の数と局の第２の数との組合せが１に等しくなり得ると決定するためのプロセス、特徴、手段、または命令をさらに含み得る。上記で説明された方法、装置、および非一時的コンピュータ可読媒体のいくつかの例は、送信フレームのデータ部分がシングルユーザ（ＳＵ）コンテンツを含んでいると決定するためのプロセス、特徴、手段、または命令をさらに含み得る。
【００２８】
[0028]上記で説明された方法、装置、および非一時的コンピュータ可読媒体のいくつかの例では、ＷＬＡＮシグナリングフィールドはＨＥ−ＳＩＧ−Ｂフィールドを備える。
【００２９】
[0029]ワイヤレス通信の方法が説明される。本方法は、ＷＬＡＮにおいて送信フレームのために使用されるべきトーンプランを識別することと、当該送信フレームについての複数のユーザに対して（複数の）ＲＵを割り振ることと、当該トーンプランの１ＲＵが割り振られていないと決定することと、当該送信フレームについて、当該ＲＵが割り振られていないことを示す局識別情報をＷＬＡＮシグナリングフィールドのユーザ固有部分中に生成することとを含み得る。
【００３０】
[0030]ワイヤレス通信のための装置が説明される。本装置は、ＷＬＡＮにおいて送信フレームのために使用されるべきトーンプランを識別するための手段と、当該送信フレームについて複数のユーザに対して（複数の）ＲＵを割り振るための手段と、当該トーンプランの１ＲＵが割り振られていないと決定するための手段と、当該送信フレームについて、当該ＲＵが割り振られていないことを示す局識別情報をＷＬＡＮシグナリングフィールドのユーザ固有部分中に生成するための手段とを含み得る。
【００３１】
[0031]ワイヤレス通信のための別の装置が説明される。本装置は、プロセッサと、プロセッサと電子通信しているメモリと、メモリに記憶された命令とを含み得る。命令は、プロセッサに、ＷＬＡＮにおいて送信フレームのために使用されるべきトーンプランを識別することと、当該送信フレームについて複数のユーザに対して（複数の）ＲＵを割り振ることと、当該トーンプランの１ＲＵが割り振られていないと決定することと、当該送信フレームについて、当該ＲＵが割り振られていないことを示す局識別情報をＷＬＡＮシグナリングフィールドのユーザ固有部分中に生成することとを行わせるように動作可能であり得る。
【００３２】
[0032]ワイヤレス通信のための非一時的コンピュータ可読媒体が説明される。本非一時的コンピュータ可読媒体は、プロセッサに、ＷＬＡＮにおいて送信フレームのために使用されるべきトーンプランを識別することと、当該送信フレームについて複数のユーザに対して（複数ｎ）ＲＵを割り振ることと、当該トーンプランの１ＲＵが割り振られていないと決定することと、当該送信フレームについて、当該ＲＵが割り振られていないことを示す局識別情報をＷＬＡＮシグナリングフィールドのユーザ固有部分中に生成することとを行わせるように動作可能な命令を含み得る。
【００３３】
[0033]上記で説明された方法、装置、および非一時的コンピュータ可読媒体のいくつかの例は、ＲＵが割り振られていないことを示す局識別情報のための所定のビットシーケンスを生成するためのプロセス、特徴、手段、または命令をさらに含み得る。
【００３４】
[0034]上記で説明された方法、装置、および非一時的コンピュータ可読媒体のいくつかの例では、ＷＬＡＮシグナリングフィールドはＨＥ−ＳＩＧ−Ｂフィールドを備える。
【００３５】
[0035]ワイヤレス通信の方法が説明される。本方法は、送信フレームに関連付けられた第１のコンテンツチャネルを受信すること、第１のコンテンツチャネルはワイヤレスローカルエリアネットワーク（ＷＬＡＮ）シグナリングフィールドを含む、と、ＷＬＡＮシグナリングフィールド中の指示に少なくとも部分的に基づいて、第１のコンテンツチャネルに関連付けられたユーザの第１の数と、送信フレームの第２のコンテンツチャネルに関連付けられたユーザの第２の数とを識別することとを含み得る。
【００３６】
[0036]ワイヤレス通信のための装置が説明される。本装置は、送信フレームに関連付けられた第１のコンテンツチャネルを受信するための手段、第１のコンテンツチャネルはＷＬＡＮシグナリングフィールドを含む、と、ＷＬＡＮシグナリングフィールド中の指示に少なくとも部分的に基づいて、第１のコンテンツチャネルに関連付けられたユーザの第１の数と、送信フレームの第２のコンテンツチャネルに関連付けられたユーザの第２の数とを識別するための手段とを含み得る。
【００３７】
[0037]ワイヤレス通信のための別の装置が説明される。本装置は、プロセッサと、プロセッサと電子通信しているメモリと、メモリに記憶された命令とを含み得る。命令は、プロセッサに、送信フレームに関連付けられた第１のコンテンツチャネルを受信すること、第１のコンテンツチャネルはＷＬＡＮシグナリングフィールドを含む、と、ＷＬＡＮシグナリングフィールド中の指示に少なくとも部分的に基づいて、第１のコンテンツチャネルに関連付けられたユーザの第１の数と、送信フレームの第２のコンテンツチャネルに関連付けられたユーザの第２の数とを識別することとを行わせるように動作可能であり得る。
【００３８】
[0038]ワイヤレス通信のための非一時的コンピュータ可読媒体が説明される。本非一時的コンピュータ可読媒体は、プロセッサに、送信フレームに関連付けられた第１のコンテンツチャネルを受信すること、第１のコンテンツチャネルはＷＬＡＮシグナリングフィールドを含む、と、ＷＬＡＮシグナリングフィールド中の指示に少なくとも部分的に基づいて、第１のコンテンツチャネルに関連付けられたユーザの第１の数と、送信フレームの第２のコンテンツチャネルに関連付けられたユーザの第２の数とを識別することとを行わせるように動作可能な命令を含み得る。
【００３９】
[0039]上記で説明された方法、装置、および非一時的コンピュータ可読媒体のいくつかの例は、ユーザの第１の数を識別するために、第１のチャネルについてＷＬＡＮシグナリングフィールドの共通ブロックフィールドを復号するためのプロセス、特徴、手段、または命令をさらに含み得る。上記で説明された方法、装置、および非一時的コンピュータ可読媒体のいくつかの例は、ユーザの第２の数を識別するために、第２のチャネルについてＷＬＡＮシグナリングフィールドの共通ブロックフィールドを復号するためのプロセス、特徴、手段、または命令をさらに含み得る。
【００４０】
[0040]上記で説明された方法、装置、および非一時的コンピュータ可読媒体のいくつかの例では、共通ブロックフィールドはＲＵ割振りフィールドを備える。
【００４１】
[0041]上記で説明された方法、装置、および非一時的コンピュータ可読媒体のいくつかの例では、ＷＬＡＮシグナリングフィールドはＨＥ−ＳＩＧ−Ｂフィールドを備える。
【００４２】
[0042]ワイヤレス通信の方法が説明される。本方法は、送信フレームの第１のコンテンツチャネル中の第１のＲＵに関連付けられたＭＵ−ＭＩＭＯ局の数を識別する第１のインジケータを識別することと、送信フレームの第１のコンテンツチャネル中で、ＷＬＡＮシグナリングフィールドの第１の共通部分を生成すること、ここにおいて、第１の共通部分は第１のインジケータを含む、と、送信フレームの第２のコンテンツチャネル中の第２のＲＵに関連付けられたＭＵ−ＭＩＭＯ局の不在を識別する第２のインジケータを識別することと、送信フレームの第２のコンテンツチャネル中で、ＷＬＡＮシグナリングフィールドの第２の共通部分を生成すること、ここにおいて、第２の共通部分は第２のインジケータを含む、と、ＷＬＡＮシグナリングフィールドを含む送信フレームを送信することとを含み得る。
【００４３】
[0043]ワイヤレス通信のための装置が説明される。本装置は、送信フレームの第１のコンテンツチャネル中の第１のＲＵに関連付けられたＭＵ−ＭＩＭＯ局の数を識別する第１のインジケータを識別するための手段と、送信フレームの第１のコンテンツチャネル中で、ＷＬＡＮシグナリングフィールドの第１の共通部分を生成するための手段、ここにおいて、第１の共通部分は第１のインジケータを含む、と、送信フレームの第２のコンテンツチャネル中の第２のＲＵに関連付けられたＭＵ−ＭＩＭＯ局の不在を識別する第２のインジケータを識別するための手段と、送信フレームの第２のコンテンツチャネル中で、ＷＬＡＮシグナリングフィールドの第２の共通部分を生成するための手段、ここにおいて、第２の共通部分は第２のインジケータを含む、と、ＷＬＡＮシグナリングフィールドを含む送信フレームを送信するための手段とを含み得る。
【００４４】
[0044]ワイヤレス通信のための別の装置が説明される。本装置は、プロセッサと、プロセッサと電子通信しているメモリと、メモリに記憶された命令とを含み得る。命令は、プロセッサに、送信フレームの第１のコンテンツチャネル中の第１のＲＵに関連付けられたＭＵ−ＭＩＭＯ局の数を識別する第１のインジケータを識別することと、送信フレームの第１のコンテンツチャネル中で、ＷＬＡＮシグナリングフィールドの第１の共通部分を生成すること、ここにおいて、第１の共通部分は第１のインジケータを含む、と、送信フレームの第２のコンテンツチャネル中の第２のＲＵに関連付けられたＭＵ−ＭＩＭＯ局の不在を識別する第２のインジケータを識別することと、送信フレームの第２のコンテンツチャネル中で、ＷＬＡＮシグナリングフィールドの第２の共通部分を生成すること、ここにおいて、第２の共通部分は第２のインジケータを含む、と、ＷＬＡＮシグナリングフィールドを含む送信フレームを送信することとを行わせるように動作可能であり得る。
【００４５】
[0045]ワイヤレス通信のための非一時的コンピュータ可読媒体が説明される。本非一時的コンピュータ可読媒体は、プロセッサに、送信フレームの第１のコンテンツチャネル中の第１のＲＵに関連付けられたＭＵ−ＭＩＭＯ局の数を識別する第１のインジケータを識別することと、送信フレームの第１のコンテンツチャネル中で、ＷＬＡＮシグナリングフィールドの第１の共通部分を生成すること、ここにおいて、第１の共通部分は第１のインジケータを含む、と、送信フレームの第２のコンテンツチャネル中の第２のＲＵに関連付けられたＭＵ−ＭＩＭＯ局の不在を識別する第２のインジケータを識別することと、送信フレームの第２のコンテンツチャネル中で、ＷＬＡＮシグナリングフィールドの第２の共通部分を生成すること、ここにおいて、第２の共通部分は第２のインジケータを含む、と、ＷＬＡＮシグナリングフィールドを含む送信フレームを送信することとを行わせるように動作可能な命令を含み得る。
【００４６】
[0046]上記で説明された方法、装置、および非一時的コンピュータ可読媒体のいくつかの例では、第１の共通部分は第１の共通ブロックフィールドを備え、第２の共通部分はＷＬＡＮシグナリングフィールドの第２の共通ブロックフィールドを備える。上記で説明された方法、装置、および非一時的コンピュータ可読媒体のいくつかの例では、ＷＬＡＮシグナリングフィールドはＨＥ−ＳＩＧ−Ｂフィールドを備える。
【００４７】
[0047]上記で説明された方法、装置、および非一時的コンピュータ可読媒体のいくつかの例は、送信フレームについてのトーンプランを識別するためのプロセス、特徴、手段、または命令をさらに含み得る。上記で説明された方法、装置、および非一時的コンピュータ可読媒体のいくつかの例は、送信フレームについて複数のユーザに対してＲＵを割り振るためのプロセス、特徴、手段、または命令をさらに含み得る。上記で説明された方法、装置、および非一時的コンピュータ可読媒体のいくつかの例は、トーンプランのＲＵが割り振られていないことがあると決定するためのプロセス、特徴、手段、または命令をさらに含み得る。上記で説明された方法、装置、および非一時的コンピュータ可読媒体のいくつかの例は、送信フレームについて、ＲＵが割り振られていないことがあることを示す局識別情報をＷＬＡＮシグナリングフィールドのユーザ固有部分中で生成するためのプロセス、特徴、手段、または命令をさらに含み得る。
【００４８】
[0048]上記で説明された方法、装置、および非一時的コンピュータ可読媒体のいくつかの例は、ＲＵが割り振られていないことがあることを示す局識別情報のための所定のビットシーケンスを生成するためのプロセス、特徴、手段、または命令をさらに含み得る。
【００４９】
[0049]上記で説明された方法、装置、および非一時的コンピュータ可読媒体のいくつかの例は、第１のインジケータの指示を伝達するために、ＷＬＡＮシグナリングフィールドの第１の共通部分中で第１のＲＵ割振りフィールドを生成するためのプロセス、特徴、手段、または命令をさらに含み得る。上記で説明された方法、装置、および非一時的コンピュータ可読媒体のいくつかの例は、第２のインジケータの指示を伝達するために、ＷＬＡＮシグナリングフィールドの第１の共通部分中で第２のＲＵ割振りフィールドを生成するためのプロセス、特徴、手段、または命令をさらに含み得る。
【００５０】
[0050]ワイヤレス通信の方法が説明される。本方法は、複数のチャネルに関連付けられた送信フレームを受信すること、送信フレームはワイヤレスローカルエリアネットワーク（ＷＬＡＮ）シグナリングフィールドを含む、と、複数のチャネルのうちの第１のチャネルについてＷＬＡＮシグナリングフィールドに関連付けられた局の第１の数を識別することと、複数のチャネルのうちの第２のチャネルについてＷＬＡＮシグナリングフィールドに関連付けられた局の第２の数を識別することと、局の識別された第１の数と局の識別された第２の数とに少なくとも部分的に基づいて、送信フレームのデータ部分がＭＵ−ＭＩＭＯコンテンツを含んでいるかどうかを決定することと、を含み得る。
【００５１】
[0051]ワイヤレス通信のための別の装置が説明される。本装置は、プロセッサと、プロセッサと電子通信しているメモリと、メモリに記憶された命令とを含み得る。命令は、プロセッサに、複数のチャネルに関連付けられた送信フレームを受信すること、送信フレームはＷＬＡＮシグナリングフィールドを含む、と、複数のチャネルのうちの第１のチャネルについてＷＬＡＮシグナリングフィールドに関連付けられた局の第１の数を識別することと、複数のチャネルのうちの第２のチャネルについてＷＬＡＮシグナリングフィールドに関連付けられた局の第２の数を識別することと、局の識別された第１の数と局の識別された第２の数とに少なくとも部分的に基づいて、送信フレームのデータ部分がＭＵ−ＭＩＭＯコンテンツを含んでいるかどうかを決定することと、を行わせるように動作可能であり得る。
【００５２】
[0052]上記で説明された方法および装置のいくつかの例は、局の第１の数と局の第２の数との組合せが１よりも大きくなり得ると決定するためのプロセス、特徴、手段、または命令をさらに含み得る。上記で説明された方法および装置のいくつかの例は、送信フレームのデータ部分がＭＵ−ＭＩＭＯコンテンツを含んでいると決定するためのプロセス、特徴、手段、または命令をさらに含み得る。
【００５３】
[0053]上記で説明された方法および装置のいくつかの例は、局の第１の数と局の第２の数との組合せが１に等しくなり得ると決定するためのプロセス、特徴、手段、または命令をさらに含み得る。上記で説明された方法および装置のいくつかの例は、送信フレームのデータ部分がシングルユーザ（ＳＵ）コンテンツを含んでいると決定するためのプロセス、特徴、手段、または命令をさらに含み得る。
【００５４】
[0054]上記で説明された方法および装置のいくつかの例では、ＷＬＡＮシグナリングフィールドはＨＥ−ＳＩＧ−Ｂフィールドを備える。
【００５５】
[0055]上記で説明された方法および装置のいくつかの例は、送信フレームに関連付けられた第１のコンテンツチャネルを受信するためのプロセス、特徴、手段、または命令をさらに含み得、第１のコンテンツチャネルはＷＬＡＮシグナリングフィールドを含む。上記で説明された方法および装置のいくつかの例は、ＷＬＡＮシグナリングフィールド中の指示に少なくとも部分的に基づいて、第１のコンテンツチャネルに関連付けられたユーザの第１の数と、送信フレームの第２のコンテンツチャネルに関連付けられたユーザの第２の数とを識別するためのプロセス、特徴、手段、または命令をさらに含み得る。
【００５６】
[0056]上記で説明された方法および装置のいくつかの例は、ユーザの第１の数を識別するために、第１のチャネルについてＷＬＡＮシグナリングフィールドの共通ブロックフィールドを復号するためのプロセス、特徴、手段、または命令をさらに含み得る。上記で説明された方法および装置のいくつかの例は、ユーザの第２の数を識別するために、第２のチャネルについてＷＬＡＮシグナリングフィールドの共通ブロックフィールドを復号するためのプロセス、特徴、手段、または命令をさらに含み得る。
【００５７】
[0057]上記で説明された方法および装置のいくつかの例では、共通ブロックフィールドはＲＵ割振りフィールドを備える。
【００５８】
[0058]ワイヤレス通信の方法が説明される。本方法は、送信フレームに関連付けられた複数のチャネルのうちの第１のチャネルがパンクチャされたという指示を生成すること、送信フレームはＷＬＡＮシグナリングフィールドを含む、と、パンクチャされた第１のチャネルに対応するＷＬＡＮシグナリングフィールドに関連付けられた情報を識別することと、複数のチャネルのうちの第２のチャネル中で、ＷＬＡＮシグナリングフィールドに関連付けられた情報を送信することと、第２のチャネル中でまたは送信フレームの第２のＷＬＡＮシグナリングフィールド中で、第１のチャネルがパンクチャされたという指示を送信することとを含み得る。
【００５９】
[0059]ワイヤレス通信のための装置が説明される。本装置は、送信フレームに関連付けられた複数のチャネルのうちの第１のチャネルがパンクチャされたという指示を生成するための手段、送信フレームはＷＬＡＮシグナリングフィールドを含む、と、パンクチャされた第１のチャネルに対応するＷＬＡＮシグナリングフィールドに関連付けられた情報を識別するための手段と、複数のチャネルのうちの第２のチャネル中で、ＷＬＡＮシグナリングフィールドに関連付けられた情報を送信するための手段と、第２のチャネル中でまたは送信フレームの第２のＷＬＡＮシグナリングフィールド中で、第１のチャネルがパンクチャされたという指示を送信するための手段とを含み得る。
【００６０】
[0060]ワイヤレス通信のための別の装置が説明される。本装置は、プロセッサと、プロセッサと電子通信しているメモリと、メモリに記憶された命令とを含み得る。命令は、プロセッサに、送信フレームに関連付けられた複数のチャネルのうちの第１のチャネルがパンクチャされたという指示を生成すること、送信フレームはＷＬＡＮシグナリングフィールドを含む、と、パンクチャされた第１のチャネルに対応するＷＬＡＮシグナリングフィールドに関連付けられた情報を識別することと、複数のチャネルのうちの第２のチャネル中で、ＷＬＡＮシグナリングフィールドに関連付けられた情報を送信することと、第２のチャネル中でまたは送信フレームの第２のＷＬＡＮシグナリングフィールド中で、第１のチャネルがパンクチャされたという指示を送信することとを行わせるように動作可能であり得る。
【００６１】
[0061]ワイヤレス通信のための非一時的コンピュータ可読媒体が説明される。本非一時的コンピュータ可読媒体は、プロセッサに、送信フレームに関連付けられた複数のチャネルのうちの第１のチャネルがパンクチャされたという指示を生成すること、送信フレームはＷＬＡＮシグナリングフィールドを含む、と、パンクチャされた第１のチャネルに対応するＷＬＡＮシグナリングフィールドに関連付けられた情報を識別することと、複数のチャネルのうちの第２のチャネル中で、ＷＬＡＮシグナリングフィールドに関連付けられた情報を送信することと、第２のチャネル中でまたは送信フレームの第２のＷＬＡＮシグナリングフィールド中で、第１のチャネルがパンクチャされたという指示を送信することとを行わせるように動作可能な命令を含み得る。
【００６２】
[0062]上記で説明された方法、装置、および非一時的コンピュータ可読媒体のいくつかの例では、送信フレームの第２のＷＬＡＮシグナリングフィールドは、送信フレームに関連付けられた帯域幅と複数のチャネル内の第２のチャネルのロケーションとの両方を示す帯域幅フィールドを備える。
【００６３】
[0063]上記で説明された方法、装置、および非一時的コンピュータ可読媒体のいくつかの例では、ＷＬＡＮシグナリングフィールドは、第１のチャネルまたは第２のチャネルの高効率シグナリングＡ（ＨＥ−ＳＩＧ−Ａ）フィールドを備え、第２のＷＬＡＮシグナリングフィールドは、第２のチャネルのＨＥ−ＳＩＧ−Ｂフィールドを備える。
【００６４】
[0064]上記で説明された方法、装置、および非一時的コンピュータ可読媒体のいくつかの例は、パンクチャされた第１のチャネルに少なくとも部分的に基づいて、送信フレームについてのリソースユニット（ＲＵ）割振りビットシーケンスを選択するためのプロセス、特徴、手段、または命令をさらに含み得る。上記で説明された方法、装置、および非一時的コンピュータ可読媒体のいくつかの例は、パンクチャされた第１のチャネルに対応するＷＬＡＮシグナリングフィールドに関連付けられた情報を伝達するために、ＲＵ割振りシーケンスを送信するためのプロセス、特徴、手段、または命令をさらに含み得る。
【００６５】
[0065]上記で説明された方法、装置、および非一時的コンピュータ可読媒体のいくつかの例では、ＲＵ割振りシーケンスは、送信フレームのＨＥ−ＳＩＧ−Ｂフィールド中で送信され得る。
【００６６】
[0066]上記で説明された方法、装置、および非一時的コンピュータ可読媒体のいくつかの例では、第１のチャネルは送信フレームの２次２０ＭＨｚチャネルを備え、送信フレームは８０ＭＨｚ帯域幅を有する。上記で説明された方法、装置、および非一時的コンピュータ可読媒体のいくつかの例では、指示は、４に設定された帯域幅サブフィールドを備える。
【００６７】
[0067]上記で説明された方法、装置、および非一時的コンピュータ可読媒体のいくつかの例では、第１のチャネルは送信フレームの４０ＭＨｚ２次チャネルの２０ＭＨｚサブチャネルを備え、送信フレームは８０ＭＨｚ帯域幅を有する。上記で説明された方法、装置、および非一時的コンピュータ可読媒体のいくつかの例では、指示は、５に設定された帯域幅サブフィールドを備える。
【００６８】
[0068]上記で説明された方法、装置、および非一時的コンピュータ可読媒体のいくつかの例では、第１のチャネルは送信フレームの８０ＭＨｚ１次チャネルの２０ＭＨｚサブチャネルを備え、送信フレームは１６０ＭＨｚの累積帯域幅を有する。上記で説明された方法、装置、および非一時的コンピュータ可読媒体のいくつかの例では、指示は、６に設定された帯域幅サブフィールドを備える。
【００６９】
[0069]上記で説明された方法、装置、および非一時的コンピュータ可読媒体のいくつかの例では、ＷＬＡＮシグナリングフィールドはＨＥ−ＳＩＧ−Ａフィールドを備える。
【００７０】
[0070]上記で説明された方法、装置、および非一時的コンピュータ可読媒体のいくつかの例では、指示は、ＨＥ−ＳＩＧ−Ａフィールドの帯域幅サブフィールドに関連付けられ得る。
【００７１】
[0071]上記で説明された方法、装置、および非一時的コンピュータ可読媒体のいくつかの例では、ＷＬＡＮシグナリングフィールドは高効率ＭＵ  ＰＰＤＵに関連付けられ得る。
【００７２】
[0072]上記で説明された方法、装置、および非一時的コンピュータ可読媒体のいくつかの例は、送信フレームに関連付けられた帯域幅を識別するためのプロセス、特徴、手段、または命令をさらに含み得る。上記で説明された方法、装置、および非一時的コンピュータ可読媒体のいくつかの例は、当該帯域幅内の１つまたは複数のコンテンツチャネルについてのロケーションを識別するためのプロセス、特徴、手段、または命令をさらに含み得る。上記で説明された方法、装置、および非一時的コンピュータ可読媒体のいくつかの例は、当該帯域幅と、送信フレームの当該帯域幅内の１つまたは複数のコンテンツチャネルについてのロケーションとの両方を示すＷＬＡＮシグナリングフィールドを含む送信フレームを送信するためのプロセス、特徴、手段、または命令をさらに含み得る。
【００７３】
[0073]ワイヤレス通信の方法が説明される。本方法は、第１の局において、複数の局によって復号可能なワイヤレスローカルエリアネットワーク（ＷＬＡＮ）シグナリングフィールドを含む送信フレームを受信することと、当該ＷＬＡＮシグナリングフィールドの局固有部分中で、複数の局に関連付けられた複数の局固有情報ブロックのための順序を識別することと、複数の局固有情報ブロックのための識別された順序に少なくとも部分的に基づいて、第１の局に割り振られた空間ストリームの数を決定することと、を含み得る。
【００７４】
[0074]ワイヤレス通信のための装置が説明される。本装置は、第１の局において、複数の局によって復号可能なＷＬＡＮシグナリングフィールドを含む送信フレームを受信するための手段と、ＷＬＡＮシグナリングフィールドの局固有部分中で、複数の局に関連付けられた複数の局固有情報ブロックのための順序を識別するための手段と、複数の局固有情報ブロックのための識別された順序に少なくとも部分的に基づいて、第１の局に割り振られた空間ストリームの数を決定するための手段とを含み得る。
【００７５】
[0075]ワイヤレス通信のための別の装置が説明される。本装置は、プロセッサと、プロセッサと電子通信しているメモリと、メモリに記憶された命令とを含み得る。命令は、プロセッサに、第１の局において、複数の局によって復号可能なＷＬＡＮシグナリングフィールドを含む送信フレームを受信することと、ＷＬＡＮシグナリングフィールドの局固有部分中で、複数の局に関連付けられた複数の局固有情報ブロックのための順序を識別することと、複数の局固有情報ブロックのための識別された順序に少なくとも部分的に基づいて、第１の局に割り振られた空間ストリームの数を決定することとを行わせるように動作可能であり得る。
【００７６】
[0076]ワイヤレス通信のための非一時的コンピュータ可読媒体が説明される。本非一時的コンピュータ可読媒体は、プロセッサに、第１の局において、複数の局によって復号可能なＷＬＡＮシグナリングフィールドを含む送信フレームを受信することと、ＷＬＡＮシグナリングフィールドの局固有部分中で、複数の局に関連付けられた複数の局固有情報ブロックのための順序を識別することと、複数の局固有情報ブロックのための識別された順序に少なくとも部分的に基づいて、第１の局に割り振られた空間ストリームの数を決定することとを行わせるように動作可能な命令を含み得る。
【００７７】
[0077]上記で説明された方法、装置、および非一時的コンピュータ可読媒体のいくつかの例は、局固有部分中で、第１の局に関連付けられた識別子を識別するためのプロセス、特徴、手段、または命令をさらに含み得、ここにおいて、識別された順序は、第１の局に関連付けられた識別子に少なくとも部分的に基づき得る。
【００７８】
[0078]上記で説明された方法、装置、および非一時的コンピュータ可読媒体のいくつかの例は、ＷＬＡＮシグナリングフィールドの共通部分中で、複数の局に関連付けられた局の数を識別するためのプロセス、特徴、手段、または命令をさらに含み得る。上記で説明された方法、装置、および非一時的コンピュータ可読媒体のいくつかの例は、送信フレームのＷＬＡＮシグナリングフィールドの局固有部分中で、複数の局に関連付けられた空間ストリームの総数値（a total number of spatial streams value）を識別するためのプロセス、特徴、手段、または命令をさらに含み得、ここにおいて、第１の局に割り振られた空間ストリームの決定された数は、空間ストリームの総数値に少なくとも部分的に基づき得る。
【００７９】
[0079]上記で説明された方法、装置、および非一時的コンピュータ可読媒体のいくつかの例では、共通部分はＷＬＡＮシグナリングフィールドの共通ブロックフィールドを備える。
【００８０】
[0080]上記で説明された方法、装置、および非一時的コンピュータ可読媒体のいくつかの例は、局固有部分中で、複数の局の少なくとも一部分の各局に割り振られた空間ストリームの数と、空間ストリームの総数とを示す空間構成フィールドを識別するためのプロセス、特徴、手段、または命令をさらに含み得、ここにおいて、第１の局に割り振られた空間ストリームの決定された数は、空間構成フィールドに少なくとも部分的に基づき得る。
【００８１】
[0081]上記で説明された方法、装置、および非一時的コンピュータ可読媒体のいくつかの例では、空間ストリームの総数はマルチユーザ多入力多出力（ＭＵ−ＭＩＭＯ）割振りに関連付けられ得る。
【００８２】
[0082]上記で説明された方法、装置、および非一時的コンピュータ可読媒体のいくつかの例では、ＷＬＡＮシグナリングフィールドは高効率シグナリングＢ（ＨＥ−ＳＩＧ−Ｂ）フィールドを備える。
【００８３】
[0083]ワイヤレス通信の方法が説明される。本方法は、送信フレームについての第１の局に割り振られる空間ストリームの数を選択すること、送信フレームは、複数の局によって復号可能であるＷＬＡＮシグナリングフィールドを備える、と、ＷＬＡＮシグナリングフィールドの局固有部分中で、複数の局に関連付けられた複数の局固有情報ブロックのための順序を構成すること、複数の局固有情報ブロックのための順序は、第１の局に割り振られた空間ストリームの数に少なくとも部分的に基づく、と、ＷＬＡＮシグナリングフィールドを備える送信フレームを送信することとを含み得る。
【００８４】
[0084]ワイヤレス通信のための装置が説明される。本装置は、送信フレームについての第１の局に割り振られる空間ストリームの数を選択するための手段、送信フレームは、複数の局によって復号可能であるＷＬＡＮシグナリングフィールドを備える、と、ＷＬＡＮシグナリングフィールドの局固有部分中で、複数の局に関連付けられた複数の局固有情報ブロックのための順序を構成するための手段、複数の局固有情報ブロックのための順序は、第１の局に割り振られた空間ストリームの数に少なくとも部分的に基づく、と、ＷＬＡＮシグナリングフィールドを備える送信フレームを送信するための手段とを含み得る。
【００８５】
[0085]ワイヤレス通信のための別の装置が説明される。本装置は、プロセッサと、プロセッサと電子通信しているメモリと、メモリに記憶された命令とを含み得る。命令は、プロセッサに、送信フレームについての第１の局に割り振られた空間ストリームの数を選択すること、送信フレームは、複数の局によって復号可能であるＷＬＡＮシグナリングフィールドを備える、と、ＷＬＡＮシグナリングフィールドの局固有部分中で、複数の局に関連付けられた複数の局固有情報ブロックのための順序を構成すること、複数の局固有情報ブロックのための順序は、第１の局に割り振られた空間ストリームの数に少なくとも部分的に基づく、と、ＷＬＡＮシグナリングフィールドを備える送信フレームを送信することとを行わせるように動作可能であり得る。
【００８６】
[0086]ワイヤレス通信のための非一時的コンピュータ可読媒体が説明される。本非一時的コンピュータ可読媒体は、プロセッサに、送信フレームについての第１の局に割り振られた空間ストリームの数を選択すること、送信フレームは、複数の局によって復号可能であるＷＬＡＮシグナリングフィールドを備える、と、ＷＬＡＮシグナリングフィールドの局固有部分中で、複数の局に関連付けられた複数の局固有情報ブロックのための順序を構成すること、複数の局固有情報ブロックのための順序は、第１の局に割り振られた空間ストリームの数に少なくとも部分的に基づく、と、ＷＬＡＮシグナリングフィールドを備える送信フレームを送信することとを行わせるように動作可能な命令を含み得る。
【００８７】
[0087]上記で説明された方法、装置、および非一時的コンピュータ可読媒体のいくつかの例は、局固有部分中で、第１の局に関連付けられた識別子を構成するためのプロセス、特徴、手段、または命令をさらに含み得、ここにおいて、順序は、第１の局に関連付けられた識別子に少なくとも部分的に基づき得る。
【００８８】
[0088]上記で説明された方法、装置、および非一時的コンピュータ可読媒体のいくつかの例は、ＷＬＡＮシグナリングフィールドの共通部分中で、複数の局に関連付けられた局の数を構成するためのプロセス、特徴、手段、または命令をさらに含み得る。上記で説明された方法、装置、および非一時的コンピュータ可読媒体のいくつかの例は、送信フレームのＷＬＡＮシグナリングフィールドの局固有部分中で、複数の局に関連付けられた空間ストリームの総数値を構成するためのプロセス、特徴、手段、または命令をさらに含み得、ここにおいて、第１の局に割り振られた空間ストリームの数は、空間ストリームの総数値に少なくとも部分的に基づき得る。
【００８９】
[0089]上記で説明された方法、装置、および非一時的コンピュータ可読媒体のいくつかの例では、共通部分はＷＬＡＮシグナリングフィールドの共通ブロックフィールドを備える。
【００９０】
[0090]上記で説明された方法、装置、および非一時的コンピュータ可読媒体のいくつかの例は、局固有部分中で、複数の局の少なくとも一部分の各局に割り振られた空間ストリームの数と、空間ストリームの総数とを示す空間構成フィールドを構成するためのプロセス、特徴、手段、または命令をさらに含み得、ここにおいて、第１の局に割り振られた空間ストリームの数は、空間構成フィールドに少なくとも部分的に基づき得る。
【００９１】
[0091]上記で説明された方法、装置、および非一時的コンピュータ可読媒体のいくつかの例では、空間ストリームの総数はＭＵ−ＭＩＭＯ割振りに関連付けられ得る。
【００９２】
[0092]上記で説明された方法、装置、および非一時的コンピュータ可読媒体のいくつかの例では、ＷＬＡＮシグナリングフィールドはＨＥ−ＳＩＧ−Ｂフィールドを備える。
【００９３】
[0093]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を修正または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明のみの目的で与えられるものであり、特許請求の範囲の制限の定義として与えられるものではない。
【００９４】
[0094]本発明の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれにも適用可能である。
【図面の簡単な説明】
【００９５】
【図１】[0095]本開示の様々な態様による、ＨＥ  ＷＬＡＮのためのプリアンブル設計態様をサポートするワイヤレス通信システムの一例を示す図。
【図２】[0096]本開示の様々な態様による、ＨＥ  ＷＬＡＮのためのＷＬＡＮプロトコルデータユニット（ＰＤＵ：protocol data unit）（たとえば、物理レイヤコンバージェンスＰＤＵ（ＰＰＤＵ））プリアンブル設計態様の一例を示す図。
【図３】[0097]本開示の様々な態様による、ＨＥ  ＷＬＡＮのためのプリアンブル設計態様のためのＷＬＡＮプロトコルデータユニットの態様の一例を示す図。
【図４Ａ】[0098]本開示の様々な態様による、ＨＥ  ＷＬＡＮのためのプリアンブル設計態様のためのＷＬＡＮプロトコルデータユニットの態様の例を示す図。
【図４Ｂ】本開示の様々な態様による、ＨＥ  ＷＬＡＮのためのプリアンブル設計態様のためのＷＬＡＮプロトコルデータユニットの態様の例を示す図。
【図４Ｃ】本開示の様々な態様による、ＨＥ  ＷＬＡＮのためのプリアンブル設計態様のためのＷＬＡＮプロトコルデータユニットの態様の例を示す図。
【図５】[0099]本開示の様々な態様による、ＨＥ  ＷＬＡＮのためのプリアンブル設計態様をサポートするためのＷＬＡＮプロトコルデータユニットの態様の一例を示す図。
【図６】[0100]本開示の様々な態様による、ＨＥ  ＷＬＡＮのためのプリアンブル設計態様をサポートするためのルックアップテーブルの一部分の態様の一例を示す図。
【図７】[0101]本開示の様々な態様による、ＨＥ  ＷＬＡＮのためのプリアンブル設計態様をサポートするための空間構成ルックアップテーブルの態様の一例を示す図。
【図８】[0102]本開示の様々な態様による、２つのＨＥ−ＳＩＧ−Ｂコンテンツチャネル間でスプリットされるユーザ固有サブフィールドの一例を示す図。
【図９Ａ】[0103]本開示の様々な態様による、ＨＥ  ＷＬＡＮのための例示的なプリアンブル設計態様のブロック図９００−ａ。
【図９Ｂ】本開示の様々な態様による、ＨＥ  ＷＬＡＮのための例示的なプリアンブル設計態様のブロック図９００−ｂ。
【図９Ｃ】本開示の様々な態様による、ＨＥ  ＷＬＡＮのための例示的なプリアンブル設計態様のブロック図９００−ｃ。
【図１０】[0104]本開示の様々な態様による、１次ＨＥ−ＳＩＧ−ＢコンテンツチャネルのためのＨＥ−ＳＩＧ−Ｂフィールドと２次ＨＥ−ＳＩＧ−ＢコンテンツチャネルのためのＨＥ−ＳＩＧ−Ｂフィールドとを示す図。
【図１１Ａ】[0105]本開示の様々な態様による、ＨＥ  ＷＬＡＮのためのプリアンブル設計態様をサポートするＨＥ−ＳＩＧ−Ｂ送信フォーマットを示す図。
【図１１Ｂ】本開示の様々な態様による、ＨＥ  ＷＬＡＮのためのプリアンブル設計態様をサポートするＨＥ−ＳＩＧ−Ｂ送信フォーマットを示す図。
【図１１Ｃ】[0106]本開示の様々な態様による、連続チャネルボンディングモードのためのチャネルの例を示す図。
【図１１Ｄ】本開示の様々な態様による、不連続チャネルボンディングモードのためのチャネルの例を示す図。
【図１２】[0107]本開示の様々な態様による、ＨＥ  ＷＬＡＮのためのプリアンブル設計態様をサポートするためのＲＵ割振りテーブルエントリを示す図。
【図１３Ａ】[0108]本開示の様々な態様による、ＨＥ  ＷＬＡＮのためのプリアンブル設計態様をサポートするための例示的なデバイスのブロック図。
【図１３Ｂ】本開示の様々な態様による、ＨＥ  ＷＬＡＮのためのプリアンブル設計態様をサポートするための例示的なデバイスのブロック図。
【図１４Ａ】[0109]本開示の様々な態様による、ＨＥ  ＷＬＡＮのためのプリアンブル設計態様をサポートするためのＨＥ  ＳＵ  ＰＰＤＵおよびＨＥ拡張範囲（HE extended range）ＳＵ  ＰＰＤＵのための第１のＨＥ−ＳＩＧ−Ａフィールドコンテンツを示す図。
【図１４Ｂ】本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのための第１のＨＥ−ＳＩＧ−Ａフィールドコンテンツを示す図。
【図１４Ｃ】本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのための第１のＨＥ−ＳＩＧ−Ａフィールドコンテンツを示す図。
【図１４Ｄ】本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのための第１のＨＥ−ＳＩＧ−Ａフィールドコンテンツを示す図。
【図１５Ａ】[0110]本開示の様々な態様による、ＨＥ  ＷＬＡＮのためのプリアンブル設計態様をサポートするためのＨＥ  ＭＵ  ＰＰＤＵのための第１のＨＥ−ＳＩＧ−Ａフィールドコンテンツを示す図。
【図１５Ｂ】本開示の様々な態様による、ＨＥ  ＷＬＡＮのためのプリアンブル設計態様をサポートするためのＨＥ  ＭＵ  ＰＰＤＵのための第１のＨＥ−ＳＩＧ−Ａフィールドコンテンツを示す図。
【図１５Ｃ】本開示の様々な態様による、ＨＥ  ＷＬＡＮのためのプリアンブル設計態様をサポートするためのＨＥ  ＭＵ  ＰＰＤＵのための第１のＨＥ−ＳＩＧ−Ａフィールドコンテンツを示す図。
【図１６Ａ】[0111]本開示の様々な態様による、ＨＥ  ＷＬＡＮのためのプリアンブル設計態様をサポートするためのＨＥトリガベースＰＰＤＵのための第１のＨＥ−ＳＩＧ−Ａフィールドコンテンツを示す図。
【図１６Ｂ】本開示の様々な態様による、ＨＥ  ＷＬＡＮのためのプリアンブル設計態様をサポートするためのＨＥトリガベースＰＰＤＵのための第１のＨＥ−ＳＩＧ−Ａフィールドコンテンツを示す図。
【図１７Ａ】[0112]本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのための第２のＨＥ−ＳＩＧ−Ａフィールドコンテンツを示す図。
【図１７Ｂ】本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのための第２のＨＥ−ＳＩＧ−Ａフィールドコンテンツを示す図。
【図１７Ｃ】本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのための第２のＨＥ−ＳＩＧ−Ａフィールドコンテンツを示す図。
【図１７Ｄ】本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのための第２のＨＥ−ＳＩＧ−Ａフィールドコンテンツを示す図。
【図１８Ａ】[0113]本開示の様々な態様による、ＨＥ  ＷＬＡＮのためのプリアンブル設計態様をサポートするためのＨＥ  ＭＵ  ＰＰＤＵのための第２のＨＥ−ＳＩＧ−Ａフィールドコンテンツを示す図。
【図１８Ｂ】本開示の様々な態様による、ＨＥ  ＷＬＡＮのためのプリアンブル設計態様をサポートするためのＨＥ  ＭＵ  ＰＰＤＵのための第２のＨＥ−ＳＩＧ−Ａフィールドコンテンツを示す図。
【図１８Ｃ】本開示の様々な態様による、ＨＥ  ＷＬＡＮのためのプリアンブル設計態様をサポートするためのＨＥ  ＭＵ  ＰＰＤＵのための第２のＨＥ−ＳＩＧ−Ａフィールドコンテンツを示す図。
【図１９Ａ】[0114]本開示の様々な態様による、ＨＥ  ＷＬＡＮのためのプリアンブル設計態様をサポートするためのＨＥトリガベースＰＰＤＵのための第２のＨＥ−ＳＩＧ−Ａフィールドコンテンツを示す図。
【図１９Ｂ】本開示の様々な態様による、ＨＥ  ＷＬＡＮのためのプリアンブル設計態様をサポートするためのＨＥトリガベースＰＰＤＵのための第２のＨＥ−ＳＩＧ−Ａフィールドコンテンツを示す図。
【図２０Ａ】[0115]本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのためのＨＥ−ＳＩＧ−Ａフィールドコンテンツを示す図。
【図２０Ｂ】本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのためのＨＥ−ＳＩＧ−Ａフィールドコンテンツを示す図。
【図２０Ｃ】本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのためのＨＥ−ＳＩＧ−Ａフィールドコンテンツを示す図。
【図２１Ａ】[0116]本開示の様々な態様による、ＨＥ  ＷＬＡＮのためのプリアンブル設計態様をサポートするためのＨＥ  ＭＵ  ＰＰＤＵのためのＨＥ−ＳＩＧ−Ａフィールドコンテンツを示す図。
【図２１Ｂ】本開示の様々な態様による、ＨＥ  ＷＬＡＮのためのプリアンブル設計態様をサポートするためのＨＥ  ＭＵ  ＰＰＤＵのためのＨＥ−ＳＩＧ−Ａフィールドコンテンツを示す図。
【図２１Ｃ】本開示の様々な態様による、ＨＥ  ＷＬＡＮのためのプリアンブル設計態様をサポートするためのＨＥ  ＭＵ  ＰＰＤＵのためのＨＥ−ＳＩＧ−Ａフィールドコンテンツを示す図。
【図２２Ａ】[0117]本開示の様々な態様による、ＨＥ  ＷＬＡＮのためのプリアンブル設計態様をサポートするためのＨＥトリガベースＰＰＤＵのためのＨＥ−ＳＩＧ−Ａフィールドコンテンツを示す図。
【図２２Ｂ】本開示の様々な態様による、ＨＥ  ＷＬＡＮのためのプリアンブル設計態様をサポートするためのＨＥトリガベースＰＰＤＵのためのＨＥ−ＳＩＧ−Ａフィールドコンテンツを示す図。
【図２３】[0118]本開示の態様による、ＨＥ  ＷＬＡＮのためのプリアンブル設計態様のための方法を示す図。
【図２４】本開示の態様による、ＨＥ  ＷＬＡＮのためのプリアンブル設計態様のための方法を示す図。
【図２５】本開示の態様による、ＨＥ  ＷＬＡＮのためのプリアンブル設計態様のための方法を示す図。
【図２６】本開示の態様による、ＨＥ  ＷＬＡＮのためのプリアンブル設計態様のための方法を示す図。
【図２７】本開示の態様による、ＨＥ  ＷＬＡＮのためのプリアンブル設計態様のための方法を示す図。
【図２８】本開示の態様による、ＨＥ  ＷＬＡＮのためのプリアンブル設計態様のための方法を示す図。
【図２９】本開示の態様による、ＨＥ  ＷＬＡＮのためのプリアンブル設計態様のための方法を示す図。
【図３０】本開示の態様による、ＨＥ  ＷＬＡＮのためのプリアンブル設計態様のための方法を示す図。
【発明を実施するための形態】
【００９６】
[0119]本開示の様々な態様によれば、送信機、たとえばＡＰまたは局が、固定帯域幅を有するシングルユーザ（ＳＵ）送信フレームのワイヤレスローカルエリアネットワーク（ＷＬＡＮ）データフィールドのためのリソースユニット（ＲＵ）構成を識別する。送信機は、ＳＵ送信フレームのプリアンブルのＷＬＡＮシグナリングフィールド中でＲＵインジケータを生成し、ＲＵインジケータはＷＬＡＮデータフィールド内のＲＵサイズおよびＲＵロケーションを識別する。送信機は、次いで、ＳＵ送信フレームを送信する。
【００９７】
[0120]本開示の様々な態様によれば、ＡＰが、送信フレームの第１のコンテンツチャネル中の第１のＲＵに関連付けられたマルチユーザ多入力多出力（ＭＵ−ＭＩＭＯ）局の数を識別する第１のインジケータを識別する。ＡＰはまた、送信フレームの第１のコンテンツチャネル中で、ＷＬＡＮシグナリングフィールドの第１の共通部分を生成し、ここにおいて、第１の共通部分は第１のインジケータを含む。ＡＰは、送信フレームの第２のコンテンツチャネル中の第２のＲＵに関連付けられたＭＵ−ＭＩＭＯ局の不在を識別する第２のインジケータを識別する。ＡＰは、送信フレームの第２のコンテンツチャネル中で、ＷＬＡＮシグナリングフィールドの第２の共通部分を生成し、ここにおいて、第２の共通部分は第２のインジケータを含む。ＡＰは、次いで、ＷＬＡＮシグナリングフィールドを含む送信フレームを送信する。
【００９８】
[0121]本開示の様々な態様によれば、第１の局が、複数の局によって復号可能なＷＬＡＮシグナリングフィールドを含む送信フレームを受信する。第１の局は、ＷＬＡＮシグナリングフィールドの局固有部分中で、複数の局に関連付けられた複数の局固有情報ブロックのための順序を識別する。局は、次いで、複数の局固有情報ブロックのための識別された順序に少なくとも部分的に基づいて、第１の局に割り振られた空間ストリームの数を決定する。
【００９９】
[0122]本開示の様々な態様によれば、送信機、たとえばＡＰまたは局が、複数のチャネルに関連付けられた送信フレームを受信し、送信フレームはＷＬＡＮシグナリングフィールドを含む。送信機は、複数のチャネルのうちの第１のチャネルについてＷＬＡＮシグナリングフィールドに関連付けられた局の第１の数を識別する。送信機は、複数のチャネルのうちの第２のチャネルについてＷＬＡＮシグナリングフィールドに関連付けられた局の第２の数を識別する。送信機は、次いで、局の識別された第１の数と局の識別された第２の数とに少なくとも部分的に基づいて、送信フレームのデータ部分がＭＵ−ＭＩＭＯコンテンツを含んでいるかどうかを決定する。
【０１００】
[0123]本開示の様々な態様によれば、送信機、たとえばＡＰまたは局が、送信フレームに関連付けられた複数のチャネルのうちの第１のチャネルがパンクチャされたという指示を生成し、送信フレームはＷＬＡＮシグナリングフィールドを含む。送信機は、パンクチャされた第１のチャネルに対応するＷＬＡＮシグナリングフィールドに関連付けられた情報を識別する。送信機は、次いで、複数のチャネルのうちの第２のチャネル中で、第１のチャネルがパンクチャされたという指示と、ＷＬＡＮシグナリングフィールドに関連付けられた情報とを送信する。
【０１０１】
[0124]本開示のこれらおよび他の態様は、さらに、装置図、システム図、およびフローチャートによって示され、それらを参照しながら説明される。
【０１０２】
[0125]図１は、本開示の様々な態様による、ＨＥ  ＷＬＡＮのためのプリアンブル設計態様をサポートするワイヤレス通信システム１００の一例を示す。簡単のために、ワイヤレス通信システム１００は、以下の説明ではＷＬＡＮ１００と呼ばれる。
【０１０３】
[0126]ＷＬＡＮ１００は、ＡＰ１０５と、ＳＴＡ＿１〜ＳＴＡ＿７として標示されたワイヤレス局（ＳＴＡ）１１０とを含む。ＳＴＡ１１０は、モバイルハンドセット、タブレットコンピュータ、携帯情報端末（ＰＤＡ）、他のハンドヘルドデバイス、ネットブック、ノートブックコンピュータ、タブレットコンピュータ、ラップトップ、デスクトップコンピュータ、ディスプレイデバイス（たとえば、ＴＶ、コンピュータモニタなど）、プリンタなどであり得る。ただ１つのＡＰ１０５が示されているが、ＷＬＡＮ１００は複数のＡＰ１０５を有することができる。ＳＴＡ１１０は、移動局（ＭＳ）、モバイルデバイス、アクセス端末（ＡＴ）、ユーザ機器（ＵＥ）、加入者局（ＳＳ）、または加入者ユニットと呼ばれることもある。ＳＴＡ１１０は、通信リンク１１５を介してＡＰ１０５に関連付け、それと通信する。各ＡＰ１０５は、そのエリア内のＳＴＡ１１０がＡＰ１０５の範囲内にあるようなカバレージエリア１２５を有する。ＳＴＡ１１０はカバレージエリア１２５全体にわたって分散される。各ＳＴＡ１１０は、固定、移動、またはそれらの組合せである。
【０１０４】
[0127]図１には示されていないが、ＳＴＡ１１０は、２つ以上のＡＰ１０５によってカバーされ得、したがって、異なる時間に複数のＡＰ１０５に関連付けることができる。単一のＡＰ１０５と、ＳＴＡ１１０の関連付けられたセットとは、基本サービスセット（ＢＳＳ：basic service set）と呼ばれる。拡張サービスセット（ＥＳＳ：extended service set）は、接続されたＢＳＳのセットである。拡張サービスセット中のＡＰ１０５を接続するために、配信システム（ＤＳ：distribution system）（図示せず）が使用される。ＡＰ１０５のためのカバレージエリア１２５は、カバレージエリアの一部分のみを構成するセクタに分割され得る（図示せず）。ＷＬＡＮ１００は、異なるサイズのカバレージエリア、および異なる技術のための重複するカバレージエリアをもつ、異なるタイプ（たとえば、メトロポリタンエリア、ホームネットワークなど）のＡＰ１０５を含む。図示されていないが、他のデバイスが、ＡＰ１０５と通信することができる。
【０１０５】
[0128]ＳＴＡ１１０は、通信リンク１１５を使用してＡＰ１０５を通して互いと通信することが可能であるが、ＳＴＡ１１０はまた、直接ワイヤレス通信リンク１２０を介して互いと直接通信することができる。ＳＴＡのうちのいずれかがＡＰ１０５に接続されるかどうかにかかわらず、ＳＴＡ１１０間に直接ワイヤレス通信リンクが生じることがある。直接ワイヤレス通信リンク１２０の例としては、Ｗｉ−Ｆｉ  Ｄｉｒｅｃｔ（登録商標）接続、Ｗｉ−Ｆｉトンネルドダイレクトリンクセットアップ（ＴＤＬＳ：Tunneled Direct Link Setup）リンクを使用することによって確立される接続、および他のピアツーピア（Ｐ２Ｐ）グループ接続がある。
【０１０６】
[0129]図１に示されているＳＴＡ１１０およびＡＰ１０５は、ＩＥＥＥ８０２．１１、および限定はしないが、８０２．１１ｂ、８０２．１１ｇ、８０２．１１ａ、８０２．１１ｎ、８０２．１１ａｃ、８０２．１１ａｄ、８０２．１１ａｈ、８０２．１１ｚ、８０２．１１ａｘなどを含むそれの様々なバージョンからの、物理（ＰＨＹ）レイヤおよび媒体アクセス制御（ＭＡＣ）レイヤを含むＷＬＡＮ無線およびベースバンドプロトコルに従って通信する。
【０１０７】
[0130]ＳＴＡ１１０およびＡＰ１０５への／からの送信は、しばしば、データ送信より前に送信されるヘッダ内の制御情報を含む。ヘッダ中で与えられる情報は、後続のデータを復号するためにデバイスによって使用される。高効率（ＨＥ）ＷＬＡＮプリアンブルが、シングルユーザ同時送信（たとえば、シングルユーザ直交周波数分割多元接続（ＳＵ−ＯＦＤＭＡ））および／またはＭＵ−ＭＩＭＯ送信（たとえば、多入力／多出力ＭＵ−ＭＩＭＯ）のために、ＳＴＡ１１０などの複数のデバイスをスケジュールするために使用され得る。一例では、複数の受信ＳＴＡ１１０にリソース割振りパターンをシグナリングするために、ＨＥ  ＷＬＡＮシグナリングフィールドが使用される。ＨＥ  ＷＬＡＮシグナリングフィールドは、複数のＳＴＡ１１０によって復号可能である共通ユーザフィールドを含み、共通ユーザフィールドはリソース割振りフィールドを含む。リソース割振りフィールドは、複数のＳＴＡ１１０へのリソースユニット分布を示し、リソースユニット分布中のどのリソースユニットがＭＵ−ＭＩＭＯ送信に対応するかと、どのリソースユニットがＯＦＤＭＡシングルユーザ送信に対応するかとを示す。ＨＥ  ＷＬＡＮシグナリングフィールドは、共通ユーザフィールドの後に、いくつかのＳＴＡ１１０に割り当てられる（複数の）専用ユーザフィールドをも含む。専用ユーザフィールドが生成される順序は、割り振られるリソースユニットに対応する（たとえば、第１の専用ユーザフィールドは、第１の割り振られるリソースユニットに対応する）。ＨＥ  ＷＬＡＮシグナリングフィールドは、ＷＬＡＮプリアンブルを用いて複数のＳＴＡ１１０に送信される。
【０１０８】
[0131]図２は、本開示の様々な態様による、ＨＥ  ＷＬＡＮのためのＷＬＡＮプロトコルデータユニット（ＰＤＵ）２００（たとえば、物理レイヤコンバージェンスＰＤＵ（ＰＰＤＵ））プリアンブル設計態様の一例を示す。ＷＬＡＮ  ＰＤＵ２００は、図１を参照しながら上記で説明されたように、ＳＴＡ１１０とＡＰ１０５との間の送信の態様を示す。
【０１０９】
[0132]この例では、ＷＬＡＮ  ＰＤＵ２００は、物理（ＰＨＹ）レイヤヘッダ２０５とデータフィールド２２０（たとえば、ＭＡＣ  ＰＤＵ（ＭＰＤＵ）または物理レイヤサービスデータユニット（ＰＳＤＵ））とを含む。ＰＨＹレイヤヘッダ２０５は、レガシーＷＬＡＮプリアンブル２１０と高効率ＷＬＡＮプリアンブル２１５とを含む。プリアンブルとデータフィールドとは、以下の順序、すなわち、レガシーＷＬＡＮプリアンブル２１０、高効率ＷＬＡＮプリアンブル２１５、データフィールド２２０で送信される。
【０１１０】
[0133]ＷＬＡＮ  ＰＤＵ２００は、いくつかの例では複数のサブバンドを含み得る、無線周波数スペクトル帯域を介して送信される。いくつかの例では、無線周波数スペクトル帯域は８０ＭＨｚの帯域幅を有し得、サブバンドの各々は２０ＭＨｚの帯域幅を有し得る。レガシーＷＬＡＮプリアンブル２１０は、レガシーショートトレーニングフィールド（ＳＴＦ）（Ｌ−ＳＴＦ）情報と、レガシーロングトレーニングフィールド（ＬＴＦ）（Ｌ−ＬＴＦ）情報と、レガシーシグナリング（Ｌ−ＳＩＧ）情報とを含む。無線周波数スペクトル帯域が複数のサブバンドを含むとき、Ｌ−ＳＴＦ、Ｌ−ＬＴＦ、およびＬ−ＳＩＧ情報は、複数のサブバンドの各々中で複製および送信される。レガシープリアンブルは、パケット検出、自動利得制御、チャネル推定などのために使用される。レガシープリアンブルは、レガシーデバイスとの互換性を維持するためにも使用される。
【０１１１】
[0134]高効率ＷＬＡＮプリアンブル２１５は、繰返しレガシーＷＬＡＮフィールド（たとえば、ＲＬ−ＳＩＧフィールド）、第１のＷＬＡＮシグナリングフィールド（たとえば、ＨＥ−ＳＩＧ−Ａなどの第１のＨＥ  ＷＬＡＮシグナリングフィールド）、第２のＷＬＡＮシグナリングフィールド（たとえば、ＨＥ−ＳＩＧ−Ｂなどの第２のＨＥ  ＷＬＡＮシグナリングフィールド）、ＷＬＡＮ  ＳＴＦ（たとえば、ＨＥ  ＷＬＡＮ  ＳＴＦ）、および少なくとも１つのＷＬＡＮ  ＬＴＦ（たとえば、少なくとも１つのＨＥ  ＷＬＡＮ  ＬＴＦ）のうちのいずれかを含む。ＨＥ  ＷＬＡＮプリアンブル２１５は、ＡＰが複数の局に同時に送信すること（たとえば、ＭＵ−ＭＩＭＯ）を可能にし、ＡＰがアップリンク／ダウンリンク送信のために複数の局にリソースを割り振ること（たとえば、ＳＵ−ＯＦＤＭＡ）をも可能にする。ＨＥ  ＷＬＡＮプリアンブル２１５は、リソースをスケジュールし、他のＷＬＡＮデバイスにそのスケジューリングを示すために、共通シグナリングフィールドと１つまたは複数の専用（たとえば、局固有）シグナリングフィールドとを使用する。デバイスは、データフィールド２２０によって利用される周波数スペクトルに関連付けられたどのリソースユニットが次の通信のためにデバイスに割り振られたかを決定するために、スケジューリングを使用する。
【０１１２】
[0135]図３は、本開示の様々な態様による、ＨＥ  ＷＬＡＮのためのプリアンブル設計態様のためのＷＬＡＮ  ＰＤＵ３００の態様の一例を示す。ＷＬＡＮ  ＰＤＵ３００は、図１〜図２を参照しながら上記で説明されたように、ＳＴＡ１１０とＡＰ１０５との間の送信の態様を示す。ＷＬＡＮ  ＰＤＵ３００は、第１のＷＬＡＮシグナリングフィールド３０５と、第２のＷＬＡＮシグナリングフィールド３１０と、高効率ＳＴＦ３１５と、高効率ＬＴＦ３２０と、データフィールド３２５とを含む。第１のＷＬＡＮシグナリングフィールド３０５は、複数のサブバンドにわたって繰り返されるＨＥ−ＳＩＧ−Ａ３３０を含む。データフィールド３２５は、異なるデバイスに割り振られるデータ部分３３５を含む。たとえば、データ部分３３５−ａは第１のデバイスに、データ部分３３５−ｂは第２のデバイスに、データ部分３３５−ｃはデバイスの第１のグループに、およびデータ部分３３５−ｄはデバイスの第２のグループに割り振られる。
【０１１３】
[0136]第１のＷＬＡＮシグナリングフィールド３０５は、ＷＬＡＮ  ＰＤＵ３００中で通信を受信または送信するために識別される、いくつかの数のＡＰまたは局以外のＡＰおよび局によって使用可能な高効率ＷＬＡＮシグナリング情報を含む。第１のＷＬＡＮシグナリングフィールド３０５は、第２のＷＬＡＮシグナリングフィールド３１０を復号するために、識別された数のＡＰまたは局によって使用可能な情報をも含む。無線周波数スペクトル帯域が複数のサブバンドを含むとき、第１のＷＬＡＮシグナリングフィールド３０５中に含まれる情報（たとえば、ＨＥ−ＳＩＧ−Ａ３３０−ａ）は、第１のＷＬＡＮシグナリングフィールド３０５の各サブバンド（たとえば、ＨＥ−ＳＩＧ−Ａ３３０−ｂ〜３３０−ｄ）中で複製および送信される。
【０１１４】
[0137]第２のＷＬＡＮシグナリングフィールド３１０は、ＷＬＡＮ  ＰＤＵ３００中で通信を送信または受信するために識別されたある数のＡＰまたは局によって使用可能な高効率ＷＬＡＮシグナリング情報を含む。より詳細には、第２のＷＬＡＮシグナリングフィールド３１０は、データフィールド２２０中のデータを送信／符号化または受信／復号するために上記数のＡＰまたは局によって使用可能な情報を含む。第２のＷＬＡＮシグナリングフィールド３１０は、第１のＷＬＡＮシグナリングフィールド３０５とは別々に符号化され得る。第２のＷＬＡＮシグナリングフィールド３１０は、ＡＰの範囲内の高効率ＳＴＡなど、デバイスのグループに情報をシグナリングする共通ブロックフィールド３４０と、特定の高効率ＳＴＡに固有の情報をシグナリングするユーザブロック３４５−ａ〜３４５−ｃとを含む。共通ブロックは、データフィールド３２５がどのようにデバイスの間で区分される（たとえば、データフィールドを複数のリソースユニットに区分する）かと、リソースユニットのうちのどれがＳＵ−ＯＦＤＭＡに関連付けられるかと、どれがＭＵ−ＭＩＭＯに関連付けられるかと、を高効率デバイスにシグナリングするリソース割振りフィールド３５０を含む。さらに、ユーザブロック３４５の順序は、ユーザブロック３４５に関連付けられたデバイスと、デバイスに割り振られたリソースユニットとの間のリンクを与える。一例として、リソース割振りフィールド３５０はデータフィールドを９つの領域に区分する（たとえば、２０ＭＨｚデータ領域は、各々２６個のトーンに及ぶ９つの下位領域に区分される）。第１のユーザブロック中でアドレス指定されるＳＴＡが最初の２６個のトーンに対応し、第２のユーザブロック中でアドレス指定される第２のＳＴＡが次の２６個のトーンに対応する、などである。共通ブロックは、ＬＴＦなどの他のフィールドをも含み得る。
【０１１５】
[0138]図４Ａは、本開示の様々な態様による、ＨＥ  ＷＬＡＮのためのプリアンブル設計態様のためのＷＬＡＮ  ＰＤＵ４００の態様の一例を示す。ＷＬＡＮ  ＰＤＵ４００は、図１〜図２を参照しながら上記で説明されたように、ＳＴＡ１１０とＡＰ１０５との間の送信の態様を示す。ＷＬＡＮ  ＰＤＵ４００は、第１のＷＬＡＮシグナリングフィールド３０５−ａと、高効率ＳＴＦ３１５−ａと、高効率ＬＴＦ３２０−ａと、データフィールド３２５−ａとを含む。第１のＷＬＡＮシグナリングフィールド３０５−ａは、複数のサブバンドにわたって繰り返されるＨＥ−ＳＩＧ−Ａ３３０を含む。データフィールド３２５は、異なるデバイスに割り振られたデータ部分を含み得る。
【０１１６】
[0139]ＨＥ拡張範囲ＰＰＤＵフォーマットで送られる送信は、より長い範囲の送信を使用することが望ましい環境において送られ得、たとえば、このフォーマットは、ＩｏＴ（internet of thing）デバイス、センサーなどとの通信のために使用され得る。ＨＥ拡張範囲ＰＰＤＵはまた、ＳＵ送信のために使用され得る１つまたは複数の他のＨＥ  ＰＰＤＵフォーマットと比較して、より単純な構造を有し、よりロバストであり得る。たとえば、ＨＥ拡張範囲ＰＰＤＵフォーマットは、よりロバストな受信を行うためにそれのプリアンブル中で、繰返しＨＥ−ＳＩＧ−Ａフィールドを使用し得る。ＨＥ拡張範囲ＰＰＤＵはまた、より小さいリソースユニットのシグナリングを可能にするように構成され得る。
【０１１７】
[0140]（ＨＥプリアンブル中でシグナリングされるように）変動する帯域幅を有し得るか、または、いくつかの異なる帯域幅の中から選択し得る、一般（generic）ＳＵ  ＨＥ  ＰＰＤＵとは対照的に、ＳＵ送信のためのＨＥ拡張範囲ＰＰＤＵは、一般ＳＵ  ＨＥ  ＰＰＤＵのために利用可能な帯域幅よりも小さくなり得る固定帯域幅、たとえば２０ＭＨｚを使用し得、たとえば、ＳＵ  ＨＥ  ＰＰＤＵ帯域幅が、４０ＭＨｚ、８０ＭＨｚ、または１６０ＭＨｚである、より小さい、固定帯域幅を使用することは、同じ電力量がより大きい帯域幅、たとえば４０ＭＨｚ、８０ＭＨｚ、または１６０ＭＨｚにわたって拡散される場合よりも、高い電力で送信が送られることを可能にし、送信のための範囲およびロバストネスを増加させ得る。たとえば、ＨＥ拡張範囲ＰＰＤＵのプリアンブルのための電力は、一般ＳＵ  ＨＥ  ＰＰＤＵの送信電力を超えて、３ｄＢ増加またはブーストされ得る。ある場合には、ただプリアンブルの電力が、正常な受信および復号の可能性を増加させるために送信機によってブーストされ得る。他の例では、ＰＰＤＵ全体が、たとえば３ｄＢだけブーストされ得る。他の例では、ＨＥ拡張範囲ＰＰＤＵはまた、４０ＭＨｚ、８０ＭＨｚ、または１６０ＭＨｚ帯域幅など、より大きい帯域幅を使用するとき、送信されるプリアンブルの電力をブーストし得る。
【０１１８】
[0141]図４Ｂは、本開示の様々な態様による、ＨＥ  ＷＬＡＮのためのプリアンブル設計態様のためのＷＬＡＮ  ＰＤＵの態様の例４０１を示す。図４Ｂに示されている２０ＭＨｚ帯域中のＳＵ  ＨＥ拡張範囲ＰＰＤＵでは、個々のユーザへの送信が、１ＰＰＤＵの１トーンユニット内の１つまたは複数のＲＵに割り振られ得る。１ＲＵのサイズは、１０６個のトーンまたは２４２個のトーンのうちの１つとなるように制約され得る。ＰＰＤＵの一例では、すべての２４２個のトーンは、ＳＵ送信のために、単一の２４２トーンＲＵ４３５として１ユーザに割り振られ得る。別のＰＰＤＵでは、１０６個のトーンは、ＳＵ送信のために、２つの位置のうちの１つ中にあり得る第１の１０６トーンＲＵ４３０として、第１のユーザに割り振られ得る。１０６個のトーンは、この例では、第２の１０６トーンＲＵ４３０としても割り振られ得る。したがって、３つの異なるＲＵ位置がＲＵ割振りのために利用可能であり得、これは、ＲＵ割振りフィールド４１５の最小２ビットによって示され得る。
【０１１９】
[0142]図４Ｃは、本開示の様々な態様による、ＨＥ  ＷＬＡＮのためのプリアンブル設計態様のためのＷＬＡＮ  ＰＤＵの態様の例４０２を示す。図４Ｃに示されている２０ＭＨｚ帯域中のＳＵ  ＨＥ拡張範囲ＰＰＤＵでは、個々のユーザへの送信が、ＰＰＤＵのトーンユニット内の１つまたは複数のＲＵに割り振られ得る。１ＲＵのサイズは、５２個のトーン、１０６個のトーン、または２４２個のトーンのうちの１つとなるように制約され得る。ＰＰＤＵの一例では、すべての２４２個のトーンは、ＳＵ送信のために、単一の２４２トーンＲＵ４５０として１ユーザに割り振られ得る。別のＰＰＤＵでは、１０６個のトーンは、ＳＵ送信のために、２つの位置のうちの１つ中にあり得る第１の１０６トーンＲＵ４４５として、第１のユーザに割り振られ得る。１０６個のトーンは、この例では、第２の１０６トーンＲＵ４４５としても割り振られ得る。また別のＰＰＤＵでは、５２個のトーンは、ＳＵ送信のために、４つの位置のうちの１つ中にあり得る第１の５２トーンＲＵ４４０として、第１のユーザに割り振られ得る。５２個のトーンは、最高４つの異なるユーザについて、この例では、第２の５２トーンＲＵ４４０として、第３の５２トーンＲＵ４４０として、および第４の５２トーンＲＵ４４０としても割り振られ得る。したがって、７つの異なるＲＵ位置がＲＵ割振りのために利用可能であり得、これは、ＲＵ割振りフィールド４１５の最小３ビットによって示され得る。
【０１２０】
[0143]したがって、単純さを維持し、オーバーヘッドを低減するために、ＲＵサイズとＲＵロケーションの組合せの数は、ＨＥ拡張範囲ＰＰＤＵについて、（図４Ｂを参照して上記で説明されたように２ビット割振りの場合）最大４つの候補、または（図４Ｃを参照して上記で説明されたように３ビット割振りの場合）最大８つの候補に制限され得、これは、ＰＰＤＵプリアンブルのＳＩＧ−Ａフィールド中の２ビットまたは３ビットが、所与のＲＵについて、それぞれ３つまたは７つの可能なＲＵサイズおよびＲＵロケーションのうちのどちらが割り振られるのかを識別するために使用され得ることを意味する。帯域幅が、たとえば２０ＭＨｚに固定される場合、使用される帯域幅を識別するために、ＰＰＤＵプリアンブルのＳＩＧ−Ａフィールド中に追加のビットは必要とされず、プリアンブルを簡略化する。
【０１２１】
[0144]いくつかの例では、ＲＵ割振りフィールド４１５は、ＰＰＤＵの帯域幅が、２０ＭＨｚであるとＢＷフィールド４１０によって示される例においてのみ使用され得る。ＢＷフィールド４１０の２ビットは、ＰＰＤＵが４つの異なる帯域幅のうちの１つを使用することを示すために使用され得る。ＢＷフィールド４１０が２０ＭＨｚの帯域幅（または他の例による別の所定の帯域幅）を示す場合、ＰＰＤＵの受信側は、図４Ａに示されているように、ＨＥ−ＳＩＧ−Ａフィールド３０５−ａが、ＢＷフィールド４１０に続いてＲＵ割振りフィールド４１５を含んでおり、ＲＵ割振りフィールド４１５の後にＭＣＳフィールド４２０およびＮｓｔｓフィールド４２５が続き得ると想定し得る。ＢＷフィールド４１０が２０ＭＨｚ（または他の所定の帯域幅）以外の帯域幅、たとえば、４０ＭＨｚ、８０ＭＨｚ、または１６０ＭＨｚを示す場合、ＰＰＤＵの受信側は、ＨＥ−ＳＩＧ−Ａフィールド３０５−ａがＢＷフィールド４１０に続いてＭＣＳフィールド４２０を含んでおり、ＲＵ割振りフィールド４１５が省略されていると想定し得る。ＢＷフィールド４１０と、ＲＵ割振りフィールド４１５と、ＭＣＳフィールド４２０と、Ｎｓｔｓフィールド４２５とは、他方の直後にあるものとして示されているが、中間フィールドが存在し得るか、または、これらのフィールドは、異なる位置において生じるように再配置され得る。
【０１２２】
[0145]いくつかの事例では、ＢＷフィールド４１０がより高い帯域幅、たとえば、４０ＭＨｚ、８０ＭＨｚ、または１６０ＭＨｚ、を示すＨＥ−ＳＩＧ−Ａフィールド３０５−ａ、ＳＵ  ＨＥ拡張範囲ＰＰＤＵのためのＨＥ−ＳＩＧ−Ａフィールドは、非拡張範囲フォーマットＰＰＤＵのためのもの、たとえばＳＵ  ＨＥ  ＰＰＤＵのためのＨＥ−ＳＩＧ−Ａフィールド、と同じフォーマットを有し得る。ＳＵ拡張範囲ＨＥ  ＰＰＤＵのいくつかの（certain）帯域幅のためのＨＥ−ＳＩＧ−Ａフィールドについて、ＳＵ  ＨＥ  ＰＰＤＵと同様のフォーマットを維持することは、実装の単純さを増加させ得る。
【０１２３】
[0146]ＨＥ−ＳＩＧ−Ａフィールド３０５−ａ中のＲＵ割振りフィールド４１５の場合（たとえば、ＢＷフィールド４１０が２０ＭＨｚ帯域幅を示す場合）、ＨＥ−ＳＩＧ−Ａフィールド中の追加のビットが必要とされ得る。たとえば、ＨＥ−ＳＩＧ−Ａフィールド３０５−ａのサイズは制約され得、したがって、ＲＵ割振りフィールド４１５中にビットを導入することが、その制約を超えてフィールドのサイズを押し上げ得る。上記で説明されたように、ＲＵ割振りフィールド４１５のサイズは、いくつかの例では２ビットであり得る。
そのような場合、ＭＣＳフィールドのサイズは２ビットに制限され得、ここで、たとえばＲＵ割振りフィールド４１５の不在下でのＭＣＳフィールド４２０のサイズはさもなければ４ビットとなるであろう。したがって、ＭＣＳフィールド４２０によって示されるＭＣＳ値は、ＭＣＳ０、ＭＣＳ１、ＭＣＳ２、およびＭＣＳ３であり得る。一例では、４つのＭＣＳは、それぞれ、ＢＰＳＫ１／２ＭＣＳ、ＱＰＳＫ１／２ＭＣＳ、ＱＰＳＫ３／４ＭＣＳ、および１６ＱＡＭ１／２ＭＣＳに対応し得る。
【０１２４】
[0147]同じく上記で説明されたように、ＲＵ割振りフィールド４１５のサイズは、いくつかの例では３ビットであり得る。そのような場合、ＭＣＳフィールドのサイズは１ビットに制限され得る。したがって、一例では、ＭＣＳフィールド４２０によって示されるＭＣＳ値は、ＭＣＳ０およびＭＣＳ１であり得る。一例では、２つのＭＣＳは、それぞれ、ＢＰＳＫ１／２ＭＣＳおよびＱＰＳＫ１／２ＭＣＳに対応し得る。したがって、ＰＰＤＵデータを変調およびコーディングするために第１のＭＣＳが使用されるのか第２のＭＣＳが使用されるのかを識別するために、プリアンブルのＳＩＧ−Ａフィールド中で１ビットが使用され得、ＰＰＤＵデータを変調およびコーディングするために第１のＭＣＳが使用されるのか第２のＭＣＳが使用されるのか第３のＭＣＳが使用されるのか第４のＭＣＳが使用されるのかを識別するために、プリアンブルのＳＩＧ−Ａフィールド中で２ビットが使用され得る。他の例では、ＭＣＳフィールドは省略され得、したがって、ＢＷが２０ＭＨｚであると示される場合、ＭＣＳ０が使用される。
【０１２５】
[0148]他の例では、ＲＵ割振りフィールド４１５が使用され得るように、または、他の目的のために使用されるべきさらなる予約済みビットを与えるために、空間ストリームの数（Ｎｓｔｓ：number of spatial streams）も制限され得る。したがって、Ｎｓｔｓは、２つのオプション、たとえば、Ｎｓｔｓ＝０またはＮｓｔｓ＝１に制限され得、ＳＩＧ−Ａフィールドは、空間ストリームの数Ｎｓｔｓを示すための単一のビットを含み得るＮｓｔｓフィールド４２５を有し得る。他の例では、Ｎｓｔｓフィールド４２５は、最高４つの空間ストリームを示すための２ビット、または最高８つの空間ストリームを示すための３ビットを有し得る。他の例では、Ｎｓｔｓフィールド４２５は省略され得、したがって、ＢＷが２０ＭＨｚであると示される場合、単一のストリームが使用される。
【０１２６】
[0149]上記で説明されたように、ＭＣＳフィールド４２０およびＮｓｔｓフィールド４２５のために使用されるビットの数を制限することはまた、受信機が扱うおよび復号する必要がある複雑さを減少させ、従って、そのようなフィールドのサイズを制限することによって作成される余分の予約済みビットが他の特徴を実装するために使用されない場合でも、受信機における電力消費を減少させ、実行される必要があり得るテストの量を減少させ得る。
【０１２７】
[0150]図５は、本開示の様々な態様による、ＨＥ  ＷＬＡＮのためのプリアンブル設計態様をサポートするためのＷＬＡＮ  ＰＤＵ５００の態様の一例を示す。ＷＬＡＮ  ＰＤＵ５００は、図１〜図２を参照しながら上記で説明されたように、ＳＴＡ１１０とＡＰ１０５との間の送信の態様を示す。ＷＬＡＮ  ＰＤＵ５００は、第２のＷＬＡＮシグナリングフィールド３１０の一例であるＨＥ−ＳＩＧ−Ｂフィールド３１０−ａを含む。ＨＥ−ＳＩＧ−Ｂフィールド３１０−ａは、制御情報を含む２つのコンテンツチャネル４０５−ａおよび４０５−ｂを含む。一例では、デバイスは、ＨＥ−ＳＩＧ−Ｂフィールド３１０−ａ中でシグナリングされるコンテンツのすべてを収集するために、両方のチャネルを復号する。さらに、ストリーム４０５に関連付けられた周波数帯域内でユーザブロックを受信するデバイスは、同じ周波数帯域内でデータをも受信した。共通部分（たとえば共通ブロックフィールド３４０−ａおよび３４０−ｂ中の情報）と、他の全ての（for every other）２０ＭＨｚチャネルについての専用部分（たとえば、ユーザブロック３４５−ｄおよび３４５−ｅ）とは、一緒にシグナリングされる。ユーザブロック３４５−ｄおよび３４５−ｅは各々、ユーザブロック中のＭＵ−ＭＩＭＯユーザのためのユーザごとの情報と、ユーザブロック中のＳＵユーザのためのユーザごとの情報とを含む。
ユーザブロック３４５−ｄおよび３４５−ｅを含む、ユーザごとの情報を含む専用部分は、負荷分散（load balancing）中にチャネル間で動的に割り振られ得る。
【０１２８】
[0151]たとえば、８つのＭＵ−ＭＩＭＯユーザが、チャネル４０５−ａおよびチャネル４０５−ｂ中でＲＵを割り振られ得る。ＲＵは、８つのＭＵ−ＭＩＭＯユーザのうちの５つのＭＵ−ＭＩＭＯユーザに、ＨＥ−ＳＩＧ−Ｂフィールド３１０−ａの共通部分３４０−ａによって割り振られ得る。ＨＥ−ＳＩＧ−Ｂフィールド３１０−ａの専用部分３４５−ｄは、次いで、当該５つのＭＵ−ＭＩＭＯユーザのうちの１つである局によって復号されると、その局のためのデータが送信フレームのチャネル４０５−ａに関連付けられたデータ部分中のどこで見つけられるかを識別する情報を与え得る。同様に、ＲＵは、８つのＭＵ−ＭＩＭＯユーザのうちの５つのＭＵ−ＭＩＭＯユーザに、ＨＥ−ＳＩＧ−Ｂフィールド３１０−ａの共通部分３４０−ｂによって割り振られ得る。ＨＥ−ＳＩＧ−Ｂフィールド３１０−ａの専用部分３４５−ｅは、次いで、当該３つのＭＵ−ＭＩＭＯユーザのうちの１つである局によって復号されると、その局のためのデータが送信フレーム（たとえば、ＰＰＤＵ）のチャネル４０５−ｂに関連付けられたデータ部分中のどこで見つけられるかを識別する情報を与え得る。
【０１２９】
[0152]負荷分散を実行するために、送信機、たとえば、ＡＰまたは局が、異なる方法で、ある数のＭＵ−ＭＩＭＯユーザをスプリットし得る。ＷＬＡＮ  ＰＤＵ５００の場合、８つのＭＵ−ＭＩＭＯユーザが、第１のチャネル４０５−ａに関連付けられた４８４個のトーンのＲＵを割り振られる５つのＭＵ−ＭＩＭＯユーザと、第２のチャネル４０５−ｂに関連付けられた４８４個のトーンのＲＵを割り振られる３つのＭＵ−ＭＩＭＯとでスプリットされる。他の例では、ユーザは、単一のチャネルのための最大ＲＵサイズよりも大きいＲＵを割り振られ得る。たとえば、１チャネルのための最大ＲＵサイズが２４２個のトーンである場合、１つまたは複数のＭＵ−ＭＩＭＯユーザに対する割り振られたＲＵは、２つのチャネルに及ぶ４８４個のトーンであり得る（たとえば、２つの２０ＭＨｚチャネルが４０ＭＨｚ割振りを形成する）。これらのより大きい割振りの場合、たとえば、ＲＵサイズが４８４個のトーンであるかまたはそれよりも大きい場合、ある数のＭＵ−ＭＩＭＯユーザ、たとえば、１〜８つのＭＵ−ＭＩＭＯユーザは、第１のチャネルと第２のチャネルとの間でスプリットされ得る。しかしながら、負荷分散の目的で、第１のチャネルと第２のチャネルとの間のＲＵ割振りを分散させる（balance）ことが望ましいことがある場合、１つのチャネルに０のＭＵ−ＭＩＭＯユーザを割り振るかまたはＭＵ−ＭＩＭＯユーザを割り振らない能力を与えることが、負荷分散を支援し得る。たとえば、負荷分散の目的で、第１のチャネルが、ある数のユーザのためにＳＵ送信に割り振られる、ある数のブロックをすでに有し、第２のチャネルがＳＵ送信に割り振られるそのようなブロックを有しない場合、送信機は、第１のチャネルに０のＭＵ−ＭＩＭＯブロックを割り振るかまたはＭＵ−ＭＩＭＯブロックを割り振らず、ＭＵ−ＭＩＭＯユーザのための残りのＭＵ−ＭＩＭＯブロックの各々を第２のチャネルに割り振り得る。
【０１３０】
[0153]図１２は、本開示の様々な態様による、ＨＥ  ＷＬＡＮのためのプリアンブル設計態様をサポートするためのＲＵ割振りテーブルエントリ１２００を示す。負荷分散のためのいくつかの例では、受信局が、本開示の様々な態様による、ＨＥ  ＷＬＡＮのためのプリアンブル設計態様に従って、複数のチャネルを含むダウンリンク送信を受信する。ダウンリンク送信は、ＷＬＡＮシグナリングフィールド３１０を含み得る。シグナリングフィールドは、第１のチャネル、たとえば、ユーザの第１の数のためのチャネル４０５−ａ中の共通部分と、第２のチャネル、たとえば、ユーザの第２の数のためのチャネル４０５−ｂ中の共通部分とを含み得る。いくつかの例では、受信局は、ユーザブロックの総数が決定され得るように、ユーザの総数を決定するために、両方のＳＩＧ−Ｂコンテンツチャネルの共通部分を正常に復号する必要があり得る。局が複数のチャネルのうちの１つを復号し得るが、必ずしも第２のチャネルを復号するとは限らないように、ユーザの総数はＲＵ割振りテーブル１２００中に示され得る。
【０１３１】
[0154]ＲＵ割振りテーブル１２００は、エントリの数１２０５と、ＲＵサイズ１２１０と、ユーザ指示１２１５とを含む。簡単な説明１２２０も、ＲＵ割振りテーブル１２００中に含まれる。この例では、ＲＵサイズ１２１０は４８４個のトーンであるが、追加のＲＵサイズ、たとえば９９６個のトーンも適応され得る。さらに、ＲＵ割振りテーブルは、図１２に示されているＲＵ割振りテーブル部分に示されていない追加のエントリを有し得る。
【０１３２】
[0155]図１２に示されている例では、負荷分散が実行されていないユーザ数を示すために、８つのエントリ１２２５が与えられ得る。負荷分散のためのチャネル間のユーザの分布を示すために、追加のエントリ１２３０が追加され得る。たとえば、第１のエントリ１２３０は、送信されるユーザブロックがないことを示し得る。第２のエントリ１２２５は「１＋１」のユーザ指示を示し、ここで、１次チャネルが第１のユーザブロックを含んでおり、２次チャネルが第２のユーザブロックを含んでいる。第３のエントリ１２３０は「２＋１」を示し、ここで、その１次チャネルが２つのユーザブロックを含んでおり、２次チャネルが１つのユーザブロックを含んでいる。１次チャネルが４つのユーザブロックを含んでおり、２次チャネルが４つのユーザブロックを含んでいることを示す「４＋４」のユーザ指示まで以下同様である。
【０１３３】
[0156]他の例では、さらなる負荷分散能力を与えるために、追加の組合せ、たとえば、１次チャネルおよび２次チャネルについての「７＋１」組合せ、または１次チャネルおよび２次チャネルについての「２＋４」などのためのエントリ１２３０が、ＲＵ割振りテーブルに追加され得る。他の例では、各組合せはＲＵ割振りテーブル中に含まれ得る。さらに、ＲＵ割振りテーブルは、より大きいＲＵサイズ、たとえば、９９６個のトーン、９９６＊２個のトーンなどのために必要とされ得る。
【０１３４】
[0157]図６は、本開示の様々な態様による、ＨＥ  ＷＬＡＮのためのプリアンブル設計態様をサポートするためのルックアップテーブル６００の一部分の態様の一例を示す。ルックアップテーブル６００は、ルックアップテーブルの一部分、詳細には、上記で説明されたようにＨＥ  ＰＰＤＵのＨＥ−ＳＩＧ−Ｂフィールドの共通ブロックフィールド中のＲＵ割振りシグナリングをシグナリングするために使用され得る、少なくとも１０２個のトーンのＲＵ割振りを含んでいる行である。ルックアップテーブル６００は、大きいＳＵ割振りのためのＳＩＧ−Ｂ専用コンテンツのロケーションを示し得、大きいＲＵサイズ、たとえば、４８４個のトーンまたはそれ以上の場合の負荷分散を可能にする。４８４個のトーンまたはそれ以上のＲＵサイズの場合ＭＵ−ＭＩＭＯブロックを送信しないか、または０のＭＵ−ＭＩＭＯブロックを送信する能力を与えるために、テーブルに行を追加することによって、ＲＵに関連付けられたＭＵ−ＭＩＭＯユーザ数を示すルックアップテーブルが修正され得る。特に、行６０５が追加され得、したがって、４８４トーンＲＵ割振りに関連付けられた特定のＳＩＧ−Ｂコンテンツチャネル中で送信される１〜８つのＭＵ−ＭＩＭＯユーザブロックがあることをシグナリングすることに加えて、４８４トーン割振りをもつ前記ＳＩＧ−Ｂコンテンツチャネル中で送信されるＭＵ−ＭＩＭＯユーザブロックの不在の指示、すなわち、そのチャネルについて４８４トーン割振りを用いて送信されるＭＵ−ＭＩＭＯユーザブロックがないこと。
同様に、行６１０が追加され得、したがって、９９６トーンＲＵ割振りをもつＳＩＧ−Ｂコンテンツチャネルを用いて送信される１〜８つのＭＵ−ＭＩＭＯユーザブロックがあることをシグナリングすることに加えて、９９６トーン割振りに関連付けられた前記ＳＩＧ−Ｂコンテンツチャネル中のＭＵ−ＭＩＭＯユーザブロックの不在の指示、すなわち、そのチャネルについて９９６トーン割振りを用いて送信されるＭＵ−ＭＩＭＯユーザブロックがないこと。他の例では、ＲＵサイズは変動し得、したがって、ＲＵ割振りが複数のチャネルに及ぶ場合、追加の行が使用され得、０のＭＵ−ＭＩＭＯユーザブロックまたはＭＵ−ＭＩＭＯユーザブロックの不在の指示が大きいＲＵ割振りについて示され得る。割振りサイズが４８４個のトーンよりも小さい場合、この例によれば、単一のチャネルのみが使用され、２つまたはそれ以上のチャネル間の負荷分散が行われないので、ルックアップテーブル６００中に追加の行が必要とされないことがあることに留意されたい。
【０１３５】
[0158]図７は、本開示の様々な態様による、ＨＥ  ＷＬＡＮのためのプリアンブル設計態様をサポートするための空間構成ルックアップテーブル７００の態様の一例を示す。たとえば、ＨＥ−ＳＩＧ−Ｂフィールド中の、ＭＵ−ＭＩＭＯ割振りのためのユーザフィールドは、各多重化ＳＴＡのための空間ストリームの数と、空間ストリームのインデックスと、空間ストリームの総数とを示す４ビットの空間構成サブフィールドを含み得る。列Ｎｕｓｅｒはユーザ数を示す、すなわち、Ｎｕｓｅｒは、ＨＥ−ＳＩＧ−Ｂフィールドの共通部分（たとえば共通ブロック３４０）中で示され得る。Ｎｕｓｅｒと、空間ストリームのインデックスと、割り振られる空間ストリームの総数と、ユーザ／局が第２のＷＬＡＮシグナリングフィールド３１０（たとえばＨＥ−ＳＩＧ−Ｂフィールド）の専用部分中に現れる順序によって決定されたユーザ／局のインデックスとが与えられれば、特定のユーザ／局に関連付けられた空間ストリームの数が決定され得る。空間ストリームのインデックスと割り振られる空間ストリームの総数とは、明示的に通信され得る。ただし、ユーザ／局のインデックスは、以下でさらに説明されるように、それが専用部分中に現れる順序に基づいて決定される必要がある。したがって、インデックスは、順序に基づいて暗黙的に決定され、インデックスの明示的通信のためのオーバーヘッドを低減し得る。
【０１３６】
[0159]送信フレーム、たとえば、ＭＵ−ＭＩＭＯ  ＲＵ割振りを使用するＨＥ  ＭＵ  ＰＰＤＵ送信フレーム中で、第２のＷＬＡＮシグナリングフィールド３１０の専用部分３４５の順序は、送信フレームを受信した特定のユーザ／局に割り振られた空間ストリームの数（Ｎｓｔｓ）を決定するために使用され得る。局が、第２のＷＬＡＮシグナリングフィールド３１０を含む送信フレームを受信し得る。局は、次いで、第２のＷＬＡＮシグナリングフィールド３１０の専用部分３４５を復号し、送信フレームを受信した局とともにＭＵ−ＭＩＭＯ割振りにおける様々な局またはユーザのための順序を決定し得る。局のための順序は、あらかじめ決定され得る。たとえば、（ＡＰが送信機であるとき）局は、順序が、たとえば、最も低いサブキャリア周波数から最も高いサブキャリア周波数に（またはその逆に）進む、周波数に基づくそれが専用部分３４５中に現れる順序に従う局の識別情報に基づくと決定し得る。一例では、局は、特定のチャネルが１次チャネル（たとえば、１次２０ＭＨｚチャネル）として専用化されるか２次チャネル（たとえば、２次２０ＭＨｚチャネル）として専用化されるのかを顧慮せずに、専用部分３４５中に現れる局の順序を決定し得る。別の例では、局は、周波数に基づいて、ただし、最初に１次チャネル、その後２次チャネルについて、順序を決定し得る。たとえば、局は、１次チャネルについて、最も低いサブキャリア周波数から最も高いサブキャリア周波数に（またはその逆に）進み、その後、２次チャネルについて、最も低いサブキャリア周波数から最も高いサブキャリア周波数に（またはその逆に）進み得る。したがって、局は、専用部分３４５中でデータが通信される局の順序を決定し得る。
【０１３７】
[0160]専用部分中の各局のための順序を決定すると、ユーザ／局は、局が順序中のどこに現れるかに基づいて、それ自体のインデックスを決定し得る。そのインデックスは、次いで、その局のための空間ストリームの数を決定するために、空間構成ルックアップテーブル７００とともに使用され得る。たとえば、Ｎｕｓｅｒ＝３であり、８に等しい空間ストリームの総数があり、局が、それのインデックスが２に等しいと決定した場合、ユーザ／局に関連付けられた空間ストリームの数は３であり、これはエントリ７０５に対応する。
【０１３８】
[0161]本開示の様々な態様による、ＨＥ  ＷＬＡＮのためのプリアンブル設計態様をサポートするためのいくつかの例では、局が、ＳＵ割振りとＭＵ−ＭＩＭＯ割振りとを区別し得る。ＳＵ割振りとＭＵ−ＭＩＭＯ割振りとを区別するために、両方のＳＩＧ−Ｂコンテンツチャネルを復号し、組み合わせることが使用され得る。図５を参照しながら上記で説明された負荷分散により、Ｎｕｓｅｒは、大きいＭＵ−ＭＩＭＯ割振りについてＨＥ−ＳＩＧ−Ｂフィールド中の共通部分３４０によって示されているように、１であり得る。ＨＥ−ＳＩＧ−ＢフィールドのＳＵ専用部分およびＭＵ専用部分のコンテンツは異なり得るので、第１のＳＩＧ−Ｂコンテンツチャネル中のＮｕｓｅｒ指示は、第２のＳＩＧ−Ｂコンテンツチャネル中のコンテンツと組み合わせられる必要がある。組み合わせることによって、第１のコンテンツチャネルのためのＮｕｓｅｒ＋第２のコンテンツチャネルのためのＮｕｓｅｒが（同じＲＵについて）１よりも大きい場合、コンテンツは、ＭＵ−ＭＩＭＯ専用コンテンツである。第１のコンテンツチャネルのためのＮｕｓｅｒ＋第２のコンテンツチャネルのためのＮｕｓｅｒが（同じＲＵについて）１よりも大きくない場合、コンテンツは、ＳＵ専用コンテンツである。
【０１３９】
[0162]本開示の様々な態様による、ＨＥ  ＷＬＡＮのためのプリアンブル設計態様をサポートするための他の例では、ＨＥ−ＳＩＧ−Ｂ圧縮モード８００が使用され得る。圧縮モードは、全帯域幅を利用するＭＵ−ＭＩＭＯのために使用され得る。そのような場合、ＲＵ信号情報はＨＥ＿ＳＩＧ−Ｂファイルド中で送信されない。代わりに、ユーザ固有サブフィールドが、図８に示されているように、２つのＨＥ−ＳＩＧ−Ｂコンテンツチャネル間でスプリットされる。圧縮モードでは、ＭＵ−ＭＩＭＯユーザ数が示される必要がある。これを達成するために、ＳＩＧ−Ｂシンボル数に対応するＳＩＧ−Ａフィールド中のフィールドは、再解釈または再利用され得、ＳＩＧ−Ｂシンボル数はＭＵ−ＭＩＭＯユーザ数から導かれる。ＭＵ−ＭＩＭＯユーザ数はＳＩＧ−Ｂシンボル数から計算され得、これは、高いＭＣＳが使用される場合、あいまいさにつながることがある。したがって、ＭＵ−ＭＩＭＯユーザ数は、代わりに、ＨＥ−ＳＩＧ−Ｂフィールドの共通部分中で示され得る。これは、ＣＲＣおよびテールビットもＨＥ−ＳＩＧ−Ｂフィールドの共通部分に追加されるので、オーバーヘッドを増加させる。
【０１４０】
[0163]本開示の様々な態様による、ＨＥ  ＷＬＡＮのためのプリアンブル設計態様をサポートするための他の例では、ＨＥ−ＳＩＧ−Ｂ設計はチャネルボンディング（channel bonding）を使用し得る。一例によれば、ＳＩＧ−Ｂは、パンクチャされたチャネル、たとえば、２０ＭＨｚチャネル中で送信されないことがある。これは、ＳＩＧ−Ｂフィールドより前の送信フレーム中のプリアンブルが送信されたか否かにかかわらないことがある。ＳＩＧ−Ｂ送信フォーマットは、送信されない２次２０ＭＨｚチャネル、または送信されない他のそのようなチャネルについて決定され得る。第２の２０ＭＨｚチャネルが送信されないとき、そのような情報を送信するための複数のオプションがあり得る。
【０１４１】
[0164]図１１Ａおよび図１１Ｂは、本開示の様々な態様による、ＨＥ  ＷＬＡＮのためのプリアンブル設計態様をサポートするＨＥ−ＳＩＧ−Ｂ送信フォーマット１１００を示す。これらの例では、８０ＭＨｚ帯域幅の第２の２０ＭＨｚチャネルは、全体的にまたは部分的に、のいずれかで、パンクチャされている。たとえば、チャネルが局で受信されないことを引き起こす過大な干渉があり得る。いくつかの例では、ＳＩＧ−Ｂフィールドはパンクチャされていることがあるが、チャネルについてのプリアンブルのＳＩＧ−Ａフィールドまたは他の部分はパンクチャされていない。１次ＨＥ−ＳＩＧ−Ｂコンテンツチャネルについての共通部分１１０５は、第１の２０ＭＨｚチャネルおよび第３の２０ＭＨｚチャネル中で重複して送信される。１次ＨＥ−ＳＩＧ−Ｂコンテンツチャネルについての専用部分１１１５も、第１の２０ＭＨｚチャネルおよび第３の２０ＭＨｚチャネル中で重複して送信される。２次ＨＥ−ＳＩＧ−Ｂコンテンツチャネルについての共通部分１１１０は、図示のように、第２の２０ＭＨｚチャネルはパンクチャされているが、そうでなければ、第２の２０ＭＨｚチャネルおよび第４の２０ＭＨｚチャネル中で重複して送信されるであろう。同様に、２次ＨＥ−ＳＩＧ−Ｂコンテンツチャネルについての専用部分１１２０は、第２の２０ＭＨｚチャネルはパンクチャされているが、そうでなければ、第２の２０ＭＨｚチャネルおよび第４の２０ＭＨｚチャネル中で重複して送信されるであろう。２次２０ＭＨｚチャネルがパンクチャされ、たとえば、第２の２０ＭＨｚチャネルであるとき、そうでなければＳＩＧ−Ｂフィールド３１０−ｇ中に含まれているであろう情報は、他のチャネルまたは他の機構から決定され得る。
【０１４２】
[0165]図１１Ｂに示されている第１の例では、２次２０ＭＨｚチャネル中で見つけられたＳＩＧ−Ｂの情報／コンテンツは、１次２０ＭＨｚチャネル上で送信され得る。そのような場合、２０ＭＨｚチャネルのパンクチャリングの指示は、たとえば、いくつかの例では１ビットインジケータであり得るインジケータを含むことによって、ＳＩＧ−Ａフィールド中でシグナリングされ得る。これは、１次チャネル上のＳＩＧ−Ｂコンテンツに加えて、２次チャネルからのＳＩＧ−Ｂコンテンツが１次チャネル上で送信されるので、１次チャネル、たとえば、図１１に示されている第１の２０ＭＨｚおよび第３の２０ＭＨｚ上のオーバーヘッドを増加させる。第１の２０ＭＨｚと第３の２０ＭＨｚの両方のための１次ＨＥ−ＳＩＧ−Ｂコンテンツチャネルについて示されているように、共通部分１１１０の後に専用部分１１２０が続き、その後に共通部分１１０５が続き、その後に専用部分１１１５が続く。別の例では、第１の２０ＭＨｚと第３の２０ＭＨｚの両方のための１次ＨＥ−ＳＩＧ−Ｂコンテンツチャネルについて、共通部分１１１０の後に共通部分１１０５が続き、その後に専用部分１１２０が続き、その後に専用部分１１１５が続く。図１１Ｂに示されているように１次チャネルＳＩＧ−Ｂコンテンツの共通部分が最初に送信されるのか、２次チャネル共通部分が最初に送信されるのか、または共通部分および専用部分の別の順序が送信され得るかどうかは、ＳＩＧ−Ａフィールド中で指示を受信すると、受信局が１次チャネル中でＳＩＧ−Ｂフィールドを復号するための順序を知り得るように、あらかじめ決定され得る。
【０１４３】
[0166]上記で説明されたように、２０ＭＨｚチャネルのパンクチャリングと、ＳＩＧ−Ｂコンテンツチャネル（たとえば、ＰＰＤＵのための帯域幅の特定の２０ＭＨｚチャネル中のＨＥ−ＳＩＧ−Ｂコンテンツチャネル）のロケーションとを示すために、ＳＩＧ−Ａフィールド中のインジケータ（たとえば、１ビットインジケータ）が使用され得る。いくつかの例では、ＳＩＧ−ＡフィールドのＢＷフィールドは、指示（たとえば、１ビットインジケータ）を含み得る。他の例では、図４を参照しながら上記で説明されたＢＷフィールド４１０は、ＰＰＤＵによって使用される帯域幅ならびにＳＩＧ−Ｂコンテンツチャネルのロケーションを示すために使用され得る。いくつかの例では、ＰＰＤＵ帯域幅とＳＩＧ−Ｂコンテンツチャネルロケーションとの様々な組合せが、ＢＷフィールド４１０によって示され得る。
【０１４４】
[0167]以下の表１は、ＨＥ  ＭＵ  ＰＰＤＵのＨＥ−ＳＩＧ−Ａフィールド中の３ビットＢＷフィールドのための例示的な値を示す。ＨＥ−ＳＩＧ−Ａフィールド中のＢＷフィールドが０または１の値を有する場合、ＢＷフィールドは、それぞれ、２０ＭＨｚまたは４０ＭＨｚのＰＰＤＵ帯域幅を示す。ＨＥ−ＳＩＧ−Ａフィールド中のＢＷフィールドが２の値を有する場合、ＢＷフィールドは、ＨＥ−ＳＩＧ−Ａフィールドを搬送するＰＰＤＵのための帯域幅が８０ＭＨｚの帯域幅を有することと、第１の（１次）２０ＭＨｚ  ＨＥ−ＳＩＧ−Ｂコンテンツチャネルと第２の（２次）２０ＭＨｚ  ＨＥ−ＳＩＧ−Ｂコンテンツチャネルの両方が１次４０ＭＨｚ中に存在することとを示す。ＨＥ−ＳＩＧ−Ａフィールド中のＢＷフィールドが３の値を有する場合、ＢＷフィールドは、ＨＥ−ＳＩＧ−Ａフィールドを搬送するＰＰＤＵのための帯域幅が１６０ＭＨｚまたは８０＋８０ＭＨｚの帯域幅を有することと、第１の（１次）２０ＭＨｚ  ＨＥ−ＳＩＧ−Ｂコンテンツチャネルと第２の（２次）２０ＭＨｚ  ＨＥ−ＳＩＧ−Ｂコンテンツチャネルの両方が、それぞれ、１次４０ＭＨｚ中にあることとを示す。ＨＥ−ＳＩＧ−Ａフィールド中のＢＷフィールドが４の値を有する場合、ＢＷフィールドは、ＨＥ−ＳＩＧ−Ａフィールドを搬送するＰＰＤＵのための帯域幅が８０ＭＨｚの帯域幅を有することと、２次２０ＭＨｚ  ＨＥ−ＳＩＧ−Ｂコンテンツチャネルが１次４０ＭＨｚになく、カウンターパート２次２０ＭＨｚ  ＨＥ−ＳＩＧ−Ｂコンテンツチャネルが２次４０ＭＨｚにないこととを示す。ＨＥ−ＳＩＧ−Ａフィールド中のＢＷフィールドが５の値を有する場合、ＢＷフィールドは、ＨＥ−ＳＩＧ−Ａフィールドを搬送するＰＰＤＵのための帯域幅が８０ＭＨｚの帯域幅を有することと、１次４０ＭＨｚにない２次２０ＭＨｚ  ＨＥ−ＳＩＧ−Ｂコンテンツチャネルがあり、カウンターパート２次２０ＭＨｚ  ＨＥ−ＳＩＧ−Ｂコンテンツチャネルが２次４０ＭＨｚ中に存在することとを示す。ＨＥ−ＳＩＧ−Ａフィールド中のＢＷフィールドが６の値を有する場合、ＢＷフィールドは、ＨＥ−ＳＩＧ−Ａフィールドを搬送するＰＰＤＵのための帯域幅が１６０ＭＨｚまたは８０＋８０ＭＨｚの帯域幅を有することと、２次２０ＭＨｚ  ＨＥ−ＳＩＧ−Ｂコンテンツチャネルが１次４０ＭＨｚになく、カウンターパート２次２０ＭＨｚ  ＨＥ−ＳＩＧ−Ｂコンテンツチャネルが２次４０ＭＨｚにないこととを示す。ＨＥ−ＳＩＧ−Ａフィールド中のＢＷフィールドが７の値を有する場合、ＢＷフィールドは、ＨＥ−ＳＩＧ−Ａフィールドを搬送するＰＰＤＵのための帯域幅が１６０ＭＨｚまたは８０＋８０ＭＨｚの帯域幅を有することと、１次４０ＭＨｚにない２次２０ＭＨｚ  ＨＥ−ＳＩＧ−Ｂコンテンツチャネルがあり、カウンターパート２次２０ＭＨｚ  ＨＥ−ＳＩＧ−Ｂコンテンツチャネルが２次４０ＭＨｚ中に存在することとを示す。
【０１４５】
【表１】
2019506040.tif 000003
【０１４６】
[0168]いくつかの例では、帯域幅とＳＩＧ−Ｂ（たとえば、ＨＥ−ＳＩＧ−Ｂ）コンテンツチャネルとのより少ない数の組合せを示すために、ＳＩＧ−Ａ（たとえば、ＨＥ−ＳＩＧ−Ａ）フィールド中の２ビットＢＷフィールドが使用され得るか、または、より大きい数の組合せを示すために、ＨＥ−ＳＩＧ−Ａフィールド中の４ビット（またはそれ以上の）ＢＷフィールドが使用され得る。他の例では、ＢＷフィールドは、帯域幅とＳＩＧ−Ｂコンテンツチャネルロケーションとの異なる組合せを示すために使用され得る。
【０１４７】
[0169]図１１Ｃは、本開示の様々な態様による、連続チャネルボンディングモードのためのチャネル１１００−ｃの一例を示す。チャネル１１００−ｃは、１６０ＭＨｚ帯域幅について、１次２０ＭＨｚチャネル、２次２０ＭＨｚチャネル、２次４０ＭＨｚチャネル、および２次８０ＭＨｚチャネルを含む。チャネル１１００−ｃは、８０ＭＨｚ帯域幅について、１次２０ＭＨｚチャネル、２次２０ＭＨｚチャネル、および２次４０ＭＨｚチャネルを含む。チャネル１１００−ｃは、４０ＭＨｚ帯域幅について、１次２０ＭＨｚチャネルおよび２次２０ＭＨｚチャネルを含む。チャネル１１００−ｃは、表１を参照しながら説明された対応するチャネルの例であり得る。
【０１４８】
[0170]図１１Ｄは、本開示の様々な態様による、不連続チャネルボンディングモードのためのチャネル１１００−ｄの一例を示す。チャネル１１００−ｄは、８０＋８０ＭＨｚ帯域幅構成について、１次２０ＭＨｚチャネル、２次２０ＭＨｚチャネル、２次４０ＭＨｚチャネル、および２次８０ＭＨｚチャネルを含み、ここで、２次８０ＭＨｚチャネルは、１次２０ＭＨｚチャネル、２次２０ＭＨｚチャネル、および２次４０ＭＨｚチャネルと連続しない。チャネル１１００−ｄは、不連続８０＋８０ＭＨｚ帯域幅について表１を参照しながら、たとえば、詳細にはＢＷ値３、６、および／または７を参照しながら説明された対応するチャネルの例であり得る。
【０１４９】
[0171]第２の例では、たとえば、図１１Ａに示されている８０ＭＨｚ帯域幅、または複製されたＳＩＧ−Ｂコンテンツを含んでいる１６０ＭＨｚ帯域幅について、第２の２０ＭＨｚに対応するパンクチャされた２次２０ＭＨｚチャネル中で見つけられるＳＩＧ−Ｂファイルドの情報および／またはコンテンツは、第４の２０ＭＨｚチャネルから復号され得る。そのような場合、ＳＩＧ−Ｂ復号の指示が、たとえば、ＳＩＧ−Ａフィールド中にインジケータを含めることによって、ＳＩＧ−Ａフィールド中でシグナリングされ得る。この例の場合、第４の２０ＭＨｚもパンクチャされないという制限得る。
【０１５０】
[0172]本開示の様々な態様による、ＨＥ  ＷＬＡＮのためのプリアンブル設計態様をサポートするための他の例では、他の２０ＭＨｚチャネルがパンクチャされるとき、ＨＥ−ＳＩＧ−Ｂ設計が異なり得る。そのような場合、１つまたは複数の２０ＭＨｚチャネルがないので、ＳＩＧ−Ｂフィールドの共通部分が影響を及ぼされ得る。
【０１５１】
[0173]第１の例では、パンクチャされた２０ＭＨｚチャネルについてのＲＵ割振りは、送信されない。ＳＩＧ−Ｂフィールドの共通部分のサイズは、パンクチャされたチャネルの数およびロケーションに応じて修正され得る。さらに、共通部分サイズは、２つのＳＩＧ−Ｂコンテンツチャネル間で異なり得る。パンクチャされたチャネルの明示的指示が、ＳＩＧ−Ａフィールド中で示され得る。
【０１５２】
[0174]第２の例では、２０ＭＨｚチャネルがパンクチャされることを示すために、特殊または専用ＲＵ割振りビットシーケンスが使用され得る。指示は、ＲＵ割振りテーブル中で追加のエントリを追加することによって行われ（is made）得る。共通部分のサイズは、いずれのコンテンツチャネルについても不変となり得る。この例によれば、パンクチャされた２０ＭＨｚチャネルの明示的指示は必要とされ得ないが、追加のＲＵ割振りビットシーケンスが、ＳＩＧ−Ｂフィールドの共通部分中で追加のオーバーヘッドを生じ得る。
【０１５３】
[0175]これらの例では、共通部分とは対照的に、ＳＩＧ−Ｂ専用部分は、比較的影響を受け得ない。ＳＩＧ−Ｂの複製された構造は維持され得るが、パンクチャされるチャネルについての専用コンテンツは送信されない。
【０１５４】
[0176]他の例では、他の２０ＭＨｚチャネルがパンクチャされる。たとえば、ユーザのためのデータ部分が、第４の２０ＭＨｚに対応する２次チャネル中でパンクチャされ得る。第１のユーザおよび第２のユーザのためのＳＩＧ−Ｂ情報は１次チャネル中で送信され得、第３のユーザおよび第４のユーザのためのＳＩＧ−Ｂ情報は２次チャネル中で送信され得る。第４のユーザのためのデータを搬送するチャネル、図１１Ａに示されている第４の２０ＭＨｚ、がパンクチャされる場合、受信局は、第４のユーザのためのＳＩＧ−Ｂフィールド中のＲＵ割振りの存在のために、第４のユーザのためのデータを予想し得る。この状況に対処するための２つの例が、以下で説明される。
【０１５５】
[0177]第１の例では、パンクチャされる２０ＭＨｚチャネルについてのＲＵ割振りは、送信され得ない。共通部分、たとえば、共通部分１１０５のサイズは、次いで、パンクチャされたチャネルの数およびロケーションに応じて変更され得る。共通部分サイズはまた、２つのＳＩＧ−Ｂコンテンツチャネル間で異なり得る。どのチャネルがパンクチャされるかの明示的指示が、次いで、ＳＩＧ−Ａフィールド中で通信され得る。この例では、パンクチャされ得るチャネルの数は、もしあれば、チャネルのうちのどれがパンクチャされるかを受信局に通信するためにＳＩＧ−Ａフィールド中で割り振られたビット数によって制限され得る。たとえば、ＳＩＧ−Ａフィールド中の２ビットは、パンクチャされたチャネルの４つの可能な組合せの指示を可能にし得る。
【０１５６】
[0178]第２の例では、２０ＭＨｚチャネルがパンクチャされることを示すために、ＲＵ割振りビットシーケンスが使用され得る。たとえば、ＲＵ割振りテーブル中の他の予約済みエントリを使用する、ＲＵ割振りテーブル中の追加のエントリは、たとえば、２０ＭＨｚチャネルがパンクチャされるので、ＲＵが割り振られないことを示すために使用され得る。ＲＵ割振りテーブル中に追加のエントリを挿入することによって、共通部分のサイズはコンテンツチャネル中で不変であり得る。さらに、パンクチャされる２０ＭＨｚチャネルの明示的指示が、必要とされ得ない。この第２の例によれば、専用部分は不変のままであり得、ＳＩＧ−Ｂの複製された構造は維持される。
【０１５７】
[0179]図９Ａ〜図９Ｃは、本開示の様々な態様による、ＨＥ  ＷＬＡＮのための例示的なプリアンブル設計態様のブロック図９００−ａ〜図９００−ｃを示す。
【０１５８】
[0180]帯域幅の各２０ＭＨｚチャネルについての割振りプランを示すために、たとえば、ＲＵ割振りテーブルを使用する、ＲＵ割振りシグナリングが使用され得る。各割振りのサイズと各リソースユニット（ＲＵ）中のユーザ数とが、ＲＵ割振りテーブル中で示され得る。たとえば、オーバーヘッドの量を最小限に抑えるためにＲＵ割振りテーブルのサイズが制限されるので、中心トーン（たとえば、上記で説明された２６個の中心トーン）を示すための、ＲＵ割振りテーブル中で利用可能な十分な数のエントリがないことがある。そのようなオーバーヘッドは、ＨＥ−ＳＩＧ−Ｂフィールド３１０−ｂ中で送られるべき専用部分またはブロックの数またはサイズを含み得る。
【０１５９】
[0181]ＲＵ割振りテーブルが、チャネルについての割振りプランを与え得る。そのような割振りプランは、帯域幅中のすべてのトーンを考慮するためのプロビジョンを与えないことがある。いくつかの例では、トーンプランは、トーンプランの中心にある２６トーンリソースユニットを割り振る能力を与えないことがある。たとえば、図４Ｂを参照すると、２６トーンＲＵは、割振りプラン４３０において２つの１０６トーンＲＵ間にあり得る。同様に、図４Ｃを参照すると、２６トーンＲＵは、割振りプラン４４５において２つの１０６トーンＲＵの間に、および／または、割振りプラン４４０において第２の５２トーンＲＵと第３の５２トーンＲＵとの間にあり得る。他の割振りプランでは、トーンは、トーンプランにおいて示されないことがあるが、割振りプラン内の他の場所の２６トーンＲＵ、５２トーンＲＵ、または１０６トーンＲＵ間にあり得る。各そのようなＲＵは、本明細書では中心２６トーンＲＵと呼ばれることがある。
【０１６０】
[0182]いくつかの例によれば、中心２６ＲＵが割り振られないことが、ＨＥ−ＳＩＧ−Ｂフィールド中のユーザブロックの局ＩＤにおいて示され得る。中心２６トーンＲＵが割り振られないことを示すために、局ＩＤ、たとえば、ＲＵが割り振られていないことを示す局ＩＤについてのあるシーケンス、たとえば、対応する中心２６トーンＲＵがいかなる局にも割り振られないことを示すために使用される局ＩＤについての０のシーケンスまたは１のシーケンスが使用され得る。
【０１６１】
[0183]いくつかの例では、ＲＵが割り振られていないことを示す局ＩＤを送ることは、追加のオーバーヘッドを必要とし得る。いくつかの例または実装形態では、ＲＵのうちのいくつかは、他のＲＵよりも、割り振られていない可能性が高い。たとえば、中心２６トーンＲＵは、割り振られていない可能性が最も高くなり得る。いくつかの例では、ＲＵが割り振られていないことを示す局ＩＤは、パッドフィールド９２５中に余地がある場合、送信され得るが、そうでなければ送信されない。
【０１６２】
[0184]図９Ａは、ＨＥ−ＳＩＧ−Ｂフィールド３１０−ｂを示し、ＨＥ−ＳＩＧ−Ｂフィールド３１０−ｂは、共通ブロック９０５−ａと、ｎ個のユーザのためのユーザブロック９１０−ａ〜９１０−ｅと、ＣＲＣ＋テールフィールド９１５−ａ〜９１５−ｃと、中心２６トーンＲＵについてのＲＵ割振り９２０−ａと、パッドフィールド９２５−ａ中のパッドビットと、を含む。この例では、単一のチャネル９３０−ａが示されている。この例によれば、ＲＵが割り振られないことは、ユーザブロック９１０の局ＩＤにおいて示され得る。中心２６トーンＲＵが割り振られないことを示すために、局ＩＤについてのあるシーケンス、たとえば、０のシーケンスまたは１のシーケンスが使用され得る。０または１のシーケンスは、他の例では、ＲＵのうちの他のものについて、それらが割り振られていないことを示すためにも使用され得る。したがって、局ＩＤは、ＲＵが割り振られていないことを示すために使用され得る。ＨＥ−ＳＩＧ−Ｂフィールド３１０−ｂの場合、中心２６トーンＲＵは割り振られず、指示はブロック９２０−ａによって与えられる。
【０１６３】
[0185]図９Ｂは、ＨＥ−ＳＩＧ−Ｂフィールド３１０−ｃを示し、ＨＥ−ＳＩＧ−Ｂフィールド３１０−ｃは、共通ブロック９０５−ｂと、ｎ個のユーザのためのユーザブロック９１０−ｆ〜９１０−ｊと、ＣＲＣ＋テールフィールド９１５−ｄ〜９１５−ｆと、パッドフィールド９２５−ｂ中のパッドビットと、を含む。この例では、単一のチャネル９３０−ａが示され、ここで、中心２６トーンＲＵは割り振られない。この例では、パッドフィールド９２５−ｂ中に利用可能な十分な空き（space）がなく、その結果、中心２６ＲＵが割り振られていないことを示す局ＩＤ（たとえば、ＡＩＤ）を含むブロックが、ＨＥ−ＳＩＧ−Ｂフィールド３１０−ｃ中で送信されない。
【０１６４】
[0186]図９Ｃは、ＨＥ−ＳＩＧ−Ｂフィールド３１０−ｄを示し、ＨＥ−ＳＩＧ−Ｂフィールド３１０−ｄは、共通ブロック９０５−ｃと、ｎ個のユーザのためのユーザブロック９１０−ｋ〜９１０−ｏと、ＣＲＣ＋テールフィールド９１５−ｇ〜９１５−ｊと、パッドフィールド９２５−ｃ中のパッドビットと、を含む。この例では、単一のチャネル９３０−ｂのためのＳＩＧ−Ｂフィールドが示されている。この例では、パッド９２５−ｂ中に利用可能な十分な空きがあり、その結果、中心２６ＲＵが割り振られることまたは割り振られないことを示す局ＩＤを含むブロックが、ＨＥ−ＳＩＧ−Ｂフィールド３１０−ｃ中で送信される。一例では、ＳＩＧ−Ｂフィールドは、８０ＭＨｚまたは１６０ＭＨｚ帯域幅についてのＲＵ割振りに関し得、それは、示されるべき５つの中心２６ＲＵがあり得る。この例では、パッドフィールド９２５は、送信されるべき５つの中心２６ＲＵのうちの３つのみ、第１のＲＵ位置のための中心２６ＲＵ［０］ブロック９２５−ａ、第２のＲＵ位置のための中心２６ＲＵ［１］ブロック９２５−ｂ、第３のＲＵ位置のための中心２６ＲＵ［２］ブロック９２５−ｃのための余地を与える。他の２つの中心２６トーンＲＵが割り振られていないという指示は、送られない。
【０１６５】
[0187]局によるＨＥ−ＳＩＧ−Ｂフィールド３１０−ｄの受信時に、局は、中心２６ＲＵブロック９２５を復号し、対応する中心２６ＲＵが割り振られないと決定し得る。局はまた、それがＨＥ−ＳＩＧ−Ｂフィールド３１０−ｄの端部に達したと決定し、それにより、残りの２つの中心２６ＲＵも割り振られないと決定し得る。
【０１６６】
[0188]上記で説明されたプリアンブル設計態様によれば、ＳＩＧ−Ｂフィールドのユーザ固有サブフィールドの専用（ユーザ）コンテンツの順序は、可能な組合せの数に従って順序付けられ得る。一例では、コンテンツは、ＳＩＧ−Ｂフィールドの共通部分中で使用される順序と同じように、ユーザ固有サブフィールド中で順序付けられ得る。いくつかの例では、共通部分とユーザ固有サブフィールド（たとえば、専用部分）の両方のコンテンツは、ユーザに割り振られた昇順または降順周波数において順序付けられ得る。他の例では、１次チャネルが最初に順序付けられ、その後に昇順周波数が続き得る。さらに他の例では、１次チャネルが最初に順序付けられ、その後に降順周波数が続き得る。
【０１６７】
[0189]図１０は、本開示の様々な態様による、１次ＨＥ−ＳＩＧ−ＢコンテンツチャネルのためのＨＥ−ＳＩＧ−Ｂフィールド３１０−ｆと第２のＨＥ−ＳＩＧ−ＢコンテンツチャネルのためのＨＥ−ＳＩＧ−Ｂフィールド３１０−ｅとを示す。いくつかの例では、中心２６トーンＲＵのためのユーザ固有フィールドのロケーションは、中心２６トーンＲＵ自体が概してチャネルの中央にあるにもかかわらず、ＳＩＧ−Ｂフィールドのユーザブロック１０２０の端部にあり得る。図１０に示されている例は、中心２６トーンＲＵのユーザ固有部分のための中心２６トーンＲＵ  ＳＩＧ−Ｂコンテンツについてのユーザ固有ＳＩＧ−Ｂコンテンツを含む。詳細には、１次ＨＥ−ＳＩＧ−Ｂコンテンツチャネル１００５は、ブロック１０６５における第１の２０ＭＨｚについての、ブロック１０７０における第３の２０ＭＨｚについての、ブロック１０７５における第５の２０ＭＨｚについての、およびブロック１０８０における第７の２０ＭＨｚについての中心２６トーンＲＵコンテンツを含み、１次８０ＭＨｚチャネルについての中心２６トーンのための中心２６トーンＲＵコンテンツをも含む。詳細には、１次ＨＥ−ＳＩＧ−Ｂコンテンツチャネル１０１０は、ブロック１０３５における第２の２０ＭＨｚについての、ブロック１０４０における第４の２０ＭＨｚについての、ブロック１０４５における第６の２０ＭＨｚについての、およびブロック１０５０における第８の２０ＭＨｚについての中心２６トーンＲＵコンテンツを含む。１６０ＭＨｚ帯域幅の例では、ＨＥ−ＳＩＧ−Ｂコンテンツチャネル１０１０は、ブロック１０５５中の２次８０ＭＨｚチャネルについての中心２６トーンのための中心２６トーンＲＵコンテンツをも含む。８０ＭＨｚ帯域幅の例では、ＨＥ−ＳＩＧ−Ｂコンテンツチャネル１０１０はブロック１０５５を含み得ない。
【０１６８】
[0190]上記で説明されたＨＥ−ＳＩＧ−Ｂフィールドの中心２６トーンＲＵコンテンツブロックは、中心２６トーンＲＵが割り振られることを示し得る。他の例では、中心２６トーンＲＵのほとんどが割り振られないか、またはいずれも割り振られないことがある。そのような例では、それらが割り振られないことを示すために、図９Ａ〜図９Ｃを参照しながら上記で説明された局ＩＤ（ＡＩＤ）が使用され得るか、または、同じく図９Ａ〜図９Ｃを参照しながら上記で説明されたように、中心２６トーンＲＵのためのユーザ固有ブロックは、パディングの欠如により送信されないことがある。
【０１６９】
[0191]ある例では、中心２６トーンＲＵブロックの送信順序を並べ替えることによって、オーバーヘッドがさらに低減され得る。たとえば、２次ＨＥ−ＳＩＧ−Ｂコンテンツチャネルのブロック１０８０における第７の２０ＭＨｚのみが、中心２６トーンＲＵが割り振られることを示し、残りの２６トーンＲＵが割り振られない場合、送信ＡＰによって行われるスケジューリングは、中心２６トーンＲＵのいずれかが割り振られるべきである場合、そのそれらが、第７の２０ＭＨｚのみでまたはそれのみのために開始するのではなく、第１の２０ＭＨｚから開始して割り振られるように、行われ得る。したがって、送信ＡＰは、最初に、割り振られた中心２６トーンＲＵのためのＳＩＧ−Ｂフィールド中のユーザ固有コンテンツを送信し、次いで、送信することを中止し、追加の中心２６トーンＲＵを送信しないことがある。同様に、局は、それが、中心２６トーンＲＵが割り振られないことを示すＡＩＤ値に遭遇すると、ＳＩＧ−Ｂを復号することを中止し得る。
【０１７０】
[0192]他の例では、中心２６トーンＲＵの順序は、送信ＡＰと受信局の両方に知られ得る所定の順序に従って並べ替えられ得る。
【０１７１】
[0193]図１４Ａ〜図１４Ｄは、本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのための第１のＨＥ−ＳＩＧ−Ａフィールドコンテンツ１４０１〜１４０４を示す。ＨＥ−ＳＩＧ−Ａフィールドコンテンツ１４０１とＨＥ−ＳＩＧ−Ａフィールドコンテンツ１４０２とはともに、ＨＥ−ＳＩＧ−Ａフィールドの第１の部分、ＨＥ−ＳＩＧ−Ａ１を表し、ＨＥ−ＳＩＧ−Ａフィールドコンテンツ１４０３とＨＥ−ＳＩＧ−Ａフィールドコンテンツ１４０４とはともに、ＨＥ−ＳＩＧ−Ａフィールドの第２の部分、ＨＥ−ＳＩＧ−Ａ２を表す。ＨＥ−ＳＩＧ−Ａフィールドコンテンツ１４０１〜１４０４のうちの１つまたは複数は、図２に関するＨＥ  ＷＬＡＮプリアンブル２１５の一部、および／または図３および図４Ａに関するＨＥ−ＳＩＧ−Ａフィールド３０５であり得る。ＨＥ−ＳＩＧ−Ａフィールドコンテンツ１４０１〜１４０４がＨＥ  ＳＵ  ＰＰＤＵのために実装される場合、ＨＥ−ＳＩＧ−Ａフィールドコンテンツ１４０１〜１４０４は、全体で、８μｓであり得る。ＨＥ−ＳＩＧ−Ａフィールドコンテンツ１４０１〜１４０４がＨＥ拡張範囲ＰＰＤＵのために実装される場合、ＨＥ−ＳＩＧ−Ａフィールドコンテンツ１４０１〜１４０４は、全体で、１６μｓであり得る。いくつかの例では、ＨＥ拡張範囲ＰＰＤＵ中のＨＥ−ＳＩＧ−Ａフィールドコンテンツ１４０１〜１４０４は８μｓであるが、２回繰り返され、全長１６μｓになり得る。
【０１７２】
[0194]図１５Ａ〜図１５Ｃは、本開示の様々な態様による、ＨＥ  ＷＬＡＮのためのプリアンブル設計態様をサポートするためのＨＥ  ＭＵ  ＰＰＤＵのための第１のＨＥ−ＳＩＧ−Ａフィールドコンテンツ１５０１〜１５０３を示す。ＨＥ−ＳＩＧ−Ａフィールドコンテンツ１５０１は、ＨＥ−ＳＩＧ−Ａフィールドの第１の部分、ＨＥ−ＳＩＧ−Ａ１を表し、ＨＥ−ＳＩＧ−Ａフィールドコンテンツ１５０２とＨＥ−ＳＩＧ−Ａフィールドコンテンツ１５０３とはともに、ＨＥ−ＳＩＧ−Ａフィールドの第２の部分、ＨＥ−ＳＩＧ−Ａ２を表す。ＨＥ−ＳＩＧ−Ａフィールドコンテンツ１５０１〜１５０３のうちの１つまたは複数は、図２に関するＨＥ  ＷＬＡＮプリアンブル２１５の一部、および／または図３および図４Ａに関するＨＥ−ＳＩＧ−Ａフィールド３０５であり得る。ＨＥ−ＳＩＧ−Ａフィールドコンテンツ１５０１〜１５０３がＨＥ  ＭＵ  ＰＰＤＵのために実装される場合、ＨＥ−ＳＩＧ−Ａフィールドコンテンツ１５０１〜１５０３は、全体で、８μｓであり得る。
【０１７３】
[0195]図１６Ａ〜図１６Ｂは、本開示の様々な態様による、ＨＥ  ＷＬＡＮのためのプリアンブル設計態様をサポートするためのＨＥトリガベースＰＰＤＵのための第１のＨＥ−ＳＩＧ−Ａフィールドコンテンツ１６０１〜１６０２を示す。ＨＥ−ＳＩＧ−Ａフィールドコンテンツ１６０１は、ＨＥ−ＳＩＧ−Ａフィールドの第１の部分、ＨＥ−ＳＩＧ−Ａ１を表し、ＨＥ−ＳＩＧ−Ａフィールドコンテンツ１６０２は、ＨＥ−ＳＩＧ−Ａフィールドの第２の部分、ＨＥ−ＳＩＧ−Ａ２を表す。ＨＥ−ＳＩＧ−Ａフィールドコンテンツ１６０１〜１６０２のうちの１つまたは複数は、図２に関するＨＥ  ＷＬＡＮプリアンブル２１５の一部、および／または図３および図４Ａに関するＨＥ−ＳＩＧ−Ａフィールド３０５であり得る。ＨＥ−ＳＩＧ−Ａフィールドコンテンツ１６０１〜１６０２がＨＥトリガベースＰＰＤＵのために実装される場合、ＨＥ−ＳＩＧ−Ａフィールドコンテンツ１６０１〜１６０２は、全体で、８μｓであり得る。
【０１７４】
[0196]図１７Ａ〜図１７Ｄは、本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのための第２のＨＥ−ＳＩＧ−Ａフィールドコンテンツ１７０１〜１７０４を示す。ＨＥ−ＳＩＧ−Ａフィールドコンテンツ１７０１とＨＥ−ＳＩＧ−Ａフィールドコンテンツ１７０２とはともに、ＨＥ−ＳＩＧ−Ａフィールドの第１の部分、ＨＥ−ＳＩＧ−Ａ１を表し、ＨＥ−ＳＩＧ−Ａフィールドコンテンツ１７０３とＨＥ−ＳＩＧ−Ａフィールドコンテンツ１７０４とはともに、ＨＥ−ＳＩＧ−Ａフィールドの第２の部分、ＨＥ−ＳＩＧ−Ａ２を表す。ＨＥ−ＳＩＧ−Ａフィールドコンテンツ１７０１〜１７０４のうちの１つまたは複数は、図２に関するＨＥ  ＷＬＡＮプリアンブル２１５の一部、および／または図３および図４Ａに関するＨＥ−ＳＩＧ−Ａフィールド３０５であり得る。ＨＥ−ＳＩＧ−Ａフィールドコンテンツ１７０１〜１７０４がＨＥ  ＳＵ  ＰＰＤＵのために実装される場合、ＨＥ−ＳＩＧ−Ａフィールドコンテンツ１７０１〜１７０４は、全体で、８μｓであり得る。ＨＥ−ＳＩＧ−Ａフィールドコンテンツ１７０１〜１７０４がＨＥ拡張範囲ＰＰＤＵのために実装される場合、ＨＥ−ＳＩＧ−Ａフィールドコンテンツ１７０１〜１７０４は、全体で、１６μｓであり得る。いくつかの例では、ＨＥ拡張範囲ＰＰＤＵ中のＨＥ−ＳＩＧ−Ａフィールドコンテンツ１７０１〜１７０４は８μｓであるが、２回繰り返され、全長１６μｓになり得る。
【０１７５】
[0197]図１８Ａ〜図１８Ｃは、本開示の様々な態様による、ＨＥ  ＷＬＡＮのためのプリアンブル設計態様をサポートするためのＨＥ  ＭＵ  ＰＰＤＵのための第２のＨＥ−ＳＩＧ−Ａフィールドコンテンツ１８０１〜１８０３を示す。ＨＥ−ＳＩＧ−Ａフィールドコンテンツ１８０１は、ＨＥ−ＳＩＧ−Ａフィールドの第１の部分、ＨＥ−ＳＩＧ−Ａ１を表し、ＨＥ−ＳＩＧ−Ａフィールドコンテンツ１８０２とＨＥ−ＳＩＧ−Ａフィールドコンテンツ１８０３とはともに、ＨＥ−ＳＩＧ−Ａフィールドの第２の部分、ＨＥ−ＳＩＧ−Ａ２を表す。ＨＥ−ＳＩＧ−Ａフィールドコンテンツ１８０１〜１８０３のうちの１つまたは複数は、図２に関するＨＥ  ＷＬＡＮプリアンブル２１８の一部、および／または図３および図４Ａに関するＨＥ−ＳＩＧ−Ａフィールド３０５であり得る。ＨＥ−ＳＩＧ−Ａフィールドコンテンツ１８０１〜１８０３がＨＥ  ＭＵ  ＰＰＤＵのために実装される場合、ＨＥ−ＳＩＧ−Ａフィールドコンテンツ１８０１〜１８０３は、全体で、８μｓであり得る。
【０１７６】
[0198]図１９Ａ〜図１９Ｂは、本開示の様々な態様による、ＨＥ  ＷＬＡＮのためのプリアンブル設計態様をサポートするためのＨＥトリガベースＰＰＤＵのための第２のＨＥ−ＳＩＧ−Ａフィールドコンテンツ１９０１〜１９０２を示す。ＨＥ−ＳＩＧ−Ａフィールドコンテンツ１９０１は、ＨＥ−ＳＩＧ−Ａフィールドの第１の部分、ＨＥ−ＳＩＧ−Ａ１を表し、ＨＥ−ＳＩＧ−Ａフィールドコンテンツ１９０２は、ＨＥ−ＳＩＧ−Ａフィールドの第２の部分、ＨＥ−ＳＩＧ−Ａ２を表す。ＨＥ−ＳＩＧ−Ａフィールドコンテンツ１９０１〜１９０２のうちの１つまたは複数は、図２に関するＨＥ  ＷＬＡＮプリアンブル２１５の一部、および／または図３および図４Ａに関するＨＥ−ＳＩＧ−Ａフィールド３０５であり得る。ＨＥ−ＳＩＧ−Ａフィールドコンテンツ１９０１〜１９０２がＨＥトリガベースＰＰＤＵのために実装される場合、ＨＥ−ＳＩＧ−Ａフィールドコンテンツ１９０１〜１９０２は、全体で、８μｓであり得る。
【０１７７】
[0199]図２０Ａ〜図２０Ｃは、本開示の様々な態様による、ＨＥ  ＷＬＡＮのためのプリアンブル設計態様をサポートするためのＨＥ  ＳＵ  ＰＰＤＵおよびＨＥ拡張範囲ＳＵ  ＰＰＤＵのためのＨＥ−ＳＩＧ−Ａフィールドコンテンツ２００１〜２００３の一例を示す。ＨＥ−ＳＩＧ−Ａ１フィールドコンテンツ２００１〜２００２は、ＨＥ−ＳＩＧ−Ａフィールドの第１の部分、ＨＥ−ＳＩＧ−Ａ１を表し、ＨＥ−ＳＩＧ−Ａ２フィールドコンテンツ２００３は、ＨＥ−ＳＩＧ−Ａフィールドの第２の部分を表す。ＨＥ−ＳＩＧ−Ａフィールドコンテンツ２００１〜２００３は、様々なＨＥ−ＳＩＧ−Ａフィールドの並べ替えの態様を表す。ＨＥ−ＳＩＧ−Ａフィールドコンテンツ２００１〜２００３のうちの１つまたは複数は、図２に関するＨＥ  ＷＬＡＮプリアンブル２１８の一部、および／または図３および図４Ａに関するＨＥ−ＳＩＧ−Ａフィールド３０５であり得る。
【０１７８】
[0200]ＨＥ−ＳＩＧ−Ａフィールドコンテンツ２００１〜２００３は、ＨＥ−ＳＩＧ−Ａのための改善されたＰＡＰＲ性能を与える。いくつかの態様では、ＨＥ−ＳＩＧ−Ａフィールドコンテンツ２００１〜２０００３は、ビーム変更、ＭＣＳ、ＤＣＭ、ＬＴＥ（登録商標）＋ＣＰ、およびＮｓｔｓフィールドをＨＥ−ＳＩＧ−Ａ１に移動し、Ｔｘｏｐ持続時間をＨＥ−ＳＩＧ−Ａ２に移動する。ＢＳＳカラー（color）説明では、「０」は公開アクションフレームを示し得、「６３」は（たとえば、ＡＰがカラー（color）を与えないとき）ＩＢＳＳ／ＭＢＳＳ／ＴＤＬＳフレームを示し得、「１：６２」はＨＥ  ＢＳＳカラーを示し得る。Ｔｘｏｐ持続時間説明では、「１２７」はＴｘｏｐ持続時間が設定されないことを示し得る。ドップラー説明では、「１」はドップラープロシージャが使用されることを示し得、「０」はそれ以外を示し得る。
【０１７９】
[0201]いくつかの態様では、フォーマットフィールドは、ＨＥ  ＳＵ  ＰＰＤＵとＨＥトリガベースＰＰＤＵとを区別し得る。最初にこのフィールドを有すること（たとえば、「Ｂ０」）は、早期検出をサポートし得、したがって、有益であり得る。第２のフィールドとしてビーム変更フィールドを有することは、より良いチャネル推定を決定するために有用であり得、たとえば、受信機は、受信において極めて早期に、先行ＨＥ  ＳＴＦおよびＨＥ  ＬＴＦの空間マッピングに気づく。始まりにおけるＭＣＳフィールドは、着信データペイロードのＭＣＳを決定するのを助け、たとえば、１０２４ＱＡＭ  ＭＣＳの早期検出するは、受信機が受信の特殊省電力モードを有効にすることを可能にする。ＤＣＭフィールドは直ちにＭＣＳに続き、これは、ＭＣＳフィールドのためのデータレートを計算するために使用されるコードレートに影響を及ぼし得る。
【０１８０】
[0202]いくつかの態様では、ＢＳＳカラーフィールドは、パケットがどのＢＳＳに属するかを識別することをサポートする。空間再利用フィールドは、ＳＴＡが空間再利用送信を行うことができるかどうかを決定するのを助けるための知識を、ＢＳＳカラーフィールドとともに伝達する。ＨＥ  ＳＵ  ＰＰＤＵおよびＨＥ拡張範囲ＳＵ  ＰＰＤＵでは、ＨＥ  ＬＴＦはＨＥ  ＳＩＧ−Ａ２フォーマットに続き得る。したがって、ＬＴＦ＋ＣＰの早期知識は、ＨＥ  ＳＩＧ−Ａ１がチャネル推定のためにうまく受信機を準備するのを助ける。
【０１８１】
[0203]いくつかの態様では、ＨＥ−ＳＩＧ−Ａフィールドコンテンツ２００１〜２００３の利益が、有意味なワーストケースを考慮して、様々なＰＰＤＵフォーマットについてＨＥ−ＳＩＧ−ＡのＰＡＰＲ性能によって研究した。ワーストケース（たとえば、ＨＥ  ＳＩＧ  Ａ中のすべて０およびすべて１）の場合、ＨＥ−ＳＩＧＡフィールドコンテンツ２００１〜２００３のシーケンスは、ＭＣＳ０データのＰＡＰＲよりもうまく、ＰＡＰＲをサポートし得る。
【０１８２】
[0204]図２１Ａ〜図２１Ｃは、本開示の様々な態様による、ＨＥ  ＷＬＡＮのためのプリアンブル設計態様をサポートするためのＨＥ  ＭＵ  ＰＰＤＵのためのＨＥ−ＳＩＧ−Ａフィールドコンテンツ２１０１〜２１０３の一例を示す。ＨＥ−ＳＩＧ−Ａフィールドコンテンツ２１０１〜２１０２は、ＨＥ−ＳＩＧ−Ａフィールドの第１の部分、ＨＥ−ＳＩＧ−Ａ１を表し、ＨＥ−ＳＩＧ−Ａフィールドコンテンツ２１０３は、ＨＥ−ＳＩＧ−Ａフィールドの第２の部分、ＨＥ−ＳＩＧ−Ａ２を表す。ＨＥ−ＳＩＧ−Ａフィールドコンテンツ２１０１〜２１０３は、様々なＨＥ−ＳＩＧ−Ａフィールドの並べ替えの態様を表す。ＨＥ−ＳＩＧ−Ａフィールドコンテンツ２１０１〜２１０３のうちの１つまたは複数は、図２に関するＨＥ  ＷＬＡＮプリアンブル２１８の一部、および／または図３および図４Ａに関するＨＥ−ＳＩＧ−Ａフィールド３０５であり得る。
【０１８３】
[0205]いくつかの態様では、ＨＥ−ＳＩＧ−Ａフィールドコンテンツ２１０１〜２１０３は、ＭＣＳ、ＤＣＭ、ＬＴＥ＋ＣＰ、およびＳＩＧＢシンボル数フィールドをＨＥ−ＳＩＧ−Ａ１に移動し、Ｔｘｏｐ持続時間をＨＥ−ＳＩＧ−Ａ２に移動する。ＢＳＳカラー説明では、「０」は公開アクションフレームを示し得、「６３」は（たとえば、ＡＰがカラーを与えないとき）ＩＢＳＳ／ＭＢＳＳ／ＴＤＬＳフレームを示し得、「１：６２」はＨＥ  ＢＳＳカラーを示し得る。Ｔｘｏｐ持続時間説明では、「１２７」はＴｘｏｐ持続時間が設定されないことを示し得る。ドップラー説明では、「１」はドップラープロシージャが使用されることを示し得、「０」はそれ以外を示し得る。
【０１８４】
[0206]図２２Ａ〜図２２Ｂは、本開示の様々な態様による、ＨＥ  ＷＬＡＮのためのプリアンブル設計態様をサポートするためのＨＥトリガベースＰＰＤＵのためのＨＥ−ＳＩＧ−Ａフィールドコンテンツ２２０１〜２２０２の一例を示す。ＨＥ−ＳＩＧ−Ａフィールドコンテンツ２２０１は、ＨＥ−ＳＩＧ−Ａフィールドの第１の部分、ＨＥ−ＳＩＧ−Ａ１を表し、ＨＥ−ＳＩＧ−Ａフィールドコンテンツ２２０２は、ＨＥ−ＳＩＧ−Ａの第２の部分、ＨＥ−ＳＩＧ−Ａ２を表す。ＨＥ−ＳＩＧ−Ａフィールドコンテンツ２２０１〜２２０２は、様々なＨＥ−ＳＩＧ−Ａフィールドの並べ替えの態様を表す。ＨＥ−ＳＩＧ−Ａフィールドコンテンツ２２０１〜２２０２のうちの１つまたは複数は、図２に関するＨＥ  ＷＬＡＮプリアンブル２１８の一部、および／または図３および図４Ａに関するＨＥ−ＳＩＧ−Ａフィールド３０５であり得る。
【０１８５】
[0207]図１４Ａ〜図２２Ｂを参照すると、１つまたは複数のＨＥ−ＳＩＧ−Ａフィールドコンテンツ１４０１〜２２０２は、１つまたは複数の予約済みフィールドを含み得る。いくつかの例では、これらの予約済みフィールドは、各々「１」に設定される。予約済みフィールドを、たとえば、一部または全部を「０」に設定する代わりに、「１」に設定することは、さもなければ存在し得る大きいピーク対平均電力（ＰＡＰＲ）比から生じる問題を改善し、および／またはバイナリ畳み込みコード（ＢＣＣ：binary convolutional code）エンコーダ状態設定を支援し得る。
【０１８６】
[0208]他の例では、予約済みフィールド、たとえば、ＨＥ−ＳＩＧ−Ａフィールドコンテンツ１４０１、１５０１、および／または１６０１に関するビットＢ０は、送信機および受信機について別様に解釈され得る。一例では、予約済みフィールドは、送信機によって「１」または「０」に設定され、受信機によって無視され得る。第２の例では、予約済みフィールドは、送信機によって「１」または「０」に設定され、フィールドが間違って設定される場合、受信機が、関連付けられたＰＰＤＵを廃棄し得るように、忠実度について受信機によって検査され得る。第３の例では、予約済みフィールドは、ＨＥ−ＳＩＧ−Ａビットフィールドの意味がフィールドの示されたバージョンに基づいて異なり得るように、ＰＰＤＵに関連付けられたＷｉ−Ｆｉバージョンを示すために使用され得る。たとえば、バージョンフィールドとして使用される予約済みフィールドは、ＩＥＥＥ８０２．１１ａｘが使用されることを示すために「０」に設定され得、ＩＥＥＥ８０２．１１の何らかの将来のバージョンが使用されることを示すために「１」に設定され得る。
【０１８７】
[0209]いくつかの例では、ＨＥ−ＳＩＧ−Ａフィールドコンテンツ１４０１、１６０１、１７０１、１９０１、２００１、２１０１、および／または２２０１に関して示されている「フォーマット」フィールドに関連付けられたビットが、ＨＥ  ＳＵ  ＰＰＤＵおよびＨＥトリガベースＰＰＤＵにおいてＢ１ビットに整合され、ＨＥ  ＳＵ  ＰＰＤＵとＨＥトリガベースＰＰＤＵとを区別するために使用され得る。
【０１８８】
[0210]いくつかの例では、ＨＥ−ＳＩＧ−Ａフィールドコンテンツ１４０１、１６０１、１７０１、１９０１、２００１、２１０１、および／または２２０１に関して示されている「ＢＳＳカラー」フィールドは、ＢＳＳを識別するために６つのビットを含み得る。いくつかの例では、ＢＳＳカラーファイルドの６つのビットは、各々、ＢＳＳカラーがないことを示すために「１」に設定される。「ＢＳＳカラー」フィールドを、ＢＳＳカラーがないことを示すためにすべて「０」に設定するのではなく、ＢＳＳカラーがないことを示すためにすべて「１」に設定することは、「０」ビットのトレール（trail）を与えることを回避することができる。
【０１８９】
[0211]他の例では、１つまたは複数のＨＥ−ＳＩＧ−Ａフィールドコンテンツ１４０１〜２２０２のためのビットフィールドの組合せは、可能にされ得ない。ビットフィールドのこれらの可能にされない組合せは、ベンダー固有モードを示すために使用され得る。たとえば、受信機に示される０．４μｓの競合期間（ＣＰ）の場合、「１」に設定されたＤＣＭ値と４よりも大きいＭＣＳとは、（たとえば、いくつかの状況では、ＤＣＭは、０、１、３、または４のインデックスをもつＨＥ−ＭＣＳのためにのみ適用されることを可能にされ得るので）可能にされない組合せであり得る。この可能にされない組合せは、受信機が他の場合可能にされない組合せにおいて動作するためにではなく、送信機が受信機にベンダー固有動作モードを示すために、依然として示され得る。
【０１９０】
[0212]いくつかの例では、および図１４Ａ〜図２２Ｂを参照すると、ビットフィールドは、シンボル境界に違反することを回避するように配置され得る。たとえば、ＨＥ  ＳＵ  ＰＰＤＵおよびＨＥ拡張範囲ＳＵ  ＰＰＤＵのための２つの予約済みビット、ＨＥ−ＳＩＧ−Ａフィールドコンテンツ１７０２に示されている「予約済み」フィールドＢ２５およびＨＥ−ＳＩＧ−Ａフィールドコンテンツ１７０３に示されている「ＬＤＰＣ余剰シンボル」フィールドＢ３の各々は、ＨＥ−ＳＩＧ−Ａフィールドコンテンツ１７０２に示されている「予約済み」フィールドＢ２５を、ＨＥ−ＳＩＧ−Ａフィールドコンテンツ１７０３に示されている「コーディング」フィールドＢ２とスワップすることによって、隣接するように配置され得る。さらに他の例では、ＨＥトリガベースＰＰＤＵビットフィールドは、空間再利用（ＳＲ：spatial reuse）フィールドと送信機会（ＴＸＯＰ）持続時間ビットフィールドとが連続的に生じるように再配置され得る。たとえば、ＨＥ−ＳＩＧ−Ａフィールドコンテンツ１９０１〜１９０２は、以下のように配置され得る：ＨＥ−ＳＩＧ−ＡフィールドのＨＥ−ＳＩＧ−Ａ１部分について、「フォーマット」フィールドＢ０、「ＳＲ」フィールドＢ１：Ｂ１６、「ＴＸＯＰ」フィールドＢ１７：Ｂ２３、および「帯域幅」フィールドＢ：２４：Ｂ２５、その後に、ＨＥ−ＳＩＧ−ＡフィールドのＨＥ−ＳＩＧ−Ａ２部分について、「ＢＳＳカラー」フィールドＢ０：Ｂ５、「予約済み」フィールドＢ６：Ｂ１５、ＣＲＣフィールドＢ１６：Ｂ１９、および「テール」フィールドＢ２０：Ｂ２５が続く。そのような配置は、ＳＲが未使用である場合、改善された分解能のためのＴＸＯＰ持続時間ビットフィールドの拡張を可能にし得る。
【０１９１】
[0213]図１３Ａおよび図１３Ｂは、本開示の様々な態様による、ＨＥ  ＷＬＡＮのためのプリアンブル設計態様をサポートするための例示的なデバイスのブロック図を示す。
【０１９２】
[0214]図１３Ａは、本開示の様々な態様による、ならびに図１〜図１２および図１４Ａ〜図２２Ｂに関して、ＨＥ  ＷＬＡＮのためのプリアンブル設計態様をサポートする例示的なワイヤレスデバイス１３９０のブロック図１３００−ａを示す。ＳＴＡ１１０またはＡＰ１０５の一例であり得るワイヤレスデバイス１３９０は、リソースユニットシグナリングマネージャ１３３０と、ＭＵ−ＭＩＭＯロードバランサ１３３５と、空間ストリーム決定器１３４０と、コンテンツタイプ決定器１３４５と、パンクチャチャネルマネージャ（punctured channel manager）１３５０とを含む。プロセッサ１３０５と、メモリ１３１０と、（１つまたは複数の）トランシーバ１３２０と、リソースユニットシグナリングマネージャ１３３０と、ＭＵ−ＭＩＭＯロードバランサ１３３５と、空間ストリーム決定器１３４０と、コンテンツタイプ決定器１３４５と、パンクチャチャネルマネージャ１３５０とは、バス１３５５に通信可能に結合され、バス１３５５は、これらの構成要素間の通信を可能にする。（１つまたは複数の）アンテナ１３２５は、（１つまたは複数の）トランシーバ１３２０に通信可能に結合される。
【０１９３】
[0215]プロセッサ１３０５は、中央処理ユニット（ＣＰＵ）、マイクロコントローラ、特定用途向け集積回路（ＡＳＩＣ）など、インテリジェントハードウェアデバイスである。プロセッサ１３０５は、（１つまたは複数の）トランシーバ１３２０を通して受信された情報と、（１つまたは複数の）アンテナ１３２５を介した送信のために（１つまたは複数の）トランシーバ１３２０に送られるべき情報とを処理する。
【０１９４】
[0216]メモリ１３１０は、実行されたとき、プロセッサ１３０５またはワイヤレスデバイス１３９０の構成要素のうちの別の１つに、本明細書で説明される様々な機能を実行させる命令を含んでいるコンピュータ可読、コンピュータ実行可能ソフトウェア（ＳＷ）コード１３１５を記憶する。
【０１９５】
[0217]（１つまたは複数の）トランシーバ１３２０は、ＡＰ１０５、ＳＴＡ１１０、または他のデバイスなど、他のワイヤレスデバイスと双方向に通信する。（１つまたは複数の）トランシーバ１３２０は、パケットおよびフレームを変調し、変調されたパケットを送信のために（１つまたは複数の）アンテナ１３２５に与えるためのモデムを含む。モデムは、さらに、（１つまたは複数の）アンテナ１３２５から受信されたパケットを復調するために使用される。
【０１９６】
[0218]リソースユニットシグナリングマネージャ１３３０と、ＭＵ−ＭＩＭＯロードバランサ１３３５と、空間ストリーム決定器１３４０と、コンテンツタイプ決定器１３４５と、パンクチャチャネルマネージャ１３５０とは、以下でさらに説明されるように、図１〜図１２および図１４Ａ〜図２２Ｂを参照しながら説明された特徴を実装する。
【０１９７】
[0219]リソースユニットシグナリングマネージャ１３３０は、固定帯域幅を有するＳＵ送信フレームのＷＬＡＮデータフィールドのためのリソースユニット（ＲＵ）構成を識別することができる。リソースユニットシグナリングマネージャ１３３０は、次いで、ＳＵ送信フレームのプリアンブルのＷＬＡＮシグナリングフィールド中でＲＵインジケータを生成することができ、ここで、ＲＵインジケータはＷＬＡＮデータフィールド内のＲＵサイズおよびＲＵロケーションを識別する。リソースユニットシグナリングマネージャ１３３０は、いくつかの例では、トランシーバ１３２０および／または（１つまたは複数の）アンテナ１３２５とともに、ＳＵ送信フレームを送信することができる。
【０１９８】
[0220]ＭＵ−ＭＩＭＯロードバランサ１３３５は、送信フレームの第１のコンテンツチャネル中の第１のＲＵに関連付けられたＭＵ−ＭＩＭＯ局の数を識別する第１のインジケータを識別することができる。ＭＵ−ＭＩＭＯロードバランサ１３３５は、送信フレームの第２のコンテンツチャネル中の第２のＲＵに関連付けられたＭＵ−ＭＩＭＯ局の不在を識別する第２のインジケータをも識別することができる。ＭＵ−ＭＩＭＯロードバランサ１３３５は、次いで、送信フレームの第１のコンテンツチャネル中で、ＷＬＡＮシグナリングフィールドの第１の共通部分を生成することと、ここにおいて、第１の共通部分は第１のインジケータを含み、送信フレームの第２のコンテンツチャネル中で、ＷＬＡＮシグナリングフィールドの第２の共通部分を生成することと、ここにおいて、第２の共通部分は第２のインジケータを含む、を行い得る。ＭＵ−ＭＩＭＯロードバランサ１３３５は、いくつかの例では、トランシーバ１３２０および／または（１つまたは複数の）アンテナ１３２５とともに、ＷＬＡＮシグナリングフィールドを含むＳＵ送信フレームを送信することができる。
【０１９９】
[0221]空間ストリーム決定器１３４０は、複数の局によって復号可能なＷＬＡＮシグナリングフィールドを含む送信フレームを受信することができる。いくつかの例では、空間ストリーム決定器１３４０は、トランシーバ１３２０および／または（１つまたは複数の）アンテナ１３２５とともに、送信フレームを受信する。空間ストリーム決定器１３４０は、ＷＬＡＮシグナリングフィールドの局固有部分中で、複数の局に関連付けられた複数の局固有情報ブロックのための順序を識別し得る。空間ストリーム決定器１３４０は、次いで、複数の局固有情報ブロックのための識別された順序に少なくとも部分的に基づいて、第１の局に割り振られた空間ストリームの数を決定し得る。
【０２００】
[0222]コンテンツタイプ決定器１３４５は、複数のチャネルに関連付けられた送信フレームを受信し得、送信フレームはＷＬＡＮシグナリングフィールドを含む。いくつかの例では、コンテンツタイプ決定器１３４５は、トランシーバ１３２０および／または（１つまたは複数の）アンテナ１３２５とともに、送信フレームを受信する。コンテンツタイプ決定器１３４５は、複数のチャネルのうちの第１のチャネルについてＷＬＡＮシグナリングフィールドに関連付けられた局の第１の数を識別し、複数のチャネルのうちの第２のチャネルについてＷＬＡＮシグナリングフィールドに関連付けられた局の第２の数を識別することができる。コンテンツタイプ決定器１３４５は、次いで、局の識別された第１の数と局の識別された第２の数とに少なくとも部分的に基づいて、送信フレームのデータ部分がＭＵ−ＭＩＭＯコンテンツを含んでいるかどうかを決定し得る。
【０２０１】
[0223]パンクチャチャネルマネージャ１３５０は、送信フレームに関連付けられた複数のチャネルのうちの第１のチャネルがパンクチャされたという指示を生成することができ、送信フレームはＷＬＡＮシグナリングフィールドを含む。パンクチャチャネルマネージャ１３５０は、パンクチャされた第１のチャネルに対応するＷＬＡＮシグナリングフィールドに関連付けられた情報を識別し、次いで、複数のチャネルのうちの第２のチャネル中で、第１のチャネルがパンクチャされたという指示と、ＷＬＡＮシグナリングフィールドに関連付けられた情報とを送信することができる。いくつかの例では、パンクチャチャネルマネージャ１３５０は、トランシーバ１３２０および／または（１つまたは複数の）アンテナ１３２５とともに、第２のチャネル中で、指示とＷＬＡＮシグナリングフィールドに関連付けられた情報とを送信するように動作する。
【０２０２】
[0224]再び、図１３Ａは、図１〜図１２および図１４Ａ〜図２２Ｂの特徴を実行するデバイスの、１つの可能な実装形態を示すにすぎない。図１３Ａの構成要素は、明快のために個別ハードウェアブロック（たとえば、ＡＳＩＣ、フィールドプログラマブルゲートアレイ（ＦＰＧＡ）、セミカスタム集積回路など）として示されているが、構成要素の各々が、ハードウェアで、適用可能な特徴の一部または全部を実行するように適応された複数のハードウェアブロックによっても実装され得ることを理解されよう。代替的に、図１３Ａの構成要素のうちの２つまたはそれ以上の特徴は、単一の、統合ハードウェアブロックによって実装され得る。たとえば、単一のトランシーバ１３２０チップは、プロセッサ１３０５と、メモリ１３１０と、リソースユニットシグナリングマネージャ１３３０と、ＭＵ−ＭＩＭＯロードバランサ１３３５と、空間ストリーム決定器１３４０と、コンテンツタイプ決定器１３４５と、パンクチャチャネルマネージャ１３５０とを実装し得る。
【０２０３】
[0225]さらに他の例では、各構成要素の特徴はまた、全体的にまたは部分的に、１つまたは複数の汎用または特定用途向けプロセッサによって実行されるようにフォーマットされた、メモリ中に組み込まれた命令を用いて実装され得る。たとえば、図１３Ｂは、リソースユニットシグナリングマネージャ１３３０−ａ、ＭＵ−ＭＩＭＯロードバランサ１３３５−ａ、空間ストリーム決定器１３４０−ａ、コンテンツタイプ決定器１３４５−ａ、およびパンクチャチャネルマネージャ１３５０−ａの特徴が、メモリ１３１０−ａに記憶され、１つまたは複数のプロセッサ１３０５−ａによって実行されるコンピュータ可読コードとして実装される、ワイヤレスデバイス１３９０−ａの別の例のブロック図１３００−ｂを示す。ハードウェア／ソフトウェアの他の組合せが、図１３Ａ〜図１３Ｂの構成要素のうちの１つまたは複数の特徴を実行するために使用され得る。
【０２０４】
[0226]図２３は、本開示の様々な態様による、ＨＥ  ＷＬＡＮのためのプリアンブル設計態様のための方法２３００を示すフローチャートを示す。方法２３００の動作は、ワイヤレスデバイス１３９０または本明細書で説明されるそれの構成要素、たとえば、ＡＰ１０５および／またはＳＴＡ１１０によって実装され得る。いくつかの例では、ワイヤレスデバイス１３９０は、以下で説明される機能を実行するようにデバイスの機能要素を制御するためのコードのセットを実行し得る。追加または代替として、ワイヤレスデバイスは、専用ハードウェアを使用して、以下で説明される機能の態様を実行し得る。
【０２０５】
[0227]ブロック２３０５において、ワイヤレスデバイス１３１０は、送信フレームの第１のコンテンツチャネル中の第１のＲＵに関連付けられたＭＵ−ＭＩＭＯ局の数を識別する第１のインジケータを識別する。ブロック２３０５の動作は、図１〜図２２を参照しながら説明された方法に従って実行され得る。いくつかの例では、ブロック２３０５の動作の態様は、図１３を参照しながら説明されたように、ワイヤレスデバイス１３９０の構成要素によって実行され得る。
【０２０６】
[0228]ブロック２３１０において、ワイヤレスデバイス１３９０は、送信フレームの第１のコンテンツチャネル中で、ＷＬＡＮシグナリングフィールドの第１の共通部分を生成し、ここにおいて、第１の共通部分は第１のインジケータを含む。ブロック２３１０の動作は、図１〜図２２を参照しながら説明された方法に従って実行され得る。いくつかの例では、ブロック２３１０の動作の態様は、図１３を参照しながら説明されたように、ワイヤレスデバイス１３９０の構成要素によって実行され得る。
【０２０７】
[0229]ブロック２３１５において、ワイヤレスデバイス１３９０は、送信フレームの第２のコンテンツチャネル中の第２のＲＵに関連付けられたＭＵ−ＭＩＭＯ局の不在を識別する第２のインジケータを識別する。ブロック２３１５の動作は、図１〜図２２を参照しながら説明された方法に従って実行され得る。いくつかの例では、ブロック２３１５の動作の態様は、図１３を参照しながら説明されたように、ワイヤレスデバイス１３９０の構成要素によって実行され得る。
【０２０８】
[0230]ブロック２３２０において、ワイヤレスデバイス１３９０は、送信フレームの第２のコンテンツチャネル中で、ＷＬＡＮシグナリングフィールドの第２の共通部分を生成し、ここにおいて、第２の共通部分は第２のインジケータを含む。ブロック２３２０の動作は、図１〜図２２を参照しながら説明された方法に従って実行され得る。いくつかの例では、ブロック２３２０の動作の態様は、図１３を参照しながら説明されたように、ワイヤレスデバイス１３９０の構成要素によって実行され得る。
【０２０９】
[0231]ブロック２３２５において、ＡＰ１０５は、ＷＬＡＮシグナリングフィールドを含む送信フレームを送信する。ブロック２３２５の動作は、図１〜図２２を参照しながら説明された方法に従って実行され得る。いくつかの例では、ブロック２３２５の動作の態様は、図１３を参照しながら説明されたように、ワイヤレスデバイス１３９０の構成要素によって実行され得る。
【０２１０】
[0232]図２４は、本開示の様々な態様による、ＨＥ  ＷＬＡＮのためのプリアンブル設計態様のための方法２４００を示すフローチャートを示す。方法２４００の動作は、ワイヤレスデバイス１３９０または本明細書で説明されるそれの構成要素、たとえば、ＡＰ１０５および／またはＳＴＡ１１０によって実装され得る。いくつかの例では、ワイヤレスデバイス１３９０は、以下で説明される機能を実行するようにデバイスの機能要素を制御するためのコードのセットを実行し得る。追加または代替として、ワイヤレスデバイス１３９０は、専用ハードウェアを使用して、以下で説明される機能の態様を実行し得る。
【０２１１】
[0233]ブロック２４０５において、ワイヤレスデバイス１３９０は、第１の局において、複数の局によって復号可能なワイヤレスローカルエリアネットワーク（ＷＬＡＮ）シグナリングフィールドを含む送信フレームを受信する。ブロック２４０５の動作は、図１〜図２２を参照しながら説明された方法に従って実行され得る。いくつかの例では、ブロック２４０５の動作の態様は、図１３を参照しながら説明されたように、ワイヤレスデバイス１３９０の構成要素によって実行され得る。
【０２１２】
[0234]ブロック２４１０において、ワイヤレスデバイス１３９０は、ＷＬＡＮシグナリングフィールドの局固有部分中で、複数の局に関連付けられた複数の局固有情報ブロックのための順序を識別する。ブロック２４１０の動作は、図１〜図２２を参照しながら説明された方法に従って実行され得る。いくつかの例では、ブロック２４１０の動作の態様は、図１３を参照しながら説明されたように、ワイヤレスデバイス１３９０の構成要素によって実行され得る。
【０２１３】
[0235]ブロック２４１５において、ワイヤレスデバイス１３９０は、複数の局固有情報ブロックのための識別された順序に少なくとも部分的に基づいて、第１の局に割り振られた空間ストリームの数を決定する。ブロック２４１５の動作は、図１〜図２２を参照しながら説明された方法に従って実行され得る。いくつかの例では、ブロック２４１５の動作の態様は、図１３を参照しながら説明されたように、ワイヤレスデバイス１３９０の構成要素によって実行され得る。
【０２１４】
[0236]図２５は、本開示の様々な態様による、高効率ワイヤレスローカルエリアネットワークのためのプリアンブル設計態様のための方法２５００を示すフローチャートを示す。方法２５００の動作は、ワイヤレスデバイス１３９０または本明細書で説明されるそれの構成要素、たとえば、ＡＰ１０５および／またはＳＴＡ１１５によって実装され得る。いくつかの例では、ワイヤレスデバイス１３９０は、以下で説明される機能を実行するようにデバイスの機能要素を制御するためのコードのセットを実行し得る。追加または代替として、ワイヤレスデバイス１３９０は、専用ハードウェアを使用して、以下で説明される機能の態様を実行し得る。
【０２１５】
[0237]ブロック２５０５において、ワイヤレスデバイス１３９０は、複数のチャネルに関連付けられた送信フレームを受信し、送信フレームはワイヤレスローカルエリアネットワーク（ＷＬＡＮ）シグナリングフィールドを含む。ブロック２５０５の動作は、図１〜図２２を参照しながら説明された方法に従って実行され得る。いくつかの例では、ブロック２５０５の動作の態様は、図１３を参照しながら説明されたように、ワイヤレスデバイス１３９０の構成要素によって実行され得る。
【０２１６】
[0238]ブロック２５１０において、ワイヤレスデバイス１３９０は、複数のチャネルのうちの第１のチャネルについてＷＬＡＮシグナリングフィールドに関連付けられた局の第１の数を識別する。ブロック２５１０の動作は、図１〜図２２を参照しながら説明された方法に従って実行され得る。いくつかの例では、ブロック２５１０の動作の態様は、図１３を参照しながら説明されたように、ワイヤレスデバイス１３９０の構成要素によって実行され得る。
【０２１７】
[0239]ブロック２５１５において、ワイヤレスデバイス１３９０は、複数のチャネルのうちの第２のチャネルについてＷＬＡＮシグナリングフィールドに関連付けられた局の第２の数を識別する。ブロック２５１５の動作は、図１〜図２２を参照しながら説明された方法に従って実行され得る。いくつかの例では、ブロック２５１５の動作の態様は、図１３を参照しながら説明されたように、ワイヤレスデバイス１３９０の構成要素によって実行され得る。
【０２１８】
[0240]ブロック２５２０において、ワイヤレスデバイス１３９０は、局の識別された第１の数と局の識別された第２の数とに少なくとも部分的に基づいて、送信フレームのデータ部分がマルチユーザ多入力多出力（ＭＵ−ＭＩＭＯ）コンテンツを含んでいるかどうかを決定する。ブロック２５２０の動作は、図１〜図２２を参照しながら説明された方法に従って実行され得る。いくつかの例では、ブロック２５２０の動作の態様は、図１３を参照しながら説明されたように、ワイヤレスデバイス１３９０の構成要素によって実行され得る。
【０２１９】
[0241]図２６は、本開示の様々な態様による、ＨＥ  ＷＬＡＮのためのプリアンブル設計態様のための方法２６００を示すフローチャートを示す。方法２６００の動作は、ワイヤレスデバイス１３９０または本明細書で説明されるそれの構成要素、たとえば、ＡＰ１０５および／またはＳＴＡ１１０によって実装され得る。いくつかの例では、ワイヤレスデバイス１３９０は、以下で説明される機能を実行するようにデバイスの機能要素を制御するためのコードのセットを実行し得る。追加または代替として、ワイヤレスデバイス１３９０は、専用ハードウェアを使用して、以下で説明される機能の態様を実行し得る。
【０２２０】
[0242]ブロック２６０５において、ワイヤレスデバイス１３９０は、ワイヤレスローカルエリアネットワーク（ＷＬＡＮ）において送信フレームのために使用されるべきトーンプランを識別する。ブロック２６０５の動作は、図１〜図２２を参照しながら説明された方法に従って実行され得る。いくつかの例では、ブロック２６０５の動作の態様は、図１３を参照しながら説明されたように、ワイヤレスデバイス１３９０の構成要素によって実行され得る。
【０２２１】
[0243]ブロック２６１０において、ワイヤレスデバイス１３９０は、送信フレームについて複数のユーザに対してリソースユニット（ＲＵ）を割り振る。ブロック２６１０の動作は、図１〜図２２を参照しながら説明された方法に従って実行され得る。いくつかの例では、ブロック２６１０の動作の態様は、図１３を参照しながら説明されたように、ワイヤレスデバイス１３９０の構成要素によって実行され得る。
【０２２２】
[0244]ブロック２６１５において、ワイヤレスデバイス１３９０は、トーンプランのリソースユニット（ＲＵ）が割り振られていないと決定する。ブロック２６１５の動作は、図１〜図２２を参照しながら説明された方法に従って実行され得る。いくつかの例では、ブロック２６１５の動作の態様は、図１３を参照しながら説明されたように、ワイヤレスデバイス１３９０の構成要素によって実行され得る。
【０２２３】
[0245]ブロック２６２０において、ワイヤレスデバイス１３９０は、送信フレームについて、ＲＵが割り振られていないことを示す、ＷＬＡＮシグナリングフィールドのユーザ固有部分中の局識別情報を生成する。ブロック２６２０の動作は、図１〜図２２を参照しながら説明された方法に従って実行され得る。いくつかの例では、ブロック２６２０の動作の態様は、図１３を参照しながら説明されたように、ワイヤレスデバイス１３９０の構成要素によって実行され得る。
【０２２４】
[0246]図２７は、本開示の様々な態様による、ＨＥ  ＷＬＡＮのためのプリアンブル設計態様のための方法２７００を示すフローチャートを示す。方法２７００の動作は、ワイヤレスデバイス１３９０または本明細書で説明されるそれの構成要素、たとえば、ＡＰ１０５および／またはＳＴＡ１１０によって実装され得る。いくつかの例では、ワイヤレスデバイス１３９０は、以下で説明される機能を実行するようにデバイスの機能要素を制御するためのコードのセットを実行し得る。追加または代替として、ワイヤレスデバイス１３９０は、専用ハードウェアを使用して、以下で説明される機能の態様を実行し得る。
【０２２５】
[0247]ブロック２７０５において、ワイヤレスデバイス１３９０は、送信フレームに関連付けられた第１のコンテンツチャネルを受信し、第１のコンテンツチャネルはワイヤレスローカルエリアネットワーク（ＷＬＡＮ）シグナリングフィールドを含む。ブロック２７０５の動作は、図１〜図２２を参照しながら説明された方法に従って実行され得る。いくつかの例では、ブロック２７０５の動作の態様は、図１３を参照しながら説明されたように、ワイヤレスデバイス１３９０の構成要素によって実行され得る。
【０２２６】
[0248]ブロック２７１０において、ワイヤレスデバイス１３９０は、ＷＬＡＮシグナリングフィールド中の指示に少なくとも部分的に基づいて、第１のコンテンツチャネルに関連付けられたユーザの第１の数と、送信フレームの第２のコンテンツチャネルに関連付けられたユーザの第２の数とを識別する。ブロック２７１０の動作は、図１〜図２２を参照しながら説明された方法に従って実行され得る。いくつかの例では、ブロック２７１０の動作の態様は、図１３を参照しながら説明されたように、ワイヤレスデバイス１３９０の構成要素によって実行され得る。
【０２２７】
[0249]図２８は、本開示の様々な態様による、ＨＥ  ＷＬＡＮのためのプリアンブル設計態様のための方法２８００を示すフローチャートを示す。方法２８００の動作は、ワイヤレスデバイス１３９０または本明細書で説明されるそれの構成要素、たとえば、ＡＰ１０５および／またはＳＴＡ１１０によって実装され得る。いくつかの例では、ワイヤレスデバイス１３９０は、以下で説明される機能を実行するようにデバイスの機能要素を制御するためのコードのセットを実行し得る。追加または代替として、ワイヤレスデバイス１３９０は、専用ハードウェアを使用して、以下で説明される機能の態様を実行し得る。
【０２２８】
[0250]ブロック２８０５において、ワイヤレスデバイス１３９０は、送信フレームに関連付けられた複数のチャネルのうちの第１のチャネルがパンクチャされたという指示を生成し、送信フレームはワイヤレスローカルエリアネットワーク（ＷＬＡＮ）シグナリングフィールドを含む。ブロック２８０５の動作は、図１〜図２２を参照しながら説明された方法に従って実行され得る。いくつかの例では、ブロック２８０５の動作の態様は、図１３を参照しながら説明されたように、ワイヤレスデバイス１３９０の構成要素によって実行され得る。
【０２２９】
[0251]ブロック２８１０において、ワイヤレスデバイス１３９０は、パンクチャされた第１のチャネルに対応するＷＬＡＮシグナリングフィールドに関連付けられた情報を識別する。ブロック２８１０の動作は、図１〜図２２を参照しながら説明された方法に従って実行され得る。いくつかの例では、ブロック２８１０の動作の態様は、図１３を参照しながら説明されたように、ワイヤレスデバイス１３９０の構成要素によって実行され得る。
【０２３０】
[0252]ブロック２８１５において、ワイヤレスデバイス１３９０は、複数のチャネルのうちの第２のチャネル中で、第１のチャネルがパンクチャされたという指示と、ＷＬＡＮシグナリングフィールドに関連付けられた情報とを送信する。ブロック２８１５の動作は、図１〜図２２を参照しながら説明された方法に従って実行され得る。いくつかの例では、ブロック２８１５の動作の態様は、図１３を参照しながら説明されたように、ワイヤレスデバイス１３９０の構成要素によって実行され得る。
【０２３１】
[0253]図２９は、本開示の様々な態様による、ＨＥ  ＷＬＡＮのためのプリアンブル設計態様のための方法２９００を示すフローチャートを示す。方法２９００の動作は、ワイヤレスデバイス１３９０または本明細書で説明されるそれの構成要素、たとえば、ＡＰ１０５および／またはＳＴＡ１１０によって実装され得る。いくつかの例では、ワイヤレスデバイス１３９０は、以下で説明される機能を実行するようにデバイスの機能要素を制御するためのコードのセットを実行し得る。追加または代替として、ワイヤレスデバイス１３９０は、専用ハードウェアを使用して、以下で説明される機能の態様を実行し得る。
【０２３２】
[0254]ブロック２９０５において、ワイヤレスデバイス１３９０は、送信フレームに関連付けられた複数のチャネルのうちの第１のチャネルがパンクチャされたという指示を生成し、送信フレームは第１のワイヤレスローカルエリアネットワーク（ＷＬＡＮ）シグナリングフィールドを含む。ブロック２９０５の動作は、図１〜図２２を参照しながら説明された方法に従って実行され得る。いくつかの例では、ブロック２９０５の動作の態様は、図１３を参照しながら説明されたように、ワイヤレスデバイス１３９０の構成要素によって実行され得る。
【０２３３】
[0255]ブロック２９１０において、ワイヤレスデバイス１３９０は、パンクチャされた第１のチャネルに対応する第１のＷＬＡＮシグナリングフィールドに関連付けられた情報を識別する。ブロック２９１０の動作は、図１〜図２２を参照しながら説明された方法に従って実行され得る。いくつかの例では、ブロック２９１０の動作の態様は、図１３を参照しながら説明されたように、ワイヤレスデバイス１３９０の構成要素によって実行され得る。
【０２３４】
[0256]ブロック２９１５において、ワイヤレスデバイス１３９０は、送信フレームの第２のＷＬＡＮシグナリングフィールド中で、第１のチャネルがパンクチャされたという指示を送信する。ブロック２９１５の動作は、図１〜図２２を参照しながら説明された方法に従って実行され得る。いくつかの例では、ブロック２９１５の動作の態様は、図１３を参照しながら説明されたように、ワイヤレスデバイス１３９０の構成要素によって実行され得る。
【０２３５】
[0257]ブロック２９２０において、ワイヤレスデバイス１３９０は、複数のチャネルのうちの第２のチャネル中で、第１のＷＬＡＮシグナリングフィールドに関連付けられた情報を送信する。ブロック２９２０の動作は、図１〜図２２を参照しながら説明された方法に従って実行され得る。いくつかの例では、ブロック２９２０の動作の態様は、図１３を参照しながら説明されたように、ワイヤレスデバイス１３９０の構成要素によって実行され得る。
【０２３６】
[0258]図３０は、本開示の様々な態様による、ＨＥ  ＷＬＡＮのためのプリアンブル設計態様のための方法３０００を示すフローチャートを示す。方法３０００の動作は、ワイヤレスデバイス１３９０または本明細書で説明されるそれの構成要素、たとえば、ＡＰ１０５および／またはＳＴＡ１１０によって実装され得る。いくつかの例では、ワイヤレスデバイス１３９０は、以下で説明される機能を実行するようにデバイスの機能要素を制御するためのコードのセットを実行し得る。追加または代替として、ワイヤレスデバイス１３９０は、専用ハードウェアを使用して、以下で説明される機能の態様を実行し得る。
【０２３７】
[0259]ブロック３００５において、ワイヤレスデバイス１３９０は、送信フレームに関連付けられた帯域幅を識別する。ブロック３００５の動作は、図１〜図２２を参照しながら説明された方法に従って実行され得る。いくつかの例では、ブロック３００５の動作の態様は、図１３を参照しながら説明されたように、ワイヤレスデバイス１３９０の構成要素によって実行され得る。
【０２３８】
[0260]ブロック３０１０において、ワイヤレスデバイス１３９０は、帯域幅内の１つまたは複数のコンテンツチャネルについてのロケーションを識別する。ブロック３０１０の動作は、図１〜図２２を参照しながら説明された方法に従って実行され得る。いくつかの例では、ブロック３０１０の動作の態様は、図１３を参照しながら説明されたように、ワイヤレスデバイス１３９０の構成要素によって実行され得る。
【０２３９】
[0261]ブロック３０１５において、ワイヤレスデバイス１３９０は、当該帯域幅と、送信フレームの当該帯域幅内の当該１つまたは複数のコンテンツチャネルについてのロケーションとの両方を示すＷＬＡＮシグナリングフィールドを含む送信フレームを送信する。ブロック３０１５の動作は、図１〜図２２を参照しながら説明された方法に従って実行され得る。いくつかの例では、ブロック３０１５の動作の態様は、図１３を参照しながら説明されたように、ワイヤレスデバイス１３９０の構成要素によって実行され得る。
【０２４０】
[0262]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０２４１】
[0263]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２４２】
[0264]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０２４３】
[0265]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２４４】
[0266]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２４５】
[0267]本開示についての以上の説明は、当業者が本開示を作成または使用することができるように与えられた。本開示への様々な修正は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2019506040.tif 000004
【図２】
2019506040.tif 000005
【図３】
2019506040.tif 000006
【図４Ａ】
2019506040.tif 000007
【図４Ｂ】
2019506040.tif 000008
【図４Ｃ】
2019506040.tif 000009
【図５】
2019506040.tif 000010
【図６】
2019506040.tif 000011
【図７】
2019506040.tif 000012
【図８】
2019506040.tif 000013
【図９Ａ】
2019506040.tif 000014
【図９Ｂ】
2019506040.tif 000015
【図９Ｃ】
2019506040.tif 000016
【図１０】
2019506040.tif 000017
【図１１Ａ】
2019506040.tif 000018
【図１１Ｂ】
2019506040.tif 000019
【図１１Ｃ】
2019506040.tif 000020
【図１１Ｄ】
2019506040.tif 000021
【図１２】
2019506040.tif 000022
【図１３Ａ】
2019506040.tif 000023
【図１３Ｂ】
2019506040.tif 000024
【図１４Ａ】
2019506040.tif 000025
【図１４Ｂ】
2019506040.tif 000026
【図１４Ｃ】
2019506040.tif 000027
【図１４Ｄ】
2019506040.tif 000028
【図１５Ａ】
2019506040.tif 000029
【図１５Ｂ】
2019506040.tif 000030
【図１５Ｃ】
2019506040.tif 000031
【図１６Ａ】
2019506040.tif 000032
【図１６Ｂ】
2019506040.tif 000033
【図１７Ａ】
2019506040.tif 000034
【図１７Ｂ】
2019506040.tif 000035
【図１７Ｃ】
2019506040.tif 000036
【図１７Ｄ】
2019506040.tif 000037
【図１８Ａ】
2019506040.tif 000038
【図１８Ｂ】
2019506040.tif 000039
【図１８Ｃ】
2019506040.tif 000040
【図１９Ａ】
2019506040.tif 000041
【図１９Ｂ】
2019506040.tif 000042
【図２０Ａ】
2019506040.tif 000043
【図２０Ｂ】
2019506040.tif 000044
【図２０Ｃ】
2019506040.tif 000045
【図２１Ａ】
2019506040.tif 000046
【図２１Ｂ】
2019506040.tif 000047
【図２１Ｃ】
2019506040.tif 000048
【図２２Ａ】
2019506040.tif 000049
【図２２Ｂ】
2019506040.tif 000050
【図２３】
2019506040.tif 000051
【図２４】
2019506040.tif 000052
【図２５】
2019506040.tif 000053
【図２６】
2019506040.tif 000054
【図２７】
2019506040.tif 000055
【図２８】
2019506040.tif 000056
【図２９】
2019506040.tif 000057
【図３０】
2019506040.tif 000058
【国際調査報告】
2019506040.tif 000059
2019506040.tif 000060
2019506040.tif 000061
2019506040.tif 000062